(57)【要約】      （修正有）【課題】動的に変化するサービスネットワークを選択するプロセスを簡略化し、シグナリングを節減する。【解決手段】ネットワークにおける管理デバイスは、ネットワークスライスを管理するための、ＵＥのサービス要件リストを決定する。サービス要件リストは、ＵＥに対する少なくとも１つのサービスを含む。管理デバイスは、ネットワークスライスのサービス能力リストを含むサービス能力リストセットを決定する。サービス能力リストは、サービス能力リストに対応するネットワークスライスの識別子を含み、かつ、ネットワークスライスによってサポートされるサービスを含む。管理デバイスは、サービス要件リスト及びサービス能力リストセットに従って、ＵＥに対するサービスを提供する第１のネットワークスライスの第１の識別子を決定する。第１のネットワークスライスに対応するサービス能力リストは、サービス要件リスト内のサービスの全部または一部を含む。【選択図】図２
2020127237.tif 000002
【特許請求の範囲】
【請求項１】
サービスネットワークを選択するための方法であって、
ユーザ機器ＵＥのサービス要件リストを決定するステップであって、前記サービス要件リストは前記ＵＥによって要求される少なくとも１つのサービスを備える、ステップと、
少なくとも１つのサービスネットワークのサービス能力リストを備えるサービス能力リストセットを決定するステップであって、各サービス能力リストは、前記サービス能力リストに対応するサービスネットワークの識別子を備え、前記サービスネットワークによってサポートされる少なくとも１つのサービスを備える、ステップと、
前記サービス要件リストおよび前記サービス能力リストセットに従って、前記ＵＥにサービスを提供する第１のサービスネットワークの第１の識別子を決定するステップであって、前記第１のサービスネットワークに対応するサービス能力リストは、前記サービス要件リスト内の前記サービスの全部または一部を備える、ステップと
を備える、方法。
【請求項２】
前記サービス要件リストおよび前記サービス能力リストセットに従って、前記ＵＥにサービスを提供する第１のサービスネットワークの第１の識別子を決定する前記ステップであって、前記第１のサービスネットワークに対応するサービス能力リストは前記サービス要件リスト内の前記サービスの全部または一部を備える、前記ステップは、
前記サービス要件リストおよび前記サービス能力リストセットに従って、前記サービス要件リスト内の最大量のサービスを備え、前記サービス能力リストセット内にあるサービス能力リストに対応する識別子を、前記第１の識別子として決定するステップを備える請求項１に記載の方法。
【請求項３】
前記方法は前記ＵＥによって実行され、
少なくとも１つのサービスネットワークのサービス能力リストを備えるサービス能力リストセットを決定する前記ステップは、無線アクセスネットワークＲＡＮノードによって送信された第１の無線リソース制御ＲＲＣメッセージを、前記ＵＥにより、受信するステップであって、前記第１のＲＲＣメッセージは前記サービス能力リストセットを搬送する、ステップと、前記第１のＲＲＣメッセージに従って前記サービス能力リストセットを決定するステップとを備え、
前記方法は、第２のＲＲＣメッセージを、前記ＵＥにより、前記ＲＡＮノードに送信するステップであって、前記第２のＲＲＣメッセージは前記第１の識別子を搬送し、前記第２のＲＲＣメッセージは、前記第１のサービスネットワークが前記ＵＥにサービスを提供することを指示するために使用される、ステップをさらに備える請求項１または２に記載の方法。
【請求項４】
前記第２のＲＲＣメッセージは、前記サービス要件リストをさらに搬送して、前記ＲＡＮノードが前記サービス要件リストを前記第１のサービスネットワークに送信するようにする請求項３に記載の方法。
【請求項５】
前記方法はＲＡＮノードによって実行され、
前記ＵＥのサービス要件リストを決定する前記ステップは、前記ＵＥによって送信された第３のＲＲＣメッセージを、前記ＲＡＮノードにより、受信するステップであって、前記第３のＲＲＣメッセージは前記サービス能力リストを搬送する、ステップと、前記第３のＲＲＣメッセージに従って前記サービス能力リストを決定するステップとを備え、
少なくとも１つのサービスネットワークのサービス能力リストを備えるサービス能力リストセットを決定する前記ステップは、前記管理デバイスによって送信された前記少なくとも１つのサービスネットワークの前記サービス能力リストを、前記ＲＡＮノードにより、受信するステップ、または前記少なくとも１つのサービスネットワークによって送信された前記少なくとも１つのサービスネットワークの前記サービス能力リストを受信するステップと、前記少なくとも１つのサービスネットワークの前記サービス能力リストを備える前記サービス能力リストセットを決定するステップとを備える請求項１または２に記載の方法。
【請求項６】
前記方法は、前記サービス要件リストを搬送するメッセージを、前記ＲＡＮノードにより前記第１のサービスネットワークに送信して、前記第１のサービスネットワークが、前記サービス要件リストおよび前記第１のサービスネットワークの前記サービス能力リストに従って通知メッセージを前記ＵＥに送信するようにするステップであって、前記通知メッセージは、前記サービス要件リスト内にあって前記第１のサービスネットワークの前記サービス能力リストに含まれているサービスについて前記ＵＥに通知するために使用される、ステップをさらに備える請求項４または５に記載の方法。
【請求項７】
前記方法は、
前記管理デバイスによって送信された指示メッセージを、前記ＲＡＮノードにより、受信するステップであって、前記指示メッセージは、前記少なくとも１つのサービスネットワークの前記サービス能力リストを追加、変更、または削除するよう前記ＲＡＮノードに指示するために使用される、ステップと、
前記指示メッセージに従って前記サービス能力セット内の前記少なくとも１つのサービスネットワークの前記サービス能力リストを、前記ＲＡＮノードにより、追加、変更、または削除するステップと
をさらに備える請求項４乃至６のいずれかに記載の方法。
【請求項８】
前記サービス要件リストは、前記ＵＥによって要求される前記少なくとも１つのサービスの各々に対応する優先度をさらに備え、
前記サービス要件リストおよび前記サービス能力リストセットに従って、前記ＵＥにサービスを提供する第１のサービスネットワークの第１の識別子を決定する前記ステップは、
前記サービスに対応する優先度の降順に前記サービス要件リスト内のサービスに従って前記サービス能力リストセットを検索して、前記第１の識別子を決定するステップを備える請求項１乃至７のいずれかに記載の方法。
【請求項９】
サービスネットワークを選択するための方法であって、
管理デバイスによって送信された少なくとも１つのサービスネットワークのサービス能力リストを、無線アクセスネットワークＲＡＮノードにより、受信するステップ、または前記少なくとも１つのサービスネットワークによって送信された少なくとも１つのサービスネットワークのサービス能力リストを受信するステップであって、各サービス能力リストは、前記サービス能力リストに対応するサービスネットワークの識別子を備え、前記サービスネットワークによってサポートされる少なくとも１つのサービスを備える、ステップと、
前記ＲＡＮノードにより、第１の無線リソース制御ＲＲＣメッセージをユーザ機器ＵＥに送信するステップであって、前記第１のＲＲＣメッセージは、前記少なくとも１つのサービスネットワークの前記サービス能力リストを備えるサービス能力リストセットを搬送し、前記第１のＲＲＣメッセージは、前記サービス要件リストおよびサービス能力リストセットに従って、前記ＵＥにサービスを提供する第１のサービスネットワークの第１の識別子を決定するために前記ＵＥによって使用され、前記第１のサービスネットワークのサービス能力リストは、前記サービス要件リスト内のサービスの全部または一部を備え、前記サービス要件リストは、前記ＵＥによって要求される少なくとも１つのサービスを備える、ステップと、
前記ＵＥによって送信された第２のＲＲＣメッセージを、前記ＲＡＮノードにより、受信するステップであって、前記第２のＲＲＣメッセージは前記第１の識別子を搬送し、前記第２のＲＲＣメッセージは、前記第１のサービスネットワークが前記ＵＥにサービスを提供することを指示するために使用される、ステップと
を備える、方法。
【請求項１０】
前記第２のＲＲＣメッセージは前記サービス要件リストをさらに搬送し、
前記方法は、
前記サービス要件リストを、前記ＲＡＮノードにより、前記第１のサービスネットワークに送信して、前記第１のサービスネットワークが、前記サービス要件リストおよび前記第１のサービスネットワークの前記サービス能力リストに従って通知メッセージを前記ＵＥに送信するようにするステップであって、前記通知メッセージは、前記サービス要件リスト内にあって前記第１のサービスネットワークの前記サービス能力リストに含まれているサービスについて前記ＵＥに通知するために使用される、ステップをさらに備える請求項９に記載の方法。
【請求項１１】
前記方法は、
前記管理デバイスによって送信された指示メッセージを、前記ＲＡＮノードにより、受信するステップであって、前記指示メッセージは、前記少なくとも１つのサービスネットワークの前記サービス能力リストを追加、変更、または削除するよう前記ＲＡＮノードに指示するために使用される、ステップと、
前記指示メッセージに従って前記サービス能力セット内の前記少なくとも１つのサービスネットワークの前記サービス能力リストを、前記ＲＡＮノードにより、追加、変更、または削除するステップと
をさらに備える請求項９または１０に記載の方法。
【請求項１２】
サービスネットワークを選択するための方法であって、
ユーザ機器ＵＥにより、前記ＵＥのサービス要件リストを決定するステップであって、前記サービス要件リストは前記ＵＥによって要求される少なくとも１つのサービスを備える、ステップと、
前記ＵＥにより、無線リソース制御ＲＲＣメッセージを無線アクセスネットワークＲＡＮノードに送信するステップであって、前記ＲＲＣメッセージは前記サービス要件リストを搬送し、前記ＲＲＣメッセージは、前記サービス要件リストおよび少なくとも１つのサービスネットワークのサービス能力リストを備えるサービス能力リストセットに従って、前記ＵＥにサービスを提供する第１のサービスネットワークの第１の識別子を決定するために前記ＲＡＮノードによって使用され、前記第１のサービスネットワークのサービス能力リストは、前記サービス要件リスト内の前記サービスの全部または一部を備え、各サービス能力リストは、前記サービス能力リストに対応するサービスネットワークの識別子を備え、前記サービスネットワークによってサポートされる少なくとも１つのサービスを備える、ステップと
を備える、方法。
【請求項１３】
前記方法は、前記サービス要件リストおよび前記第１のサービスネットワークの前記サービス能力リストに従って前記第１のサービスネットワークによって前記ＵＥに送信される通知メッセージを、前記ＵＥにより、受信するステップであって、前記通知メッセージは、前記サービス要件リスト内にあって前記第１のサービスネットワークの前記サービス能力リストに含まれているサービスについて前記ＵＥに通知するために使用される、ステップをさらに備える請求項１２に記載の方法。
【請求項１４】
サービスネットワークを管理するための方法であって、
管理デバイスにより、サービスネットワークによって送信された前記サービスネットワークのサービス能力リストを受信するステップであって、前記サービス能力リストは、前記サービスネットワークの識別子および前記サービスネットワークによってサポートされる少なくとも１つのサービスを備える、ステップと、
前記管理デバイスにより、前記サービス能力リストをＲＡＮノードに送信するステップと
を備える、方法。
【請求項１５】
前記方法は、
前記管理デバイスにより、指示メッセージを生成するステップであって、前記指示メッセージは、前記サービスネットワークの前記サービス能力リストを追加、変更、または削除するよう前記ＲＡＮノードに指示するために使用される、ステップと、
前記管理デバイスにより、前記指示メッセージを前記ＲＡＮノードに送信するステップとをさらに備える請求項１４に記載の方法。
【請求項１６】
受信機、プロセッサ、および送信機を備える、サービスネットワークを選択するためのネットワークデバイスであって、前記受信機は、メッセージを受信するように構成され、前記送信機は、前記メッセージを送信するように構成され、
前記プロセッサは、ユーザ機器ＵＥのサービス要件リストを決定するように構成され、前記サービス要件リストは前記ＵＥによって要求される少なくとも１つのサービスを備え、
前記プロセッサは、少なくとも１つのサービスネットワークのサービス能力リストを備えるサービス能力リストセットを決定するようにさらに構成され、各サービス能力リストは、前記サービス能力リストに対応するサービスネットワークの識別子を備え、前記サービスネットワークによってサポートされる少なくとも１つのサービスを備え、
前記プロセッサは、前記サービス要件リストおよび前記サービス能力リストセットに従って、前記ＵＥにサービスを提供する第１のサービスネットワークの第１の識別子を決定するようにさらに構成され、前記第１のサービスネットワークに対応するサービス能力リストは、前記サービス要件リスト内の前記サービスの全部または一部を備える、ネットワークデバイス。
【請求項１７】
前記プロセッサは、前記サービス要件リストおよび前記サービス能力リストセットに従って、前記サービス要件リスト内の最大量のサービスを備え、前記サービス能力リストセット内にあるサービス能力リストに対応する識別子を、前記第１の識別子として決定するように特に構成される請求項１６に記載のネットワークデバイス。
【請求項１８】
前記ネットワークデバイスは前記ＵＥであり、
前記受信機は、前記無線アクセスネットワークＲＡＮノードによって送信された第１の無線リソース制御ＲＲＣメッセージを受信するように特に構成され、前記第１のＲＲＣメッセージは前記サービス能力リストセットを搬送し、
前記プロセッサは、前記受信機によって受信された前記第１のＲＲＣメッセージに従って前記サービス能力リストセットを決定するように特に構成され、
前記送信機は、第２のＲＲＣメッセージを前記ＲＡＮノードに送信するようにさらに特に構成され、前記第２のＲＲＣメッセージは前記第１の識別子を搬送する請求項１６または１７に記載のネットワークデバイス。
【請求項１９】
前記第２のＲＲＣメッセージは、前記サービス要件リストをさらに搬送して、前記ＲＡＮノードが前記サービス要件リストを搬送するメッセージを前記第１のサービスネットワークに送信するようにする請求項１８に記載のネットワークデバイス。
【請求項２０】
前記ネットワークデバイスはＲＡＮノードであり、
前記受信機は、前記ＵＥによって送信された第３のＲＲＣメッセージを受信するように特に構成され、前記第３のＲＲＣメッセージは前記サービス要件リストを搬送し、
前記プロセッサは、前記受信機によって受信された前記第３のＲＲＣメッセージに従って前記サービス要件リストを決定するように特に構成され、
前記受信機は、前記管理デバイスによって送信された前記少なくとも１つのサービスネットワークの前記サービス能力リストを受信するように、または前記少なくとも１つのサービスネットワークによって送信された前記少なくとも１つのサービスネットワークの前記サービス能力リストを受信するようにさらに特に構成され、
前記プロセッサは、前記少なくとも１つのサービスネットワークの前記サービス能力リストを備える前記サービス能力リストセットを決定するようにさらに特に構成される請求項１６または１７に記載のネットワークデバイス。
【請求項２１】
前記送信機は、前記サービス要件リストを搬送するメッセージを、前記第１のサービスネットワークに送信するように特に構成されて、前記第１のサービスネットワークが、前記サービス要件リストおよび前記第１のサービスネットワークの前記サービス能力リストに従って通知メッセージを前記ＵＥに送信するようにし、前記通知メッセージは、前記サービス要件リスト内にあって前記第１のサービスネットワークの前記サービス能力リストに含まれているサービスについて前記ＵＥに通知するために使用される請求項２０に記載のネットワークデバイス。
【請求項２２】
前記受信機は、前記管理デバイスによって送信された指示メッセージを受信するようにさらに構成され、前記指示メッセージは、前記少なくとも１つのサービスネットワークの前記サービス能力リストを追加、変更、または削除するよう前記ＲＡＮノードに指示するために使用され、
前記プロセッサは、前記指示メッセージに従って前記サービス能力セット内の前記少なくとも１つのサービスネットワークの前記サービス能力リストを、追加、変更、または削除するようにさらに構成される請求項１９乃至２１のいずれかに記載のネットワークデバイス。
【請求項２３】
前記サービス要件リストは、前記ＵＥによって要求される前記少なくとも１つのサービスの各々に対応する優先度をさらに備え、
前記プロセッサは、前記サービスに対応する優先度の降順に前記サービス要件リスト内のサービスに従って前記サービス能力リストセットを検索して、前記第１の識別子を決定するように特に構成される請求項１６乃至２２のいずれかに記載のネットワークデバイス。
【請求項２４】
送信機および受信機を備える、サービスネットワークを選択するための無線アクセスネットワークＲＡＮノードであって、
前記受信機は、管理デバイスによって送信された少なくとも１つのサービスネットワークのサービス能力リストを受信するか、または少なくとも１つのサービスネットワークによって送信された前記少なくとも１つのサービスネットワークのサービス能力リストを受信するように構成され、各サービス能力リストは、前記サービス能力リストに対応するサービスネットワークの識別子を備え、前記サービスネットワークによってサポートされる少なくとも１つのサービスを備え、
前記送信機は、第１の無線リソース制御ＲＲＣメッセージをユーザ機器ＵＥに送信するように構成され、前記第１のＲＲＣメッセージは、前記少なくとも１つのサービスネットワークの前記サービス能力リストを備えるサービス能力リストセットを搬送し、前記第１のＲＲＣメッセージは、前記サービス要件リストおよび前記サービス能力リストセットに従って、前記ＵＥにサービスを提供する第１のサービスネットワークの第１の識別子を決定するために前記ＵＥによって使用され、前記第１のサービスネットワークのサービス能力リストは、前記サービス要件リスト内のサービスの全部または一部を備え、前記サービス要件リストは、前記ＵＥによって要求される少なくとも１つのサービスを備え、
前記受信機は、前記ＵＥによって送信された第２のＲＲＣメッセージを受信するように構成され、前記第２のＲＲＣメッセージは前記第１の識別子を搬送し、前記第２のＲＲＣメッセージは、前記第１のサービスネットワークが前記ＵＥにサービスを提供することを指示するために使用される、ＲＡＮノード。
【請求項２５】
前記第２のＲＲＣメッセージは前記サービス要件リストをさらに搬送し、
前記送信機は、前記サービス要件リストを前記第１のサービスネットワークに送信するようにさらに構成され、前記第１のサービスネットワークが、前記サービス要件リストおよび前記第１のサービスネットワークの前記サービス能力リストに従って通知メッセージを前記ＵＥに送信するようにし、前記通知メッセージは、前記サービス要件リスト内にあって前記第１のサービスネットワークの前記サービス能力リストに含まれているサービスについて前記ＵＥに通知するために使用される請求項２４に記載のＲＡＮノード。
【請求項２６】
前記受信機は、前記管理デバイスによって送信された指示メッセージを受信するようにさらに構成され、前記指示メッセージは、前記少なくとも１つのサービスネットワークの前記サービス能力リストを追加、変更、または削除するよう前記ＲＡＮノードに指示するために使用され、
前記ＲＡＮノードは、前記指示メッセージに従って前記サービス能力セット内の前記少なくとも１つのサービスネットワークの前記サービス能力リストを、追加、変更、または削除するように構成されたプロセッサをさらに備える請求項２４または２５に記載のＲＡＮノード。
【請求項２７】
プロセッサおよび送信機を含む、サービスネットワークを選択するためのユーザ機器ＵＥであって、
前記プロセッサは、前記ＵＥのサービス要件リストを決定するように構成され、前記サービス要件リストは前記ＵＥによって要求される少なくとも１つのサービスを備え、
前記送信機は、無線リソース制御ＲＲＣメッセージを無線アクセスネットワークＲＡＮノードに送信するように構成され、前記ＲＲＣメッセージはサービス要件リストを搬送し、前記ＲＲＣメッセージは、前記サービス要件リストおよび少なくとも１つのサービスネットワークのサービス能力リストを備えるサービス能力リストセットに従って、前記ＵＥにサービスを提供する第１のサービスネットワークの第１の識別子を決定するために前記ＲＡＮノードによって使用され、前記第１のサービスネットワークのサービス能力リストは、前記サービス要件リスト内の前記サービスの全部または一部を備え、各サービス能力リストは、前記サービス能力リストに対応するサービスネットワークの識別子を備え、前記サービスネットワークによってサポートされる少なくとも１つのサービスを備える、ＵＥ。
【請求項２８】
前記ＵＥは、前記サービス要件リストおよび前記第１のサービスネットワークの前記サービス能力リストに従って前記第１のサービスネットワークによって前記ＵＥに送信される通知メッセージを受信するように構成された受信機をさらに備え、前記通知メッセージは、前記サービス要件リスト内にあって前記第１のサービスネットワークの前記サービス能力リストに含まれているサービスについて前記ＵＥに通知するために使用される請求項２７に記載のＵＥ。
【請求項２９】
受信機および送信機を備える管理デバイスであって、
前記受信機は、サービスネットワークによって送信された前記サービスネットワークのサービス能力リストを受信するように構成され、前記サービス能力リストは、前記サービスネットワークの識別子および前記サービスネットワークによってサポートされる少なくとも１つのサービスを備え、
前記送信機は、前記サービス能力リストをＲＡＮノードに送信するように構成される、管理デバイス。
【請求項３０】
前記管理デバイスは、指示メッセージを生成するように構成されたプロセッサをさらに備え、前記指示メッセージは、前記サービスネットワークの前記サービス能力リストを追加、変更、または削除するよう前記ＲＡＮノードに指示するために使用され、
前記送信機は、前記指示メッセージを前記ＲＡＮノードに送信するようにさらに構成される請求項２９に記載の管理デバイス。
【発明の詳細な説明】
【技術分野】
【０００１】
本発明は、移動体通信の分野に関し、より詳細には、サービスネットワークを選択するための、方法、ネットワークデバイス、無線アクセスネットワーク（Radio Access Network、RAN）ノード、およびユーザ機器、ならびに管理デバイスに関する。
【背景技術】
【０００２】
現在、進化型パケットコア（Evolved Packet Core、EPC）において、専用コア（Dedicated Core、DECOR）ネットワークが動的に変化する場合、たとえばＤＥＣＯＲがサービス休止中である場合に、ＤＥＣＯＲに対応するユーザ機器（User Equipment、UE）は、別のＤＥＣＯＲに移行される必要がある、つまり対応するＤＥＣＯＲはＵＥに対して再選択される。
【０００３】
既存のＤＥＣＯＲネットワーク選択技術において、対応するＤＥＣＯＲは主として、再配置の概念に基づいてＵＥに対して選択される。ネットワーク選択技術の具体的なステップは以下のとおりである。
【０００４】
（１）  ＤＥＣＯＲが動的に変化する場合、たとえばネットワークが新しいＤＥＣＯＲを生成するか、またはＤＥＣＯＲがサービス休止中である場合に、ホーム加入者サーバ（Home Subscriber Server、HSS）は、サブスクリプションデータ手順を開始して、モビリティ管理エンティティ（Mobility Management Entity、MME）に格納されているＵＥサブスクリプションデータを更新し、ＭＭＥは肯定応答メッセージをＨＳＳに送信する。
【０００５】
（２）  ＵＥがアイドル状態である場合、ＭＭＥは、ページング手順を開始して、ＭＭＥとＵＥの間のチャネルを復元する必要がある。
【０００６】
（３）  ＵＥが接続状態にある場合、ＭＭＥは、グローバル一意一時ＵＥ識別（Globally Unique Temporary UE Identity、GUTI）再配置手順を開始して、無線リソースを解放し、ＵＥがトラッキングエリア更新（Tracking Area Update、TAU）要求手順を開始するようにする。
【０００７】
（４）  ＵＥが、元のＤＥＣＯＲにアクセスするためにＴＡＵ要求手順を開始する場合、ユーザのサブスクリプションデータが更新されているので、元のＤＥＣＯＲがＵＥへのサービス提供を続行するのに不適切であることが決定され、元のＤＥＣＯＲは、更新されたサブスクリプションデータに従って、ＵＥに適切な新しいＤＥＣＯＲを見出し、次いで元のＤＥＣＯＲは、再ガイダンス手順を開始して、ＵＥの要求を新しいＤＥＣＯＲに再送信するようＲＡＮノードに指示する。
【０００８】
（５）  新しいＤＥＣＯＲは、ＵＥのアクセス要求を受諾し、ＵＥにサービスを提供して、ＵＥの移行プロセスが実施されるようにする。
【０００９】
サービスネットワーク選択技術は、以下のような問題を有している。移行される必要のあるＵＥが、元のＤＥＣＯＲに登録されているＵＥを新しいＤＥＣＯＲに移行するために、ＴＡＵリダイレクション手順および再ガイダンス手順を実行する場合、シグナリングストームが容易に引き起こされ、加えて、ＵＥを別のＤＥＣＯＲに移行するために、ＨＳＳは、サブスクリプションデータ更新手順を開始して、ＤＥＣＯＲに現在登録されているすべてのＵＥのサブスクリプションデータを更新する必要がある。ＨＳＳにとって、シグナリング負荷は、過剰に重いものである。
【発明の概要】
【００１０】
本発明は、サービスネットワークを選択するための方法、無線アクセスネットワークノード、およびユーザ機器を提供して、サービスネットワークが動的に変化する場合にサービスネットワークを選択するプロセスが簡略化されることができるように、およびシグナリングが節減されることができるようにする。
【００１１】
第１の態様によれば、サービスネットワークを選択するための方法が提供され、方法は、ＵＥのサービス要件リストを決定するステップであって、サービス要件リストはＵＥによって要求される少なくとも１つのサービスを含む、ステップと、少なくとも１つのサービスネットワークのサービス能力リストを含むサービス能力リストセットを決定するステップであって、各サービス能力リストは、サービス能力リストに対応するサービスネットワークの識別子を含み、サービスネットワークによってサポートされる少なくとも１つのサービスを含む、ステップと、サービス要件リストおよびサービス能力リストセットに従って、ＵＥにサービスを提供する第１のサービスネットワークの第１の識別子を決定するステップであって、第１のサービスネットワークに対応するサービス能力リストは、サービス要件リスト内のサービスの全部または一部を含む、ステップとを含む。
【００１２】
第１の態様を参照すると、第１の可能な実施態様において、サービス要件リストおよびサービス能力リストセットに従って、ＵＥにサービスを提供する第１のサービスネットワークの第１の識別子を決定するステップであって、第１のサービスネットワークに対応するサービス能力リストは、サービス要件リスト内のサービスの全部または一部を含む、ステップは、サービス要件リストおよびサービス能力リストセットに従って、サービス要件リスト内の最大量のサービスを含み、サービス能力リストセット内にあるサービス能力リストに対応する識別子を、第１の識別子として決定するステップを含む。
【００１３】
第１の態様または第１の可能な実施態様を参照して、第２の可能な実施態様において、方法は、ＵＥによって実行され、少なくとも１つのサービスネットワークのサービス能力リストを含むサービス能力リストセットを決定するステップは、ＲＡＮノードによって送信された第１のＲＲＣメッセージを、ＵＥにより、受信するステップであって、第１のＲＲＣメッセージはサービス能力リストセットを搬送する、ステップと、第１のＲＲＣメッセージに従ってサービス能力リストセットを決定するステップとを含み、方法は、第２のＲＲＣメッセージを、ＵＥにより、ＲＡＮノードに送信するステップであって、第２のＲＲＣメッセージは第１の識別子を搬送し、第２のＲＲＣメッセージは、第１のサービスネットワークがＵＥにサービスを提供することを指示するために使用される、ステップをさらに含む。
【００１４】
第２の可能な実施態様を参照して、第３の可能な実施態様において、第２のＲＲＣメッセージは、サービス要件リストをさらに搬送して、ＲＡＮノードがサービス要件リストを第１のサービスネットワークに送信するようにする。
【００１５】
第１の態様または第１の可能な実施態様を参照して、第４の可能な実施態様において、方法は、ＲＡＮノードによって実行され、ＵＥのサービス要件リストを決定するステップは、ＵＥによって送信された第３のＲＲＣメッセージを、ＲＡＮノードにより、受信するステップであって、第３のＲＲＣメッセージはサービス能力リストを搬送する、ステップと、第３のＲＲＣメッセージに従ってサービス能力リストを決定するステップとを含み、少なくとも１つのサービスネットワークのサービス能力リストを含むサービス能力リストセットを決定するステップは、管理デバイスによって送信された少なくとも１つのサービスネットワークのサービス能力リストを、ＲＡＮノードにより、受信するステップ、または少なくとも１つのサービスネットワークによって送信された少なくとも１つのサービスネットワークのサービス能力リストを受信するステップと、少なくとも１つのサービスネットワークのサービス能力リストを含むサービス能力リストセットを決定するステップとを含む。
【００１６】
第３の可能な実施態様または第４の可能な実施態様を参照して、第５の可能な実施態様において、方法は、サービス要件リストおよび第１の識別子を搬送するメッセージを、ＲＡＮノードにより、第１のサービスネットワークに送信して、第１のサービスネットワークが、サービス要件リストおよび第１のサービスネットワークのサービス能力リストに従って通知メッセージをＵＥに送信するようにするステップであって、通知メッセージは、サービス要件リスト内にあって第１のサービスネットワークのサービス能力リストに含まれているサービスについてＵＥに通知するために使用される、ステップをさらに含む。
【００１７】
第３から第５の可能な実施態様のいずれか一つを参照して、第６の可能な実施態様において、方法は、管理デバイスによって送信された指示メッセージを、ＲＡＮノードにより、受信するステップであって、指示メッセージは、少なくとも１つのサービスネットワークのサービス能力リストを追加、変更、または削除するようＲＡＮノードに指示するために使用される、ステップと、指示メッセージに従ってサービス能力セット内の少なくとも１つのサービスネットワークのサービス能力リストを、ＲＡＮノードにより、追加、変更、または削除するステップとをさらに含む。
【００１８】
第１の態様、または第１から第６の可能な実施態様のいずれか一つを参照して、第７の可能な実施態様において、サービス要件リストは、サービスに対応する優先度をさらに含み、サービス要件リストおよびサービス能力リストセットに従って、ＵＥにサービスを提供する第１のサービスネットワークの第１の識別子を決定するステップは、サービスに対応する優先度の降順にサービス要件リスト内のサービスに従ってサービス能力リストセットを検索して、ＵＥにサービスを提供する第１のサービスネットワークの第１の識別子を決定するステップを含む。
【００１９】
第２の態様によれば、サービスネットワークを選択するための方法が提供され、方法は、管理デバイスによって送信された少なくとも１つのサービスネットワークのサービス能力リストを、ＲＡＮノードにより、受信するステップ、または少なくとも１つのサービスネットワークによって送信された少なくとも１つのサービスネットワークのサービス能力リストを受信するステップであって、各サービス能力リストは、サービス能力リストに対応するサービスネットワークの識別子を含み、サービスネットワークによってサポートされる少なくとも１つのサービスを含む、ステップと、ＲＡＮノードにより、第１のＲＲＣメッセージをＵＥに送信するステップであって、第１のＲＲＣメッセージは、少なくとも１つのサービスネットワークのサービス能力リストを含むサービス能力リストセットを搬送し、第１のＲＲＣメッセージは、ＵＥのサービス要件リストおよびサービス能力リストセットに従って、ＵＥにサービスを提供する第１のサービスネットワークの第１の識別子を決定するためにＵＥによって使用され、第１のサービスネットワークのサービス能力リストは、サービス要件リスト内のサービスの全部または一部を含み、サービス要件リストは、ＵＥによって要求される少なくとも１つのサービスを含む、ステップと、ＵＥによって送信された第２のＲＲＣメッセージを、ＲＡＮノードにより、受信するステップであって、第２のＲＲＣメッセージは少なくとも１つのサービスネットワーク内の第１のサービスネットワークの第１の識別子を搬送し、第２のＲＲＣメッセージは、第１のサービスネットワークがＵＥにサービスを提供することを指示するために使用される、ステップとを含む。
【００２０】
第２の態様を参照して、第１の可能な実施態様において、第２のＲＲＣメッセージはサービス要件リストをさらに搬送し、方法は、サービス要件リストを、ＲＡＮノードにより、第１のサービスネットワークに送信して、第１のサービスネットワークが、サービス要件リストおよびサービスネットワークのサービス能力リストに従って通知メッセージをＵＥに送信するようにするステップであって、通知メッセージは、サービス要件リスト内にあって第１のサービスネットワークのサービス能力リストに含まれているサービスについてＵＥに通知するために使用される、ステップをさらに含む。
【００２１】
第２の態様または第１の可能な実施態様を参照して、第２の可能な実施態様において、ＲＡＮノードは、管理デバイスによって送信された指示メッセージを受信するようにさらに構成され、指示メッセージは、少なくとも１つのサービスネットワークのサービス能力リストを追加、変更、または削除するようＲＡＮノードに指示するために使用され、ＲＡＮノードは、指示メッセージに従ってサービス能力セット内の少なくとも１つのサービスネットワークのサービス能力リストを、追加、変更、または削除するようにさらに構成される。
【００２２】
第３の態様によれば、サービスネットワークを選択するための方法が提供され、方法は、ＵＥのサービス要件リストを、ＵＥによって、決定するステップであって、サービス要件リストはＵＥによって要求される少なくとも１つのサービスを含む、ステップと、ＵＥにより、ＲＲＣメッセージをＲＡＮノードに送信するステップであって、ＲＲＣメッセージはサービス要件リストを搬送し、ＲＲＣメッセージは、サービス要件リストおよび少なくとも１つのサービスネットワークのサービス能力リストを含むサービス能力リストセットに従って、ＵＥにサービスを提供する第１のサービスネットワークの第１の識別子を決定するためにＲＡＮノードによって使用され、第１のサービスネットワークのサービス能力リストは、サービス要件リスト内のサービスの全部または一部を含み、各サービス能力リストは、サービス能力リストに対応するサービスネットワークの識別子を含み、サービスネットワークによってサポートされる少なくとも１つのサービスを含む、ステップとを含む。
【００２３】
第３の態様を参照すると、第１の可能な実施態様において、方法は、サービス要件リストおよび第１のサービスネットワークのサービス能力リストに従って第１のサービスネットワークによってＵＥに送信される通知メッセージを、ＵＥにより、受信するステップであって、通知メッセージは、サービス要件リスト内にあって第１のサービスネットワークのサービス能力リストに含まれているサービスについてＵＥに通知するために使用される、ステップをさらに含む。
【００２４】
第４の態様によれば、サービスネットワークを管理するための方法が提供され、方法は、サービスネットワークによって送信されたサービスネットワークのサービス能力リストを、管理デバイスにより、受信するステップであって、サービス能力リストは、サービスネットワークの識別子およびサービスネットワークによってサポートされる少なくとも１つのサービスを含む、ステップと、管理デバイスにより、サービス能力リストをＲＡＮノードに送信するステップとを含む。
【００２５】
第４の態様を参照して、第１の可能な実施方法において、方法は、管理デバイスにより、指示メッセージを生成するステップであって、指示メッセージは、サービスネットワークのサービス能力リストを追加、変更、または削除するようＲＡＮノードに指示するために使用される、ステップと、管理デバイスにより、指示メッセージをＲＡＮノードに送信するステップとをさらに含む。
【００２６】
第５の態様によれば、サービスネットワークを選択するためのネットワークデバイスが提供され、ネットワークデバイスは、受信機と、プロセッサと、送信機とを含み、受信機はメッセージを受信するように構成され、送信機はメッセージを送信するように構成され、プロセッサは、ユーザ機器ＵＥのサービス要件リストを決定するように構成され、サービス要件リストはＵＥによって要求される少なくとも１つのサービスを含み、プロセッサは、少なくとも１つのサービスネットワークのサービス能力リストを含むサービス能力リストセットを決定するようにさらに構成され、各サービス能力リストは、サービス能力リストに対応するサービスネットワークの識別子を含み、サービスネットワークによってサポートされる少なくとも１つのサービスを含み、プロセッサは、サービス要件リストおよびサービス能力リストセットに従って、ＵＥにサービスを提供する第１のサービスネットワークの第１の識別子を決定するようにさらに構成され、第１のサービスネットワークに対応するサービス能力リストは、サービス要件リスト内のサービスの全部または一部を含む。
【００２７】
第５の態様を参照して、第１の可能な実施態様において、プロセッサは、サービス要件リストおよびサービス能力リストセットに従って、サービス要件リスト内の最大量のサービスを含み、サービス能力リストセット内にあるサービス能力リストに対応する識別子を、第１の識別子として決定するように特に構成される。
【００２８】
第５の態様または第１の可能な実施態様を参照して、第２の可能な実施形態において、ネットワークデバイスは、ＵＥであり、受信機は、ＲＡＮノードによって送信された第１のＲＲＣメッセージを受信するように構成され、第１のＲＲＣメッセージはサービス能力リストセットを搬送し、プロセッサは、受信機によって受信された第１のＲＲＣメッセージに従ってサービス能力リストセットを決定するように特に構成され、送信機は、第２のＲＲＣメッセージをＲＡＮノードに送信するように構成され、第２のＲＲＣメッセージは第１の識別子を搬送する。
【００２９】
第２の可能な実施態様を参照して、第３の可能な実施態様において、第２のＲＲＣメッセージは、サービス要件リストをさらに搬送して、ＲＡＮノードがサービス要件リストを搬送するメッセージを第１のサービスネットワークに送信するようにする。
【００３０】
第５の態様または第１の可能な実施態様を参照して、第４の可能な実施態様において、ネットワークデバイスは、ＲＡＮノードであり、受信機は、ＵＥによって送信された第３のＲＲＣメッセージを受信するように構成され、第３のＲＲＣメッセージはサービス要件リストを搬送し、プロセッサは、受信機によって受信された第３のＲＲＣメッセージに従ってサービス要件リストを決定するように特に構成され、受信機は、管理デバイスによって送信されたサービスネットワークのサービス能力リストを受信するように、または少なくとも１つのサービスネットワークによって送信された少なくとも１つのサービスネットワークのサービス能力リストを受信するようにさらに構成され、プロセッサは、少なくとも１つのサービスネットワークのサービス能力リストを含むサービス能力リストセットを決定するようにさらに特に構成される。
【００３１】
第３の可能な実施態様または第４の可能な実施態様を参照して、第５の可能な実施態様において、送信機は、サービス要件リストを搬送するメッセージを、第１のサービスネットワークに送信するように構成されて、第１のサービスネットワークが、サービス要件リストおよび第１のサービスネットワークのサービス能力リストに従って通知メッセージをＵＥに送信するようにし、通知メッセージは、サービス要件リスト内にあって第１のサービスネットワークのサービス能力リストに含まれているサービスについてＵＥに通知するために使用される。
【００３２】
第３から第５の可能な実施態様のいずれか一つを参照して、第６の可能な実施態様において、受信機は、管理デバイスによって送信された指示メッセージを受信するようにさらに構成され、指示メッセージは、少なくとも１つのサービスネットワークのサービス能力リストを追加、変更、または削除するようＲＡＮノードに指示するために使用され、プロセッサは、指示メッセージに従ってサービス能力セット内の少なくとも１つのサービスネットワークのサービス能力リストを、追加、変更、または削除するようにさらに構成される。
【００３３】
第５の態様、または第１から第６の可能な実施態様のいずれか一つを参照して、第７の可能な実施態様において、サービス要件リストは、ＵＥによって要求される少なくとも１つのサービスの各々に対応する優先度をさらに含み、プロセッサは、サービスに対応する優先度の降順にサービス要件リスト内のサービスに従ってサービス能力リストセットを検索して、ＵＥにサービスを提供する第１のサービスネットワークの第１の識別子を決定するように特別に構成される。
【００３４】
第６の態様によれば、送信機および受信機を含む、サービスネットワークを選択するためのＲＡＮノードが提供され、受信機は、管理デバイスによって送信された少なくとも１つのサービスネットワークのサービス能力リストを受信するように、または少なくとも１つのサービスネットワークによって送信された少なくとも１つのサービスネットワークのサービス能力リストを受信するように構成され、各サービス能力リストは、サービス能力リストに対応するサービスネットワークの識別子を含み、サービスネットワークによってサポートされる少なくとも１つのサービスを含み、送信機は、第１のＲＲＣメッセージをＵＥに送信するように構成され、第１のＲＲＣメッセージは、少なくとも１つのサービスネットワークのサービス能力リストを含むサービス能力リストセットを搬送し、第１のＲＲＣメッセージは、ＵＥのサービス要件リストに従って、サービス能力リストセットからＵＥにサービスを提供する第１のサービスネットワークの第１の識別子を決定するためにＵＥによって使用され、第１のサービスネットワークのサービス能力リストは、サービス要件リスト内のサービスの全部または一部を含み、サービス要件リストは、ＵＥによって要求される少なくとも１つのサービスを含み、受信機は、ＵＥによって送信された第２のＲＲＣメッセージを受信するように構成され、第２のＲＲＣメッセージは少なくとも１つのサービスネットワーク内の第１のサービスネットワークの第１の識別子を搬送し、第２のＲＲＣメッセージは、第１のサービスネットワークがＵＥにサービスを提供することを指示するために使用される。
【００３５】
第６の態様を参照して、第１の可能な実施態様において、第２のＲＲＣメッセージはサービス要件リストをさらに搬送し、送信機は、サービス要件リストを第１のサービスネットワークに送信するようにさらに構成され、第１のサービスネットワークが、サービス要件リストおよびサービスネットワークのサービス能力リストに従って通知メッセージをＵＥに送信するようにし、通知メッセージは、サービス要件リスト内にあって第１のサービスネットワークのサービス能力リストに含まれているサービスについてＵＥに通知するために使用される。
【００３６】
第６の態様または第１の可能な実施態様を参照して、第２の可能な実施態様において、受信機は、管理デバイスによって送信された指示メッセージを受信するようにさらに構成され、指示メッセージは、少なくとも１つのサービスネットワークのサービス能力リストを追加、変更、または削除するようＲＡＮノードに指示するために使用され、ＲＡＮノードは、指示メッセージに従ってサービス能力セット内の少なくとも１つのサービスネットワークのサービス能力リストを、追加、変更、または削除するように構成されたプロセッサをさらに含む。
【００３７】
第７の態様によれば、プロセッサおよび送信機を含む、サービスネットワークを選択するためのユーザ機器ＵＥが提供され、プロセッサは、ＵＥのサービス要件リストを決定するように構成され、サービス要件リストはＵＥによって要求される少なくとも１つのサービスを含み、送信機は、ＲＲＣメッセージをＲＡＮノードに送信するように構成され、ＲＲＣメッセージはサービス要件リストを搬送し、ＲＲＣメッセージは、サービス要件リストおよび少なくとも１つのサービスネットワークのサービス能力リストを含むサービス能力リストセットに従って、ＵＥにサービスを提供する第１のサービスネットワークの第１の識別子を決定するためにＲＡＮノードによって使用され、第１のサービスネットワークのサービス能力リストは、サービス要件リスト内のサービスの全部または一部を含み、各サービス能力リストは、サービス能力リストに対応するサービスネットワークの識別子を含み、サービスネットワークによってサポートされる少なくとも１つのサービスを含む。
【００３８】
第７の態様を参照して、第１の可能な実施態様において、ＵＥは、サービス要件リストおよび第１のサービスネットワークのサービス能力リストに従って第１のサービスネットワークによってＵＥに送信される通知メッセージを受信するように構成された受信機をさらに含み、通知メッセージは、サービス要件リスト内にあって第１のサービスネットワークのサービス能力リストに含まれているサービスについてＵＥに通知するために使用される。
【００３９】
第８の態様によれば、受信機および送信機を含む管理デバイスが提供され、受信機は、サービスネットワークによって送信されたサービスネットワークのサービス能力リストを受信するように構成され、サービス能力リストは、サービスネットワークの識別子およびサービスネットワークによってサポートされる少なくとも１つのサービスを含み、送信機は、サービス能力リストをＲＡＮノードに送信するように構成される。
【００４０】
第８の態様を参照して、第１の可能な実施態様において、管理デバイスは、指示メッセージを生成するように構成されたプロセッサをさらに含み、指示メッセージは、サービスネットワークのサービス能力リストを追加、変更、または削除するようＲＡＮノードに指示するために使用され、送信機は、指示メッセージをＲＡＮノードに送信するようにさらに構成される。
【００４１】
第９の態様によれば、処理モジュールを含む、サービスネットワークを選択するためのネットワークデバイスが提供され、処理モジュールは、ユーザ機器ＵＥのサービス要件リストを決定するように構成され、サービス要件リストはＵＥによって要求される少なくとも１つのサービスを含み、処理モジュールは、少なくとも１つのサービスネットワークのサービス能力リストを含むサービス能力リストセットを決定するようにさらに構成され、各サービス能力リストは、サービス能力リストに対応するサービスネットワークの識別子を含み、サービスネットワークによってサポートされる少なくとも１つのサービスを含み、処理モジュールは、サービス要件リストおよびサービス能力リストセットに従って、ＵＥにサービスを提供する第１のサービスネットワークの第１の識別子を決定するようにさらに構成され、第１のサービスネットワークに対応するサービス能力リストは、サービス要件リスト内のサービスの全部または一部を含む。
【００４２】
第９の態様を参照して、第１の可能な実施態様において、処理モジュールは、サービス要件リストおよびサービス能力リストセットに従って、サービス要件リスト内の最大量のサービスを含み、第１の識別子としてサービス能力リストセット内にあるサービス能力リストに対応する識別子を、第１の識別子として決定するように特に構成される。
【００４３】
第９の態様または第１の可能な実施態様を参照して、第２の可能な実施態様において、ネットワークデバイスはＵＥであり、ＵＥは、受信モジュールおよび送信モジュールをさらに含み、受信モジュールは、ＲＡＮノードによって送信された第１のＲＲＣメッセージを受信するように構成され、第１のＲＲＣメッセージはサービス能力リストセットを搬送し、処理モジュールは、受信機によって受信された第１のＲＲＣメッセージに従ってサービス能力リストセットを決定するように特に構成され、送信モジュールは、第２のＲＲＣメッセージをＲＡＮノードに送信するように構成され、第２のＲＲＣメッセージは第１の識別子を搬送する。
【００４４】
第２の可能な実施態様を参照して、第３の可能な実施態様において、第２のＲＲＣメッセージは、サービス要件リストをさらに搬送して、ＲＡＮノードがサービス要件リストを搬送するメッセージを第１のサービスネットワークに送信するようにする。
【００４５】
第９の態様または第１の可能な実施態様を参照して、第４の可能な実施態様において、ネットワークデバイスはＲＡＮノードであり、ＲＡＮノードは、受信モジュールをさらに含み、受信モジュールは、ＵＥによって送信された第３のＲＲＣメッセージを受信するように構成され、第３のＲＲＣメッセージはサービス要件リストを搬送し、処理モジュールは、受信モジュールによって受信された第３のＲＲＣメッセージに従ってサービス要件リストを決定するように特に構成され、受信モジュールは、管理デバイスによって送信されたサービスネットワークのサービス能力リストを受信するように、または少なくとも１つのサービスネットワークによって送信された少なくとも１つのサービスネットワークのサービス能力リストを受信するようにさらに構成され、処理モジュールは、少なくとも１つのサービスネットワークのサービス能力リストを含むサービス能力リストセットを決定するようにさらに特に構成される。
【００４６】
第３の可能な実施態様または第４の可能な実施態様を参照して、第５の可能な実施態様において、ＲＡＮノードは、サービス要件リストを搬送するメッセージを、第１のサービスネットワークに送信するように構成されて、第１のサービスネットワークが、サービス要件リストおよび第１のサービスネットワークのサービス能力リストに従って通知メッセージをＵＥに送信するようにする送信モジュールをさらに含み、通知メッセージは、サービス要件リスト内にあって第１のサービスネットワークのサービス能力リストに含まれているサービスについてＵＥに通知するために使用される。
【００４７】
第３から第５の可能な実施態様のいずれか一つを参照して、第６の可能な実施態様において、受信モジュールは、管理デバイスによって送信された指示メッセージを受信するようにさらに構成され、指示メッセージは、少なくとも１つのサービスネットワークのサービス能力リストを追加、変更、または削除するようＲＡＮノードに指示するために使用され、処理モジュールは、指示メッセージに従ってサービス能力セット内の少なくとも１つのサービスネットワークのサービス能力リストを、追加、変更、または削除するようにさらに構成される。
【００４８】
第９の態様、または第１から第６の可能な実施態様のいずれか一つを参照して、第７の可能な実施態様において、サービス要件リストは、ＵＥによって要求される少なくとも１つのサービスの各々に対応する優先度をさらに含み、プロセッサは、サービスに対応する優先度の降順にサービス要件リスト内のサービスに従ってサービス能力リストセットを検索して、ＵＥにサービスを提供する第１のサービスネットワークの第１の識別子を決定するように特に構成される。
【００４９】
第１０の態様によれば、送信モジュールおよび受信モジュールを含む、サービスネットワークを選択するためのＲＡＮノードが提供され、受信モジュールは、管理デバイスによって送信された少なくとも１つのサービスネットワークのサービス能力リストを受信するように、または少なくとも１つのサービスネットワークによって送信された少なくとも１つのサービスネットワークのサービス能力リストを受信するように構成され、各サービス能力リストは、サービス能力リストに対応するサービスネットワークの識別子を含み、サービスネットワークによってサポートされる少なくとも１つのサービスを含み、送信モジュールは、第１のＲＲＣメッセージをユーザ機器ＵＥに送信するように構成され、第１のＲＲＣメッセージは、少なくとも１つのサービスネットワークのサービス能力リストを含むサービス能力リストセットを搬送し、第１のＲＲＣメッセージは、ＵＥのサービス要件リストおよびサービス能力リストセットに従って、ＵＥにサービスを提供する第１のサービスネットワークの第１の識別子を決定するためにＵＥによって使用され、第１のサービスネットワークのサービス能力リストは、サービス要件リスト内のサービスの全部または一部を含み、サービス要件リストは、ＵＥによって要求される少なくとも１つのサービスを含み、受信モジュールは、ＵＥによって送信された第２のＲＲＣメッセージを受信するように構成され、第２のＲＲＣメッセージは少なくとも１つのサービスネットワーク内の第１のサービスネットワークの第１の識別子を搬送し、第２のＲＲＣメッセージは、第１のサービスネットワークがＵＥにサービスを提供することを指示するために使用される。
【００５０】
第１０の態様を参照して、第１の可能な実施態様において、第２のＲＲＣメッセージはサービス要件リストをさらに搬送し、送信モジュールは、サービス要件リストを第１のサービスネットワークに送信するようにさらに構成され、第１のサービスネットワークが、サービス要件リストおよびサービスネットワークのサービス能力リストに従って通知メッセージをＵＥに送信するようにし、通知メッセージは、サービス要件リスト内にあって第１のサービスネットワークのサービス能力リストに含まれているサービスについてＵＥに通知するために使用される。
【００５１】
第１０の態様または第１の可能な実施態様を参照して、第２の可能な実施態様において、受信モジュールは、管理デバイスによって送信された指示メッセージを受信するようにさらに構成され、指示メッセージは、少なくとも１つのサービスネットワークのサービス能力リストを追加、変更、または削除するようＲＡＮノードに指示するために使用され、ＲＡＮノードは、指示メッセージに従ってサービス能力セット内の少なくとも１つのサービスネットワークのサービス能力リストを、追加、変更、または削除するように構成された処理モジュールをさらに含む。
【００５２】
第１１の態様によれば、処理モジュールおよび送信モジュールを含む、サービスネットワークを選択するためのＵＥが提供され、処理モジュールは、ＵＥのサービス要件リストを決定するように構成され、サービス要件リストはＵＥによって要求される少なくとも１つのサービスを含み、送信モジュールは、ＲＲＣメッセージをＲＡＮノードに送信するように構成され、ＲＲＣメッセージはサービス要件リストを搬送し、ＲＲＣメッセージは、少なくとも１つのサービスネットワークのサービス能力リストを含むサービス能力リストセットからのサービス要件リストに従って、ＵＥにサービスを提供する第１のサービスネットワークの第１の識別子を決定するためにＲＡＮノードによって使用され、第１のサービスネットワークのサービス能力リストは、サービス要件リスト内のサービスの全部または一部を含み、各サービス能力リストは、サービス能力リストに対応するサービスネットワークの識別子を含み、サービスネットワークによってサポートされる少なくとも１つのサービスを含む。
【００５３】
第１１の態様を参照して、第１の可能な実施態様において、ＵＥは、サービス要件リストおよび第１のサービスネットワークのサービス能力リストに従って第１のサービスネットワークによってＵＥに送信される通知メッセージを受信するように構成された受信モジュールをさらに含み、通知メッセージは、サービス要件リスト内にあって第１のサービスネットワークのサービス能力リストに含まれているサービスについてＵＥに通知するために使用される。
【００５４】
第１２の態様によれば、受信モジュールおよび送信モジュールを含む管理デバイスが提供され、受信モジュールは、サービスネットワークによって送信されたサービスネットワークのサービス能力リストを受信するように構成され、サービス能力リストは、サービスネットワークの識別子およびサービスネットワークによってサポートされる少なくとも１つのサービスを含み、送信機は、サービス能力リストをＲＡＮノードに送信するように構成される。
【００５５】
第１２の態様を参照して、第１の可能な実施態様において、管理デバイスは、指示メッセージを生成するように構成された処理モジュールをさらに含み、指示メッセージは、サービスネットワークのサービス能力リストを追加、変更、または削除するようＲＡＮノードに指示するために使用され、送信モジュールは、指示メッセージをＲＡＮノードに送信するようにさらに構成される。
【００５６】
本発明の技術的解決策によれば、サービスネットワークが動的に変化する場合、ＵＥのサービス要件を満たすことができるサービスネットワークが、端末デバイスのサービス要件およびサービスネットワークによってサポートされるサービスに従ってＵＥに対して選択される。本発明の技術的解決策によれば、サービスネットワークが動的に変化する場合にサービスネットワークを選択するプロセスは、簡略化されることができ、シグナリングが節減されることができる。
【図面の簡単な説明】
【００５７】
本発明の実施形態における技術的解決策をさらに明確に説明するため、後段では、本発明の実施形態を説明するために必要な添付の図面を簡単に紹介する。明らかに、以下の説明における添付の図面は、本発明の一部の実施形態のみを示すものであり、当業者であれば、創造的な取り組みを伴うことなく、これらの添付の図面からその他の図面をさらに導き出し得る。
【００５８】
【図１】本発明の実施形態によるネットワークアーキテクチャシステムを示す概略図である。
【図２】本発明の実施形態によるサービスネットワークを選択するための方法を示す概略流れ図である。
【図３】本発明の実施形態によるサービスネットワークを選択するための方法を示す概略流れ図である。
【図４】本発明の実施形態によるサービスネットワークを選択するための方法を示す概略流れ図である。
【図５】本発明の実施形態によるサービスネットワークを管理するための方法を示す概略流れ図である。
【図６】本発明の実施形態によるサービスネットワークを選択するための方法を示す概略流れ図である。
【図７】本発明の実施形態によるサービスネットワークを選択するための方法を示す概略流れ図である。
【図８】本発明の実施形態によるサービスネットワークを選択するための方法を示す概略流れ図である。
【図９】本発明の実施形態によるサービスネットワークを選択するための方法を示す概略流れ図である。
【図１０】本発明の実施形態によるサービスネットワークを選択するためのネットワークデバイスを示す概略ブロック図である。
【図１１】本発明の実施形態によるＲＡＮノードを示す概略ブロック図である。
【図１２】本発明の実施形態によるＵＥを示す概略ブロック図である。
【図１３】本発明の実施形態による管理デバイスを示す概略ブロック図である。
【発明を実施するための形態】
【００５９】
本発明の実施形態の目的、技術的解決策、および利点をさらに明確にするため、後段では、本発明の実施形態の添付の図面を参照して、本発明の実施形態における技術的解決策を明確および完全に説明する。明らかに、説明される実施形態は、本発明の実施形態の一部分であり、実施形態の全体を示すものではない。当業者により、創造的な取り組みを伴うことなく、本発明の実施形態に基づいて得られるすべてのその他の実施形態は、本発明の保護適用範囲に含まれるものとする。
【００６０】
理解を容易にするため、図１において示される本発明の実施形態のアプリケーションシナリオを参照して、簡単な説明が以下に提供される。図１に示されるアーキテクチャシステムは、具体的に５Ｇネットワークのアーキテクチャシステムであってもよいか、または具体的に４Ｇネットワークのアーキテクチャシステムのような従来のネットワークのアーキテクチャシステムであってもよい。図１に示されるネットワークアーキテクチャは、ＵＥ、ＲＡＮ、およびサービスネットワークを含む。
【００６１】
ＵＥは、従来の４Ｇ端末デバイスであってもよいか、または５Ｇネットワークをサポートする端末デバイスであってもよい。実際のアプリケーションシナリオおよび端末デバイスのタイプに従って、ＵＥは、１つまたは複数のタイプのサービスをサポートすることがある。サービス要件リストは、ＵＥで構成されてもよく、サービス要件リストは、ＵＥによってサポートされるサービスの１つまたは複数のタイプを含む。
【００６２】
ＲＡＮネットワーク内のＲＡＮノードは、ｅｖｏｌｖｅｄ  ＮｏｄｅＢ（e-UTRAN NodeB、eNodeB）のような、無線基地局であってもよい。ＵＥとＲＡＮノードの間で無線チャネルが確立された後、ＵＥは、ＲＡＮノードを使用することによりサービスネットワークにアクセスして、サービスネットワークによって提供されるサービスを取得する。
【００６３】
固有のタイプのシナリオまたは固有のユーザ要件の場合、サービスネットワークは、特定のタイプのＵＥについてカスタマイズされたサービスを提供することがある。実際のアプリケーションシナリオおよび端末デバイスのタイプに従って、サービスネットワークは、ＵＥが完全なサービスを取得することを保証するために、１つまたは複数のタイプのサービスをサポートすることがある。サービスネットワークが生成された後、サービスネットワークのサービス能力リストが定義されて、このネットワークスライスの識別子およびこのネットワークスライスによってサポートされるサービスを記録する。サービスネットワークは、ＥＰＣアーキテクチャ内の専用のコアネットワークであってもよいか、または５Ｇネットワーク内のネットワークスライスであってもよい。
【００６４】
将来の５Ｇシステムにおいて、ネットワークは、論理機能に基づいてネットワークスライスにさらに抽象化される。ネットワークスライスは、ネットワーク要素に論理的に分割されないが、「カスタマイズされた機能＋汎用ハードウェア」の方式で作成される。そのようなネットワーク構造に従って、オペレータは、サービスとしてユーザにネットワークを提供することが許容され、レート、容量、カバレッジ、遅延、信頼性、セキュリティ、および可用性のような指標に従って、さまざまなユーザの要件を満たすように、ネットワーク全体を自由に結合することができる。
【００６５】
ソフトウェア定義ネットワーキング（Software Defined Network、SDN）技術およびネットワーク機能仮想化（Network Function Virtualization、NFV）技術を使用することによって、同じインフラストラクチャ上で異なるタイプの通信ユーザにカスタマイズされたネットワークスライスが提供されてもよい。たとえば、図１のユーザ機器１は、モバイルブロードバンド（Mobile BroadBand、MBB）を使用するＵＥであってもよく、ユーザ機器２は、車車間（Vehicle To Vehicle、V2V）通信を使用するＵＥであってもよく、ユーザ機器３は、マシンタイプ通信（Machine Type Communication、MTC）を使用するＵＥであってもよく、サービスネットワーク１は、ＭＢＢネットワークスライスであってもよく、サービスネットワーク２は、Ｖ２Ｖネットワークスライスであってもよく、サービスネットワーク３は、ＭＴＣネットワークスライスであってもよい。
【００６６】
図１に示されるアーキテクチャシステムは、管理デバイスをさらに含むことがある。１つまたは複数のサービスネットワークのサービス能力リストは、管理デバイス上に配備され、管理デバイスは、１つまたは複数のサービスネットワークを管理するように構成されてもよい。管理デバイスがサービスネットワークのサービス能力リストを学習することができる場合、またはサービスネットワークが地理的な制約または別の理由により不良であり、ＵＥへのサービスを休止している場合、管理デバイスは、サービスネットワークのサービス能力リストを削除するようＲＡＮノードに指示する。
【００６７】
本発明の実施形態におけるサービスネットワークを選択するための技術的解決策は、図１に示されるネットワークアーキテクチャに限定されないことに留意されたい。本発明の実施形態は、ネットワーク機能モジュール化またはサービス化と類似する別のネットワークアーキテクチャにもまた適用されてもよい。
【００６８】
図２は、本発明の実施形態によるサービスネットワークを選択するための方法を示す概略流れ図である。図２の方法は、以下のステップを含む。
【００６９】
Ｓ２０１。ＵＥのサービス要件リストを決定し、サービス要件リストはＵＥによって要求される少なくとも１つのサービスを含む。
【００７０】
Ｓ２０２。少なくとも１つのサービスネットワークのサービス能力リストを含むサービス能力リストセットを決定し、各サービス能力リストは、サービス能力リストに対応するサービスネットワークの識別子を含み、サービスネットワークによってサポートされる少なくとも１つのサービスを含む。
【００７１】
Ｓ２０３。サービス要件リストおよびサービス能力リストセットに従って、ＵＥにサービスを提供する第１のサービスネットワークの第１の識別子を決定し、第１のサービスネットワークのサービス能力リストは、サービス要件リスト内のサービスの全部または一部を含む。
【００７２】
本発明におけるサービスネットワークを選択するための方法によれば、サービスネットワークが動的に変化する場合、サービス要件を満たすサービスネットワークが、端末デバイスのサービス要件およびサービスネットワークのサービス能力に従ってＵＥに対して選択されてもよく、サービスネットワークが動的に変化する場合にサービスネットワークを選択するプロセスが簡略化されることができるように、およびシグナリングが節減されることができるようになっている。
【００７３】
本発明のこの実施形態において、（ＨＳＳのような）ネットワークデバイスは、ＵＥの能力およびＵＥが加入するサービスに従って、ＵＥに対してサービス要件リストを構成することがある。ＵＥが加入するサービスは、コールサービス、モバイルブロードバンドサービス、マシンタイプ通信サービス、車車間通信サービス、超低遅延サービス、超高信頼性サービス、インターネットプロトコル（Internet Protocol、IP）継続性保持サービスなどであってもよい。実際のアプリケーションシナリオおよび端末タイプに従って、ＵＥは、１つまたは複数のタイプのサービスをサポートすることがある。たとえば、車両タイプのＵＥは、車車間通信サービスを使用することにより自動運転を実施してもよく、モバイルブロードバンドサービスを使用することにより高品位ビデオが見られ、したがってＵＥのサービス要件リストは、車車間通信サービスおよびモバイルブロードバンドサービスを含むことがある。すべてのこれらのサービスは、サービス要件リスト内に列挙される。
【００７４】
表１は、ＵＥのサービス要件リストの例である。ＵＥが音声サービス、モバイルブロードバンドサービス、超高信頼性サービス、および別のサービスをサポートし得ることが、表１から理解されてもよい。
【００７５】
【表１】
2020127237.tif 000003
【００７６】
ネットワークデバイスは、生成されたサービス要件リストをＵＥに送信し、ＵＥは、サービス要件リストを加入者識別モジュール（Subscriber Identity Module、SIM）カードストレージの方式で格納してもよいか、またはサービス要件リストを直接格納してもよい。
【００７７】
本発明のこの実施形態において、任意選択で、無線リンクは、ＵＥとＲＡＮノードの間に確立されてもよく、たとえば、ＲＲＣメッセージをＲＡＮノードに送信する場合、ＵＥは、ＲＲＣメッセージで、ＵＥのサービス要件リストをＲＡＮノードに転送する。ＵＥによってＲＡＮノードに送信されるＲＲＣメッセージは通常、標準で定義されている非アクセス階層（Non-Access Stratum、NAS）メッセージであるので、ＵＥのサービス要件リストは、ＮＡＳメッセージと共に送信されてもよい。
【００７８】
本発明のこの実施形態において、サービスネットワークのネットワークサービス能力リストは、サービスネットワークが生成される場合に定義されて、サービスネットワークによってサポートされるサービスを指示する。実際のアプリケーションシナリオに従って、サービスネットワークは、１つまたは複数のタイプのサービスをサポートすることがある。たとえば、工業制御のシナリオにおいて使用されるサービスネットワークは、マシンタイプ通信サービス、超低遅延サービス、超高信頼性サービスを同時にサポートすることがある。すべてのこれらのサービスは、サービス能力リスト内に列挙される。
【００７９】
表２は、サービスネットワークのサービス能力リストの例である。サービスネットワークが音声サービス、モバイルブロードバンドサービス、超高信頼性サービス、および別のサービスをサポートし得ることが、表２から理解されてもよい。
【００８０】
【表２】
2020127237.tif 000004
【００８１】
新しいサービスネットワークが生成された後、サービスネットワークのサービス能力リストは、サービスネットワークの実際の配備中にＲＡＮノードで構成されてもよい。
【００８２】
ネットワーク内のサービスネットワークのサービス能力リストが変化する場合、管理デバイスは、サービスネットワークに対応してサービス能力リストを変更するようＲＡＮノードにさらに指示することがある。
【００８３】
管理デバイスによって送信された指示メッセージに従って、ＲＡＮノードが、サービスネットワークに対応するサービス能力リストを変更し、サービス能力リストを更新した後、サービスネットワークによって本来サービス提供されているＵＥがネットワークに再度アクセスする場合、ＲＡＮノード、ＵＥ、または別のネットワーク管理デバイスは、最新のサービス能力リストセットに従って、ＵＥにサービスを提供するサービスネットワークを選択することがあり、リダイレクションプロセスが回避されてシグナリングが節減されるようになっている。
【００８４】
ネットワークに配備されたサービスネットワークは、地理的な制約により不良であることもあり、ＵＥへのサービスを休止している。サービスネットワークが不良である場合、管理デバイスは、サービスネットワークのサービス能力リストを削除するようサービスネットワークのサービス範囲内のＲＡＮノードに指示することがある。
【００８５】
ＲＡＮノードは、管理デバイスによって送信された指示メッセージに従って、サービス休止中のサービスネットワークに対応するサービス能力リストをサービス能力リストセットから削除し、サービス能力リストセットを更新する。サービスネットワークによって本来サービス提供されているＵＥがネットワークに再度アクセスする場合、ＲＡＮノード、ＵＥ、または別のネットワーク管理デバイスは、最新のサービス能力リストセットに従って、ＵＥにサービスを提供するサービスネットワークを選択することがあり、リダイレクションプロセスが回避されてシグナリングが節減されるようになっている。
【００８６】
ローカルネットワークの場合、ＵＥは、ＵＥのすべてのサービスをサポートすることができる専用サービスネットワークを通常有するが、ＵＥの一部のサービスのみをサポートすることができる一部のサービスがある。
【００８７】
任意選択で、ＲＡＮノードがサービス能力リストセットを有した後、ＲＡＮノードは、ＲＲＣメッセージを使用することによりＵＥによって送信されるＵＥのサービス要件リストを、ＲＡＮノード上のサービス能力リストセット内のサービス能力リストと比較することがある。特に、サービス要件リスト内のサービスと、サービス能力リスト内のサービスが比較されて、サービス要件リスト内のサービスの全部または一部を含むことができるサービス能力リストを見出すようにする。サービス能力リスト内の識別子に対応するサービスネットワークは、ＵＥにサービスを提供するサービスネットワークであり、ＵＥに対してＲＡＮノードによって選択されるサービスネットワークである。
【００８８】
概して、ＵＥに要求されたサービスの最大量を提供することができ、複数のサービスネットワーク内にあるサービスネットワークは、ＵＥにサービスを提供するサービスネットワークとして決定されてもよい。
【００８９】
たとえば、ＲＡＮノードで受信されたＵＥのサービス要件リストは表１に示されており、ＲＡＮノード上のサービス能力リストは表２に示されるサービス能力リストであり、つまり、サービス能力リストセットは表３に示され、次いで、表１に示されるサービス要件リストを、表３に示されるサービス能力リストと比較することにより、識別子１に対応するサービス能力リストはＵＥのサービス要件リスト内のすべてのサービスを含み、つまり識別子１に対応するサービスネットワークは、ＵＥによって要求されるサービスの最大量をサポートし得ることが理解されてもよい。したがって、ＲＡＮノードは、識別子１に対応するサービスネットワークを、ＵＥにサービスを提供するサービスネットワークとして選択してもよい。
【００９０】
【表３】
2020127237.tif 000005
【００９１】
ＲＡＮノードが、ＵＥにサービスを提供するサービスネットワークの識別子を決定した後、ＵＥと選択されたサービスネットワークの間で通常のサービス手順が実行されてもよい。
【００９２】
任意選択で、ＲＡＮノードは、ＵＥのサービス要件リストを、ＵＥにサービスを提供するサービスネットワークに送信することがある。ＵＥのサービス要件リストを受信した後、サービスネットワークは、ＵＥのサービス要件リストを、ＵＥにサービスを提供するネットワークのサービス能力リストと比較することがある。サービスネットワークがＵＥのすべてのサービスをサポートすることができない、つまりＵＥによって要求される一部のサービスしかサポートすることができない場合、サービスネットワークは、ＵＥに通知メッセージを送信して、ＵＥにサービスネットワークにより現在提供されることができるサービスについてＵＥに通知する。たとえば、ＵＥは、ＮＡＳ受諾メッセージを使用することにより通知されて、ＵＥは、ＮＡＳ受諾メッセージを参照して、後続のサービス要件において要求されることができるサービスを決定するようになっている。
【００９３】
本発明のこの実施形態において、任意選択で、無線リンクがＲＡＮノードとＵＥの間に確立されてもよい場合、ＲＡＮノードは、ＲＲＣメッセージで、複数のサービス能力リストを含み、表３に示されるサービス能力リストセットのような、複数のサービスネットワークのサービス能力リストをＵＥに転送することがある。
【００９４】
この場合、ＵＥは、（表１に示されるサービス要件リストのような）ＵＥのサービス要件リスト内のサービスを、複数のサービス能力リスト内のサービスと比較し、サービス要件リスト内のサービスの全部または一部を含む（表３の識別子１に対応するサービス能力リストのような）サービス能力リストを選択する。サービス能力リスト内の（表３の識別子１のような）識別子に対応するサービスネットワークは、ＵＥにサービスを提供するサービスネットワークであり、ＵＥに対して選択されたサービスネットワークである。その後、ＲＲＣメッセージをＲＡＮノードに送信する場合、ＵＥは、（表３の識別子１のような）識別子をＲＡＮノードに送信することがある。したがって、通常のサービス手順は、ＲＡＮノードを使用することによってＵＥと選択されたサービスネットワークの間で実行されてもよい。
【００９５】
ＵＥは、ＵＥによって要求された（表１に示されるサービス要件リストのような）サービスをＲＡＮノードにさらに送信することがある。ＲＡＮノードが、ＵＥによって送信されたＵＥのサービス要件リストを受信した後、任意選択で、ＲＡＮノードは、ＵＥのサービス要件リストを、サービスを提供し、ＵＥに対してＲＡＮノードによって選択されるサービスネットワークに送信することがある。ＵＥのサービス要件リストを受信した後、サービスネットワークは、ＵＥのサービス要件リストを、サービスネットワークのサービス能力リストと比較して、ＵＥに対してサービスネットワークによって提供されることができるサービスを決定することがある。
【００９６】
この場合、ＵＥは、ＵＥのサービス要件リストを、サービスネットワークのサービス能力リストと比較したので、ＵＥは、ＵＥのものであり、現在選択されているサービスネットワークによってサポートされることができるサービスをすでに明確に認識しており、サービスネットワークは、ＵＥに対してサービスネットワークによって提供されることができるサービスについてＵＥに通知する必要はない。
【００９７】
本発明のこの実施形態におけるサービスネットワークを選択するための方法によれば、ＵＥは、ＵＥのサービス要件リストに従って、サービス能力リストセットから現在のサービス要件と一致するサービスネットワークを能動的に選択することがあり、ネットワークが動的に変化する場合にサービスネットワークを選択するプロセスが簡略化されることができ、シグナリングが節減されることができるようになっている。
【００９８】
任意選択で、本発明の実施形態におけるサービスネットワークを選択するための方法は、将来の５Ｇネットワークアーキテクチャにおいてネットワークスライスの管理デバイスによって実行されてもよく、つまり、管理デバイスは、ＵＥのサービス要件リストおよびネットワークスライスのサービス能力リストを取得し、ＵＥのサービス要件リストに従って、複数のネットワークスライスのサービス能力リストからＵＥの現在のサービス要件と一致するサービスネットワークを選択して、ネットワークが動的に変化する場合にサービスネットワークを選択するプロセスが簡略化されることができように、およびシグナリングが節減されることができるようになっている。
【００９９】
任意選択で、この実施形態におけるＲＡＮノードは、ローミングのシナリオにおいてＵＥによってアクセスされた訪問先のＲＡＮノードであってもよい。この場合、ローミングエリアのＲＡＮノードは、ＵＥのサービス要件リストおよびローミングエリアのサービスネットワークのサービス能力リストに従ってＵＥのサービスネットワークを選択して、ＵＥのローミングアクセスを保証する。
【０１００】
本発明のこの実施形態におけるサービスネットワークを選択するための方法によれば、動的な状況において、たとえばサービスネットワークが動的に生成されるか、動的に更新されるか、または不良である場合、ＲＡＮノードは、構成されているサービスネットワークのサービス能力リストを追加または削除することがあり、サービスネットワークが動的に変化する場合にＵＥが通常のアクセスを実行することができるようにする。したがって、ＵＥがより柔軟に、およびより効果的にサービスネットワークにアクセスするだけにとどまらず、リダイレクションプロセスが回避され、大量のシグナリングが節減される。
【０１０１】
本発明のこの実施形態が適用される実際のシナリオにおいて、ＵＥの専用サービスネットワークはローカルネットワーク上に通常配備されるので、ＵＥのすべてのサービス要件を満たすサービスネットワークは、ローカルネットワークでＵＥに対して選択されてもよいが、ＵＥのすべてのサービス要件を満たすことはできないネットワークがあってもよい。もう１つの例において、ローミングのシナリオでは、ＵＥの専用ネットワークはローミングネットワークで配備されないことがあり、ローミングネットワーク内のサービスネットワークは、ＵＥによって要求される一部のサービスしか提供することができない。この場合、ＵＥによって要求されるサービスの優先度が考慮される必要がある、つまり、ＵＥのサービス要件リストが定義される場合に、ＵＥによって要求される各サービスの優先度が定義される。最も一致するサービスを提供することができるサービスネットワークが、各サービスの優先度に従ってＵＥに対して選択される。最も一致するサービスを提供することができるサービスネットワークは、一致するサービスの最大量を提供することができるサービスネットワークであってもよいか、または高優先度のサービスの最大量を提供することができるサービスネットワークであってもよい。最も一致するサービスを提供することができるサービスネットワークは、本発明において限定されることはない。
【０１０２】
ＵＥによって要求される各サービスの優先度が定義されるサービス要件リストは、表４に示される。ＵＥによって要求されるサービスにおいて、音声サービスは高い優先度を有し、モバイルブロードバンドサービスは標準の優先度を有し、超高信頼性サービスは低い優先度を有することが、表４から理解されてもよい。
【０１０３】
【表４】
2020127237.tif 000006
【０１０４】
たとえば、ＵＥのサービス要件リストを、サービスネットワークのサービス能力リストと比較する場合、ＲＡＮノードは、高優先度のサービスを提供することができるサービスネットワークを、ＵＥに対して好ましく選択する必要がある。たとえば、サービス要件リストと一致するサービス能力リストがサービス能力リストセットから選択されるべきである場合、高優先度の音声サービスを含むサービス能力リストが好ましく選択されてもよい。
【０１０５】
任意選択で、複数のサービス能力リストが、サービス要件リスト内の高優先度のサービスを同時に含む場合、サービス要件リスト内の二番目に高優先度のサービスを含むサービス能力リストが、複数のサービス能力リストで決定されてもよく、残りは最も一致するサービス能力リストが見出されるまで類推により推測されてもよい。この場合、サービス能力リストに対応するサービスネットワークは、ＵＥに対して最も一致するサービスを提供することができる。
【０１０６】
たとえば、ＵＥのサービス能力リストが表４に示されている場合、サービスネットワーク１が音声サービスおよびモバイルブロードバンドサービスを提供することができ、サービスネットワーク２が、音声サービスおよび超高信頼性サービスを提供することができ、サービスネットワーク３がモバイルブロードバンドサービスを提供することができるのであれば、ＵＥにより要求される高優先度のサービスが音声サービスであるとき、サービスネットワーク１およびサービスネットワーク２は高優先度サービスを満たすことができると決定されてもよく、ＵＥにより要求される２番目の高優先度サービスがモバイルブロードバンドサービスであり、サービスネットワーク１がモバイルブロードバンドサービスを提供することができるとき、サービスネットワークはＵＥに対して最も一致するサービスを提供することができるサービスネットワークであると決定されてもよい。確かに、音声サービス、モバイルブロードバンドサービス、および超高信頼性サービスを同時にサポートすることができるサービスネットワーク４がある場合、ＵＥにより要求される、音声サービスおよびモバイルブロードバンドサービス以外の高優先度サービスが、超高信頼性サービスであるとき、サービスネットワーク４がＵＥに対して最も一致するサービスを提供するサービスネットワークであると決定されてもよい。
【０１０７】
任意選択で、各サービスの優先度は、さまざまアプリケーションシナリオにおいて変化することがある。この場合、サービスネットワークは、固有のアプリケーションシナリオにおけるサービスの優先度に従って選択されてもよい。たとえば、車両タイプのＵＥの場合、現在のＵＥは、車車間通信サービスおよびモバイルブロードバンドサービスを同時にサポートするが、現在のネットワークは、車車間通信サービスのみをサポートするサービスネットワークおよびモバイルブロードバンドサービスのみをサポートするサービスネットワークしか含まない。この場合、車車間通信サービスがより高い優先度を有するので、ＵＥは、運転中に、車車間通信サービスをサポートするサービスネットワークを好ましく選択して、自動運転を確保することがあり、車両がサービスエリアで停止している場合、ＵＥは、ビデオを見るためにモバイルブロードバンドネットワークを好ましく選択することがある。
【０１０８】
従来技術において、各ＤＥＣＯＲは、特定のタイプのユーザのみにサービス提供する。ＵＥが新しいＤＥＣＯＲに移行される場合、ＵＥは、要件を満たすサービスを取得できないこともある。しかし、本発明のこの実施形態におけるサービスネットワークを選択するための方法によれば、ＵＥによって要求されるサービスの優先度が定義されて、ＵＥに対してサービスネットワークを選択する場合に、ＲＡＮノードまたはＵＥのようなネットワークデバイスが、ＵＥに対して高優先度のサービスを提供することができるサービスネットワークを選択することができるようにする。本発明のこの実施形態においてサービスネットワークを選択するための方法は、最も一致する能力を備えるサービスネットワークがローミングのシナリオにおいてＵＥに対して常に選択される場合もまたサポートすることがある。
【０１０９】
図３は、本発明の実施形態によるサービスネットワークを選択するための方法を示す概略流れ図である。図３の方法は、以下のステップを含む。
【０１１０】
Ｓ３０１。ＲＡＮノードは、第１のＲＲＣメッセージをＵＥに送信し、第１のＲＲＣメッセージは、少なくとも１つのサービスネットワークのサービス能力リストを含むサービス能力リストセットを搬送し、各サービス能力リストは、サービス能力リストに対応するサービスネットワークの識別子を含み、サービスネットワークによってサポートされる少なくとも１つのサービスを含み、第１のＲＲＣメッセージは、ＵＥのサービス要件リストおよびサービス能力リストセットに従って、ＵＥにサービスを提供する第１のサービスネットワークの第１の識別子を決定するためにＵＥによって使用され、第１の識別子に対応するサービス能力リストは、サービス要件リスト内のサービスの全部または一部を含み、サービス要件リストは、ＵＥによって要求される少なくとも１つのサービスを含む。
【０１１１】
Ｓ３０２。ＲＡＮノードは、ＵＥによって送信された第２のＲＲＣメッセージを受信し、第２のＲＲＣメッセージは第１の識別子を搬送し、第２のＲＲＣメッセージは、第１のサービスネットワークがＵＥにサービスを提供することを指示するために使用される。
【０１１２】
本発明におけるサービスネットワークを選択するための方法によれば、サービスネットワークが動的に変化する場合、サービス要件を満たすサービスネットワークが、端末デバイスのサービス要件およびサービスネットワークのサービス能力に従ってＵＥに対して選択されてもよく、サービスネットワークが動的に変化する場合にサービスネットワークを選択するプロセスが簡略化されることができるように、およびシグナリングが節減されることができるようになっている。
【０１１３】
任意選択で、ＵＥによって送信された第２のＲＲＣメッセージは、ＵＥのサービス要件リストをさらに搬送してもよい。これに対して、方法は、サービス要件リストを、ＲＡＮノードにより、第１のサービスネットワークに送信して、第１のサービスネットワークが、サービス要件リストおよびサービスネットワークのサービス能力リストに従って通知メッセージをＵＥに送信するようにするステップであって、通知メッセージは、サービス要件リスト内にあって第１のサービスネットワークのサービス能力リストに含まれているサービスについてＵＥに通知するために使用される、ステップをさらに含むことがある。
【０１１４】
図４は、本発明の実施形態によるサービスネットワークを選択するための方法を示す概略流れ図である。図４の方法は、以下のステップを含む。
【０１１５】
Ｓ４０１。ＵＥはサービス要件リストを決定し、サービス要件リストはＵＥによって要求される少なくとも１つのサービスを含む。
【０１１６】
Ｓ４０２。ＵＥは、ＲＲＣメッセージをＲＡＮノードに送信し、ＲＲＣメッセージはＵＥのサービス要件リストを搬送し、ＲＲＣメッセージは、サービス要件リストに従っておよび少なくとも１つのサービスネットワークのサービス能力リストを含むサービス能力リストセットから、ＵＥにサービスを提供する第１のサービスネットワークの第１の識別子を決定するためにＲＡＮノードによって使用され、第１の識別子に対応するサービス能力リストは、サービス要件リスト内のサービスの全部または一部を含み、各サービス能力リストは、サービス能力リストに対応するサービスネットワークの識別子を含み、サービスネットワークによってサポートされる少なくとも１つのサービスを含む。
【０１１７】
本発明におけるサービスネットワークを選択するための方法によれば、サービスネットワークが動的に変化する場合、サービス要件を満たすサービスネットワークが、端末デバイスのサービス要件およびサービスネットワークのサービス能力に従ってＵＥに対して選択されてもよく、サービスネットワークが動的に変化する場合にサービスネットワークを選択するプロセスが簡略化されることができるように、およびシグナリングが節減されることができるようになっている。
【０１１８】
任意選択で、方法は、サービス要件リストおよびサービスネットワークのサービス能力リストに従ってサービスネットワークによってＵＥに送信される通知メッセージを、ＵＥにより、受信するステップであって、通知メッセージは、サービス要件リスト内にあってサービスネットワークのサービス能力リストに含まれているサービスについてＵＥに通知するために使用される、ステップをさらに含むことがある。
【０１１９】
図５は、本発明の実施形態によるサービスネットワークを選択するための方法を示す概略流れ図である。図５の方法は、以下のステップを含む。
【０１２０】
Ｓ５０１。管理デバイスは、サービスネットワークによって送信されたサービスネットワークのサービス能力リストを受信し、サービス能力リストは、サービスネットワークの識別子およびサービスネットワークによってサポートされる少なくとも１つのサービスを含む。
【０１２１】
Ｓ５０２。管理デバイスは、サービス能力リストをＲＡＮノードに送信する。
【０１２２】
本発明のこの実施形態においてサービスネットワークを管理するための方法によれば、サービスネットワークが動的に変化する場合、サービスネットワークのステータスが、時間内にＲＡＮノードに更新されてもよく、ＲＡＮノードが、ネットワークスライスのサービス能力リストを追加、更新、または削除し得るようにして、最終的に、サービスネットワークが動的に変化する場合にサービスネットワークを選択するプロセスが簡略化されることができるように、およびシグナリングが節減されることができるようにする。
【０１２３】
任意選択で、方法は、管理デバイスにより、指示メッセージを生成するステップであって、指示メッセージは、サービスネットワークのサービス能力リストを追加、変更、または削除するようＲＡＮノードに指示するために使用される、ステップと、管理デバイスにより、指示メッセージをＲＡＮノードに送信するステップとをさらに含む。
【０１２４】
サービスネットワークを選択するための方法、およびサービスネットワークを管理するための方法によれば、本発明の実施形態においてサービスネットワークを選択する具体的な手順は、図６から図１０を参照して後段において説明される。
【０１２５】
図６に示されるように、図６は、本発明の実施形態によるサービスネットワークを選択するための方法を示す概略流れ図である。図６のネットワークスライスは、５Ｇネットワークにおける固有のサービスネットワークの具体的な例であるか、またはネットワークスライスは、ＥＰＣアーキテクチャ内の専用のコアネットワークに置き換えられてもよい。図６に示されるサービスネットワークを選択するための方法は、以下のステップを含む。
【０１２６】
Ｓ６０１。ＵＥの能力およびＵＥが加入するサービスに従って、ＵＥに割り振られるサービス要件リストを、ＵＥで構成する。サービス要件リストは、ＳＩＭカードまたはＵＥデバイスに格納されてもよい。サービス要件リストは、音声サービス、モバイルブロードバンドサービス、車車間通信サービス、および超高信頼性サービスを含むことがある。
【０１２７】
Ｓ６０２。ＲＡＮノードは、少なくとも１つのネットワークスライスに別個に対応するサービス能力リストを決定する。たとえば、ネットワーク内に２つのネットワークスライスがある場合、１つのネットワークスライスのサービス能力リストは、音声サービスおよびモバイルブロードバンドサービスを含み、もう一方のネットワークスライスのサービス能力リストは、音声サービス、車車間通信サービス、および超高信頼性サービスを含む。これらのネットワークスライスのサービス能力リストは、ＲＡＮノードでローカルに構成されてもよいか、またはネットワークスライスの配備中にＲＡＮノードに送信されてもよい。ＲＡＮノード上の複数のサービス能力リストは、サービス能力リストセットを形成する。ＲＡＮノードは、故障によりサービス休止中であるネットワークスライスのサービス能力リストを、サービス能力リストセットから、さらに削除することがある。ＲＡＮノードは、ローカルネットワーク内のＲＡＮノードであってもよいか、またはローミングのシナリオにおける訪問先のＲＡＮノードであってもよい。
【０１２８】
Ｓ６０３。ＲＲＣ接続がＵＥとＲＡＮノードの間に確立される場合、ＵＥは、ＲＲＣメッセージをＲＡＮノードに送信するときに、ＵＥのサービス要件リストをＲＡＮノードに送信する。
【０１２９】
Ｓ６０４。ＵＥによって送信されたサービス要件リストを受信した後、ＲＡＮノードは、ＵＥのサービス要件リスト内のサービスを、ＲＡＮノード上の複数のサービス能力リスト内のサービスと比較して、サービス能力リスト内のサービスの全部または一部を含むサービス能力リストを選択し、ネットワークスライスの識別子を取得し、識別子に対応するネットワークスライスは、ＵＥにサービスを提供するネットワークスライスである。
【０１３０】
たとえば、ＵＥによって要求されるサービスが音声サービス、モバイルブロードバンドサービス、および超高信頼性サービスであり、１つのネットワークスライスが音声サービスおよびブロードバンドサービスを提供することができ、その他のネットワークスライスが音声サービス、車車間通信サービス、および超高信頼性サービスを提供することができる場合、第２のネットワークスライスは第１のネットワークスライスよりもＵＥに多くのサービスを提供できることが理解されてもよく、したがって第２のネットワークスライスが、ＵＥにサービスを提供するネットワークスライスとして決定されてもよい。
【０１３１】
ＵＥのサービス能力リスト内のサービスの優先度が定義されている場合、選択されたネットワークスライスは、ＵＥに高優先度のサービスを提供することができるネットワークスライスである。たとえば、ＵＥのサービス能力リストにおいて、音声サービスは高優先度のサービスであり、モバイルブロードバンドサービスは中優先度のサービスであり、車車間通信サービスは低優先度のサービスであり、超高信頼性サービスは最低優先度のサービスである。第１のネットワークスライスが高優先度の音声サービスおよび中優先度のモバイルブロードバンドサービスを提供することができ、第２のネットワークスライスが高優先度の音声サービス、低優先度の車車間通信サービス、および最低優先度の超高信頼性サービスを提供することができるので、第１のネットワークスライスは、ＵＥに、第２のネットワークスライスによって提供される高優先度の音声サービスを提供することができ、さらに第１のネットワークスライスによって提供される中優先度のモバイルブロードバンドサービスの優先度は、第２のネットワークスライスによって提供されるその他のサービスの優先度よりも高いことが理解されてもよい。したがって、第１のネットワークスライスは、ＵＥに最も一致するサービスを提供するサービスネットワークとして決定されてもよい。
【０１３２】
Ｓ６０５。ＲＡＮノードは、ＵＥのサービス要件リストを、選択されたネットワークスライスに送信する。
【０１３３】
Ｓ６０６。ネットワークスライスは、ＮＡＳ受諾メッセージのような通知メッセージをＵＥに送信して、ネットワークスライスによってＵＥに提供されることができるサービスについてＵＥに通知する。ネットワークスライスによってＵＥに提供されることができるサービスは、サービス要件リスト内にあり、ネットワークスライスのサービス能力リストに含まれているサービスである。
【０１３４】
加えて、通常のサービス手順は、ＵＥと選択されたネットワークスライスの間で実行されてもよい。
【０１３５】
本発明のこの実施形態においてサービスネットワークを選択するための方法によれば、ＲＡＮノードは、ＵＥのサービスネットワークを選択し、ＨＳＳが大量のサブスクリプションデータ更新手順を開始することを防止されることができるように、ならびに大量のＴＡＵおよびリダイレクションプロセスが回避されることができるようにして、シグナリングストームの出現リスクを低減する。ＵＥのサービス要件と一致するサービスネットワークまたは最適なサービスネットワークは、ＵＥがローカルネットワーク内にあるか、ローミングのシナリオにおいて訪問先のネットワークにアクセスするかにかかわらず一致されることができることがさらに保証されることができる。
【０１３６】
図７に示されるように、図７は、本発明の実施形態によるサービスネットワークを選択するための方法を示す概略流れ図である。図７のネットワークスライスは、５Ｇネットワークにおける固有のサービスネットワークの具体的な例であるか、またはネットワークスライスは、ＥＰＣアーキテクチャ内の専用のコアネットワークに置き換えられてもよい。図７に示されるサービスネットワークを選択するための方法は、以下のステップを含む。
【０１３７】
Ｓ７０１。ＵＥの能力およびＵＥが加入するサービスに従って、ＵＥに割り振られるサービス要件リストを、ＵＥで構成する。サービス要件リストは、ＳＩＭカードまたはＵＥデバイスに格納されてもよい。サービス要件リストは、音声サービス、モバイルブロードバンドサービス、車車間通信サービス、および超高信頼性サービスを含むことがある。
【０１３８】
Ｓ７０２。ＲＡＮノードは、少なくとも１つのネットワークスライスに別個に対応するサービス能力リストを決定する。たとえば、ネットワーク内に２つのネットワークスライスがある場合、１つのネットワークスライスのサービス能力リストは、音声サービスおよびモバイルブロードバンドサービスを含み、もう一方のネットワークスライスのサービス能力リストは、音声サービス、車車間通信サービス、および超高信頼性サービスを含む。これらのネットワークスライスのサービス能力リストは、ＲＡＮノードでローカルに構成されてもよいか、またはネットワークスライスの配備中にＲＡＮノードに送信されてもよい。ＲＡＮノード上の複数のサービス能力リストは、サービス能力リストセットを形成する。ＲＡＮノードは、ローカルネットワーク内のＲＡＮノードであってもよいか、またはローミングのシナリオにおける訪問先のＲＡＮノードであってもよい。ＲＡＮノードは、故障によりサービス休止中であるネットワークスライスのサービス能力リストを、サービス能力リストセットから、さらに削除することがある。
【０１３９】
Ｓ７０３。ＲＲＣ接続がＵＥとＲＡＮノードの間に確立される場合、ＲＡＮノードは、ＲＲＣメッセージで、複数のネットワークスライスのサービス能力リストを含むサービス能力リストセットをＵＥに転送する。
【０１４０】
Ｓ７０４。ＲＡＮによって送信されたサービス能力リストセットを受信した後、ＵＥは、ＵＥのサービス要件リスト内のサービスを、ＲＡＮノードから取得した複数のサービス能力リスト内のサービスと比較して、サービス要件リスト内のサービスの全部または一部を含むサービス能力リストを選択し、サービス能力リスト内の、ネットワークスライスの識別子を取得し、識別子に対応するネットワークスライスは、サービスを提供し、ＵＥに対してＵＥにより選択されるネットワークスライスである。
【０１４１】
たとえば、ＵＥによって要求されるサービスが音声サービス、モバイルブロードバンドサービス、および超高信頼性サービスであり、１つのネットワークスライスが音声サービスおよびモバイルブロードバンドサービスを提供することができ、その他のネットワークスライスが音声サービス、車車間通信サービス、および超高信頼性サービスを提供することができる場合、第２のネットワークスライスは第１のネットワークスライスよりもＵＥに多くのサービスを提供できることが理解されてもよく、したがって第２のネットワークスライスが、ＵＥにサービスを提供するネットワークスライスとして決定されてもよい。
【０１４２】
ＵＥのサービス能力リスト内のサービスの優先度が定義されている場合、選択されたネットワークスライスは、ＵＥに高優先度のサービスを提供することができるネットワークスライスである。たとえば、ＵＥのサービス能力リストにおいて、音声サービスは高優先度のサービスであり、モバイルブロードバンドサービスは中優先度のサービスであり、車車間通信サービスは低優先度のサービスであり、超高信頼性サービスは最低優先度のサービスである。第１のネットワークスライスが高優先度の音声サービスおよび中優先度のモバイルブロードバンドサービスを提供することができ、第２のネットワークスライスが高優先度の音声サービス、低優先度の車車間通信サービス、および最低優先度の超高信頼性サービスを提供することができるので、第１のネットワークスライスは、ＵＥに、第２のネットワークスライスによって提供される高優先度の音声サービスを提供することができ、さらに第１のネットワークスライスによって提供される中優先度のモバイルブロードバンドサービスの優先度は、第２のネットワークスライスによって提供されるその他のサービスの優先度よりも高いことが理解されてもよい。したがって、第１のネットワークスライスは、ＵＥに最も一致するサービスを提供するサービスネットワークとして決定されてもよい。
【０１４３】
Ｓ７０５。ＵＥは、ＲＡＮノードへの接続メッセージまたはＴＡＵ要求メッセージのようなＲＲＣメッセージを開始する。ＵＥによってＲＡＮノードに送信されたＲＲＣメッセージは、標準において定義されているＮＡＳメッセージを搬送し、ＵＥによって選択されたネットワークスライスの識別子およびサービス要件リストをさらに含む。このようにして、通常のサービス手順は、ＵＥと選択されたネットワークスライスの間で実行されてもよい。
【０１４４】
Ｓ７０６。ＲＡＮノードは、ＵＥのサービス要件リストを選択されたネットワークスライスに送信して、ネットワークスライスが、ＵＥによって要求されるサービスを理解し、次いでリソースを適切に割り振って、ＵＥにサービスを提供するようにする。
【０１４５】
この場合、ＵＥは、ＵＥのサービス要件リストを、選択されたネットワークスライスのサービス能力リストと比較したので、ＵＥは、ＵＥのものであり、現在選択されているサービスネットワークによってサポートされることができるサービスをすでに明確に認識しており、ネットワークスライスは、ネットワークスライスによってＵＥに提供されることができるサービスについてＵＥに通知する必要はない。
【０１４６】
本発明のこの実施形態においてサービスネットワークを選択するための方法によれば、ＵＥは、ＵＥのサービスネットワークを選択し、ＨＳＳが大量のサブスクリプションデータ更新手順を開始することを防止されることができるように、ならびに大量のＴＡＵおよびリダイレクションプロセスが回避されることができるようにして、シグナリングストームの出現リスクを低減する。ＵＥのサービス要件と一致するサービスネットワークまたは最適なサービスネットワークは、ＵＥがローカルネットワーク内にあるか、ローミングのシナリオにおいて訪問先のネットワークにアクセスするかにかかわらず一致されることができることがさらに保証されることができる。
【０１４７】
図８に示されるように、図８は、本発明の実施形態によるサービスネットワークを選択するための方法を示す概略流れ図である。図８のネットワークスライスは、５Ｇネットワークにおける固有のサービスネットワークの具体的な例であるか、またはネットワークスライスは、ＥＰＣアーキテクチャ内の専用のコアネットワークに置き換えられてもよい。図８に示されるサービスネットワークを選択するための方法は、以下のステップを含む。
【０１４８】
Ｓ８０１。ＵＥの能力およびＵＥが加入するサービスに従って、ＵＥに割り振られるサービス要件リストを、ＵＥで構成する。サービス要件リストは、ＳＩＭカードまたはＵＥデバイスに格納されてもよい。サービス要件リストは、音声サービス、モバイルブロードバンドサービス、車車間通信サービス、および超高信頼性サービスを含むことがある。
【０１４９】
Ｓ８０２。管理デバイスは、新しく追加されたネットワークスライスのサービス能力リスト、または既存のサービススライスの更新されたサービス能力リストを決定する。たとえば、管理デバイスは、音声サービスおよびモバイルブロードバンドサービスを含むネットワークスライスのサービス能力リスト、ならびに音声サービス、車車間通信サービス、および超高信頼性サービスを含むネットワークスライスのサービス能力リストを取得することがある。
【０１５０】
Ｓ８０３。管理デバイスは、ネットワークスライスのサービス要件リストを、ＲＡＮノードに送信する。ＲＡＮノードは、管理デバイスによって送信されたネットワークスライスのサービス要件リストを受信して、サービス能力リストセットを更新する。サービス能力リストは、ＲＡＮノード上でサービス能力リストセットを形成する。ＲＡＮノードは、ローカルネットワーク内のＲＡＮノードであってもよいか、またはローミングのシナリオにおける訪問先のＲＡＮノードであってもよい。
【０１５１】
Ｓ８０４。ＲＲＣ接続がＵＥとＲＡＮノードの間に確立される場合、ＵＥは、ＲＲＣメッセージをＲＡＮノードに送信するときに、ＵＥのサービス要件リストをＲＡＮノードに送信する。
【０１５２】
Ｓ８０５。ＵＥによって送信されたサービス要件リストを受信した後、ＲＡＮノードは、ＵＥのサービス要件リスト内のサービスを、ＲＡＮノード上の更新されたサービス能力リスト内のサービスと比較して、サービス能力リスト内のサービスの全部または一部を含むサービス能力リストを選択し、ネットワークスライスの識別子を取得し、識別子に対応するネットワークスライスは、ＵＥにサービスを提供するネットワークスライスである。
【０１５３】
たとえば、ＵＥによって要求されるサービスが音声サービス、モバイルブロードバンドサービス、および超高信頼性サービスであり、１つのネットワークスライスが音声サービスおよびブロードバンドサービスを提供することができ、その他のネットワークスライスが音声サービス、車車間通信サービス、および超高信頼性サービスを提供することができる場合、第２のネットワークスライスは第１のネットワークスライスよりもＵＥに多くのサービスを提供できることが理解されてもよく、したがって第２のネットワークスライスが、ＵＥにサービスを提供するネットワークスライスとして決定されてもよい。
【０１５４】
ＵＥのサービス能力リスト内のサービスの優先度が定義されている場合、選択されたネットワークスライスは、ＵＥに高優先度のサービスを提供することができるネットワークスライスである。たとえば、ＵＥのサービス能力リストにおいて、音声サービスは高優先度のサービスであり、モバイルブロードバンドサービスは中優先度のサービスであり、車車間通信サービスは低優先度のサービスであり、超高信頼性サービスは最低優先度のサービスである。第１のネットワークスライスが高優先度の音声サービスおよび中優先度のモバイルブロードバンドサービスを提供することができ、第２のネットワークスライスが高優先度の音声サービス、低優先度の車車間通信サービス、および最低優先度の超高信頼性サービスを提供することができるので、第１のネットワークスライスは、ＵＥに、第２のネットワークスライスによって提供される高優先度の音声サービスを提供することができ、さらに第１のネットワークスライスによって提供される中優先度のモバイルブロードバンドサービスの優先度は、第２のネットワークスライスによって提供されるその他のサービスの優先度よりも高いことが理解されてもよい。したがって、第１のネットワークスライスは、ＵＥに最も一致するサービスを提供するサービスネットワークとして決定されてもよい。
【０１５５】
Ｓ８０６。ＲＡＮノードは、ＵＥのサービス要件リストを、ネットワークスライスに送信する。
【０１５６】
Ｓ８０７。ネットワークスライスは、ＮＡＳ受諾メッセージのような通知メッセージをＵＥに送信して、ネットワークスライスによってＵＥに提供されることができるサービスについてＵＥに通知する。ネットワークスライスによってＵＥに提供されることができるサービスは、サービス要件リスト内にあり、ネットワークスライスのサービス能力リストに含まれているサービスである。
【０１５７】
加えて、通常のサービス手順は、ＵＥと選択されたネットワークスライスの間で実行されてもよい。
【０１５８】
任意選択で、Ｓ８０２において、管理デバイスは、サービス休止中のネットワークスライスを決定することがある。これに対して、Ｓ８０３において、管理デバイスは、指示メッセージをＲＡＮノードに送信して、サービス休止中のネットワークスライスのサービス能力リストを削除するようＲＡＮノードに指示する。ＲＡＮノードは、管理デバイスによって送信された指示メッセージを受信し、指示メッセージに従って、サービス休止中のネットワークスライスのサービス能力リストを削除し、サービス能力リストセットを更新する。ＲＡＮノードは、ローカルネットワーク内のＲＡＮノードであってもよいか、またはローミングのシナリオにおける訪問先のＲＡＮノードであってもよい。この場合、Ｓ８０５において、ＵＥによって送信されたサービス要件リストを受信した後、ＲＡＮノードは、ＵＥのサービス要件リスト内のサービスを、ＲＡＮノード上にありサービス休止中のネットワークスライスのサービス能力リストが削除されているサービス能力リストセット内のサービス能力リスト内のサービスと比較する。
【０１５９】
図９に示されるように、図９は、本発明の実施形態によるサービスネットワークを選択するための方法を示す概略流れ図である。図９のネットワークスライスは、５Ｇネットワークにおける固有のサービスネットワークの具体的な例であるか、またはネットワークスライスは、ＥＰＣアーキテクチャ内の専用のコアネットワークに置き換えられてもよい。図９に示されるサービスネットワークを選択するための方法は、以下のステップを含む。
【０１６０】
Ｓ９０１。ＵＥの能力およびＵＥが加入するサービスに従って、ＵＥに割り振られるサービス要件リストを、ＵＥで構成する。サービス要件リストは、ＳＩＭカードまたはＵＥデバイスに格納されてもよい。サービス要件リストは、音声サービス、モバイルブロードバンドサービス、車車間通信サービス、および超高信頼性サービスを含むことがある。
【０１６１】
Ｓ９０２。管理デバイスは、新しく追加されたネットワークスライスのサービス能力リスト、または既存のサービススライスの更新されたサービス能力リストを決定する。たとえば、管理デバイスは、音声サービスおよびモバイルブロードバンドサービスを含むネットワークスライスのサービス能力リスト、ならびに音声サービス、車車間通信サービス、および超高信頼性サービスを含むネットワークスライスのサービス能力リストを取得することがある。
【０１６２】
Ｓ９０３。管理デバイスは、ネットワークスライスのサービス要件リストを、ＲＡＮノードに送信する。ＲＡＮノードは、管理デバイスによって送信されたネットワークスライスのサービス要件リストを受信して、サービス能力リストセットを更新する。表３に示されているように、サービス能力リストは、ＲＡＮノード上でサービス能力リストセットを形成する。ＲＡＮノードは、ローカルネットワーク内のＲＡＮノードであってもよいか、またはローミングのシナリオにおける訪問先のＲＡＮノードであってもよい。
【０１６３】
Ｓ９０４。ＲＲＣ接続がＵＥとＲＡＮノードの間に確立される場合、ＲＡＮノードは、ＲＲＣメッセージで、複数のネットワークスライスのサービス能力リストを含む更新されたサービス能力リストセットをＵＥに転送する。
【０１６４】
Ｓ９０５。ＲＡＮによって送信されたサービス能力リストセットを受信した後、ＵＥは、ＵＥのサービス要件リスト内のサービスを、ＲＡＮノードから取得した複数のサービス能力リスト内のサービスと比較して、サービス要件リスト内のサービスの全部または一部を含むサービス能力リストを選択し、サービス能力リスト内の、ネットワークスライスの識別子を取得し、識別子に対応するネットワークスライスは、サービスを提供し、ＵＥに対してＵＥにより選択されるネットワークスライスである。
【０１６５】
たとえば、ＵＥによって要求されるサービスが音声サービス、モバイルブロードバンドサービス、および超高信頼性サービスであり、１つのネットワークスライスが音声サービスおよびブロードバンドサービスを提供することができ、その他のネットワークスライスが音声サービス、車車間通信サービス、および超高信頼性サービスを提供することができる場合、第２のネットワークスライスは第１のネットワークスライスよりもＵＥに多くのサービスを提供できることが理解されてもよく、したがって第２のネットワークスライスが、ＵＥにサービスを提供するネットワークスライスとして決定されてもよい。
【０１６６】
ＵＥのサービス能力リスト内のサービスの優先度が定義されている場合、選択されたネットワークスライスは、ＵＥに高優先度のサービスを提供することができるネットワークスライスである。たとえば、ＵＥのサービス能力リストにおいて、音声サービスは高優先度のサービスであり、モバイルブロードバンドサービスは中優先度のサービスであり、車車間通信サービスは低優先度のサービスであり、超高信頼性サービスは最低優先度のサービスである。第１のネットワークスライスが高優先度の音声サービスおよび中優先度のモバイルブロードバンドサービスを提供することができ、第２のネットワークスライスが高優先度の音声サービス、低優先度の車車間通信サービス、および最低優先度の超高信頼性サービスを提供することができるので、第１のネットワークスライスは、ＵＥに、第２のネットワークスライスによって提供される高優先度の音声サービスを提供することができ、さらに第１のネットワークスライスによって提供される中優先度のモバイルブロードバンドサービスの優先度は、第２のネットワークスライスによって提供されるその他のサービスの優先度よりも高いことが理解されてもよい。したがって、第１のネットワークスライスは、ＵＥに最も一致するサービスを提供するサービスネットワークとして決定されてもよい。
【０１６７】
Ｓ９０６。ＵＥは、ＲＡＮノードへの接続メッセージまたはＴＡＵ要求メッセージのようなＲＲＣメッセージを開始する。ＵＥによってＲＡＮノードに送信されたＲＲＣメッセージは、標準において定義されているＮＡＳメッセージを搬送し、ＵＥによって選択されたネットワークスライスの識別子およびサービス要件リストをさらに含む。この場合、通常のサービス手順は、ＵＥと選択されたネットワークスライスの間で実行されてもよい。
【０１６８】
Ｓ９０７。ＲＡＮノードは、ＵＥのサービス要件リストをネットワークスライスに送信して、ネットワークスライスが、ＵＥによって要求されるサービスを理解し、次いでリソースを適切に割り振って、ＵＥにサービスを提供するようにする。
【０１６９】
この場合、ＵＥは、ＵＥのサービス要件リストを、選択されたネットワークスライスのサービス能力リストと比較したので、ＵＥは、ＵＥのものであり、現在選択されているサービスネットワークによってサポートされることができるサービスをすでに明確に認識しており、ネットワークスライスは、ネットワークスライスによってＵＥに提供されることができるサービスについてＵＥに通知する必要はない。
【０１７０】
任意選択で、Ｓ９０２において、管理デバイスは、サービス休止中のネットワークスライスを決定することがある。これに対して、Ｓ９０３において、管理デバイスは、指示メッセージをＲＡＮノードに送信して、サービス休止中のネットワークスライスのサービス能力リストを削除するようＲＡＮノードに指示する。ＲＡＮノードは、管理デバイスによって送信された指示メッセージを受信し、指示メッセージに従って、サービス休止中のネットワークスライスのサービス能力リストを削除し、サービス能力リストセットを更新する。ＲＡＮノードは、ローカルネットワーク内のＲＡＮノードであってもよいか、またはローミングのシナリオにおける訪問先のＲＡＮノードであってもよい。この場合、Ｓ９０５において、ＵＥによって送信されたサービス要件リストを受信した後、ＲＡＮノードは、ＵＥのサービス要件リスト内のサービスを、ＲＡＮノード上にあり、サービス休止中のネットワークスライスのサービス能力リストが削除されているサービス能力リストセット内のサービス能力リスト内のサービスと比較する。
【０１７１】
サービスネットワークを選択するための方法およびプロセスは、図２から図９により上記で詳細に説明されている。サービスネットワークの選択に関与するＲＡＮノード、ＵＥ、および管理デバイスは、図１０から図１３を参照して以下に詳細に説明される。
【０１７２】
図１０は、本発明の実施形態によるＲＡＮノードを示す概略ブロック図である。図１０に示されるＲＡＮノードは、プロセッサ１００１、受信機１００２、および送信機１００３を含む。
【０１７３】
受信機１００２は、メッセージを受信するように構成され、送信機１００３は、メッセージを送信するように構成される。プロセッサ１００１は、ユーザ機器ＵＥのサービス要件リストを決定するように構成され、サービス要件リストはＵＥによって要求される少なくとも１つのサービスを含む。プロセッサ１００１は、少なくとも１つのサービスネットワークのサービス能力リストを含むサービス能力リストセットを決定するようにさらに構成され、各サービス能力リストは、サービス能力リストに対応するサービスネットワークの識別子を含み、サービスネットワークによってサポートされる少なくとも１つのサービスを含む。プロセッサ１００１は、サービス要件リストおよびサービス能力リストセットに従って、ＵＥにサービスを提供する第１のサービスネットワークの第１の識別子を決定するようにさらに構成され、第１のサービスネットワークに対応するサービス能力リストは、サービス要件リスト内のサービスの全部または一部を含む。
【０１７４】
本発明のこの実施形態におけるネットワークデバイスによれば、サービスネットワークが動的に変化する場合、サービス要件を満たすサービスネットワークが、端末デバイスのサービス要件およびサービスネットワークのサービス能力に従ってＵＥに対して選択されてもよく、ネットワークが動的に変化する場合にサービスネットワークを選択するプロセスが簡略化されることができるように、およびシグナリングが節減されることができるようになっている。
【０１７５】
本発明のこの実施形態において、任意選択で、プロセッサ１００１は、特に、サービス要件リストおよびサービス能力リストセットに従って、サービス要件リスト内の最大量のサービスを含み、サービス能力リストセット内にあるサービス能力リストに対応する識別子を、ＵＥにサービスを提供する第１のサービスネットワークの第１の識別子として決定するように特に構成される。
【０１７６】
本発明の実施形態において、図１０に示されるネットワークデバイスは、ＵＥまたはＲＡＮノードであってもよい。ネットワークデバイスがＵＥである場合、受信機１００２は、ＲＡＮノードによって送信されたＲＲＣメッセージを受信するように特に構成され、ＲＲＣメッセージはサービス能力リストセットを搬送する。プロセッサ１００１は、受信機１００２によって受信されたＲＲＣメッセージに従ってサービス能力リストセットを決定するように特に構成される。送信機１００３は、別のＲＲＣメッセージをＲＡＮノードに送信するようにさらに特に構成され、ＲＲＣメッセージはＵＥにサービスを提供するサービスネットワークの識別子を搬送する。
【０１７７】
任意選択で、ＵＥによってＲＡＮノードに送信されたＲＲＣメッセージは、ＵＥのサービス要件リストをさらに搬送して、ＲＡＮノードが、サービス要件リストを搬送するメッセージを、ＵＥにサービスを提供する第１のサービスネットワークに送信するようにする。
【０１７８】
図１０に示されるネットワークデバイスがＲＡＮノードである場合、受信機１００２は、ＵＥによって送信されたＲＲＣメッセージを受信するように構成され、ＲＲＣメッセージは、ＵＥのサービス要件リストを搬送する。プロセッサ１００１は、受信機１００２によって受信されたＲＣメッセージに従ってサービス要件リストを決定するように特に構成される。受信機１００２は、管理デバイスによって送信されたサービスネットワークのサービス能力リストを受信するように、または少なくとも１つのサービスネットワークによって送信された少なくとも１つのサービスネットワークのサービス能力リストを受信するようにさらに構成される。プロセッサ１００１は、少なくとも１つのサービスネットワークのサービス能力リストを含むサービス能力リストセットを決定するようにさらに特に構成される。
【０１７９】
任意選択で、送信機１００３は、サービス要件リストを搬送するメッセージを、第１のサービスネットワークに送信するように特に構成されて、第１のサービスネットワークが、サービス要件リストおよび第１のサービスネットワークのサービス能力リストに従って通知メッセージをＵＥに送信するようにする。通知メッセージは、サービス要件リスト内にあって第１のサービスネットワークのサービス能力リストに含まれているサービスについてＵＥに通知するために使用される。
【０１８０】
任意選択で、受信機１００２は、管理デバイスによって送信された指示メッセージを受信するようにさらに構成され、指示メッセージは、少なくとも１つのサービスネットワークのサービス能力リストを追加、変更、または削除するようＲＡＮノードに指示するために使用される。プロセッサ１００１は、指示メッセージに従ってサービス能力セット内の少なくとも１つのサービスネットワークのサービス能力リストを、追加、変更、または削除するようにさらに構成される。
【０１８１】
任意選択で、ＵＥのサービス要件リストは、ＵＥによって要求される少なくとも１つのサービスの各々の優先度をさらに含むことがある。この場合、プロセッサ１００１は、サービスに対応する優先度の降順にサービス要件リスト内のサービスに従ってサービス能力リストセットを検索して、ＵＥにサービスを提供する第１のサービスネットワークの第１の識別子を決定するように特に構成される。
【０１８２】
本発明のこの実施形態において、プロセッサ１００１は、中央演算処理装置（Central Processing Unit、略称「CPU」）、またはプロセッサ１００１は、別の汎用プロセッサ、デジタル信号プロセッサ（ＤＳＰ）、特殊用途向け集積回路（ＡＳＩＣ）、フィールドプログラマブルゲートアレイ（ＦＰＧＡ）もしくはその他のプログラマブル論理デバイス、ディスクリートゲートもしくはトランジスタ論理デバイス、ディスクリートハードウェアコンポーネントなどであってもよいことを理解されたい。汎用プロセッサは、マイクロプロセッサであってもよいか、またはプロセッサは、任意の標準的なプロセッサなどであってもよい。
【０１８３】
図１１は、本発明の実施形態によるＲＡＮノードを示す概略ブロック図である。図１１に示されるＲＡＮノードは、送信機１１０１および受信機１１０２を含む。
【０１８４】
受信機１１０２は、管理デバイスによって送信された少なくとも１つのサービスネットワークのサービス能力リストを受信するか、または少なくとも１つのサービスネットワークによって送信された少なくとも１つのサービスネットワークのサービス能力リストを受信するように構成される。各サービス能力リストは、サービス能力リストに対応するサービスネットワークの識別子を含み、サービスネットワークによってサポートされる少なくとも１つのサービスを含む。送信機１１０１は、第１のＲＲＣメッセージをＵＥに送信するように構成される。第１のＲＲＣメッセージは、少なくとも１つのサービスネットワークのサービス能力リストを含むサービス能力リストセットを搬送し、各サービス能力リストは、サービス能力リストに対応するサービスネットワークの識別子を含み、サービスネットワークによってサポートされる少なくとも１つのサービスを含み、第１のＲＲＣメッセージは、ＵＥのサービス要件リストに従ってサービス能力リストセットから第１の識別子を決定するためにＵＥによって使用され、第１の識別子に対応するサービス能力リストは、サービス要件リスト内のサービスの全部または一部を含み、第１の識別子に対応する第１のサービスネットワークがＵＥにサービスを提供するようにし、サービス要件リストは、ＵＥによって要求される少なくとも１つのサービスを含む。受信機１１０２は、ＵＥによって送信された第２のＲＲＣメッセージを受信するように構成される。第２のＲＲＣメッセージは第１の識別子を搬送し、第２のＲＲＣメッセージは、第１のサービスネットワークがＵＥにサービスを提供することを指示するために使用される。
【０１８５】
本発明のこの実施形態におけるＲＡＮノードによれば、サービスネットワークが動的に変化する場合、サービス要件を満たすサービスネットワークが、端末デバイスのサービス要件およびサービスネットワークのサービス能力に従ってＵＥに対して選択されてもよく、ネットワークが動的に変化する場合にサービスネットワークを選択するプロセスが簡略化されることができるように、およびシグナリングが節減されることができるようになっている。
【０１８６】
任意選択で、ＵＥによって送信された第２のＲＲＣメッセージは、ＵＥのサービス要件リストをさらに搬送してもよい。送信機１１０１は、サービス要件リストを第１のサービスネットワークに送信するようにさらに構成され、第１のサービスネットワークが、サービス要件リストおよびサービスネットワークのサービス能力リストに従って通知メッセージをＵＥに送信するようにする。通知メッセージは、サービス要件リスト内にあって第１のサービスネットワークのサービス能力リストに含まれているサービスについてＵＥに通知するために使用される。
【０１８７】
任意選択で、受信機１１０２は、管理デバイスによって送信されたサービスネットワークのサービス能力リストを受信するようにさらに構成される。
【０１８８】
任意選択で、受信機１１０２は、管理デバイスによって送信された指示メッセージを受信するようにさらに構成され、指示メッセージは、少なくとも１つのサービスネットワークのサービス能力リストを追加、変更、または削除するようＲＡＮノードに指示するために使用される。これに対して、ＲＡＮノードは、指示メッセージに従ってサービス能力セット内の少なくとも１つのサービスネットワークのサービス能力リストを、追加、変更、または削除するように構成されたプロセッサをさらに含むことがある。
【０１８９】
図１２は、本発明の実施形態によるＵＥを示す概略ブロック図である。図１２に示されるＵＥは、プロセッサ１２０１、および送信機１２０２を含む。
【０１９０】
プロセッサ１２０１は、ＵＥのサービス要件リストを決定するように構成され、サービス要件リストはＵＥによって要求される少なくとも１つのサービスを含む。送信機１２０２は、ＲＲＣメッセージをＲＡＮノードに送信するように構成される。ＲＲＣメッセージはサービス要件リストを搬送し、ＲＲＣメッセージは、サービス要件リストに従って、少なくとも１つのサービスネットワークのサービス能力リストを含むサービス能力リストセットから第１の識別子を決定するためにＲＡＮノードによって使用され、第１の識別子に対応するサービス能力リストは、サービス要件リスト内のサービスの全部または一部を含み、第１の識別子に対応する第１のサービスネットワークがＵＥにサービスを提供するようにし、各サービス能力リストは、サービス能力リストに対応するサービスネットワークの識別子を含み、サービスネットワークによってサポートされる少なくとも１つのサービスを含む。
【０１９１】
本発明のこの実施形態におけるＵＥによれば、サービスネットワークが動的に変化する場合、サービス要件を満たすサービスネットワークが、端末デバイスのサービス要件およびサービスネットワークのサービス能力に従ってＵＥに対して選択されてもよく、ネットワークが動的に変化する場合にサービスネットワークを選択するプロセスが簡略化されることができるように、およびシグナリングが節減されることができるようになっている。
【０１９２】
任意選択で、ＵＥは、サービス要件リストおよび第１のサービスネットワークのサービス能力リストに従って第１のサービスネットワークによってＵＥに送信された通知メッセージを受信するように構成された受信機をさらに含むことがある。通知メッセージは、サービス要件リスト内にあって第１のサービスネットワークのサービス能力リストに含まれているサービスについてＵＥに通知するために使用される。
【０１９３】
任意選択で、ＵＥのサービス要件リストは、ＵＥによって要求される少なくとも１つのサービスの各々の優先度をさらに含むことがある。プロセッサ１２０１は、サービスに対応する優先度の降順にサービス要件リスト内のサービスに従ってサービス能力リストセットを検索して、ＵＥにサービスを提供する第１のサービスネットワークの第１の識別子を決定するように特に構成される。
【０１９４】
本発明のこの実施形態において、プロセッサ１２０１は、中央演算処理装置（Central Processing Unit、略称「CPU」）、またはプロセッサ１２０１は、別の汎用プロセッサ、デジタル信号プロセッサ（ＤＳＰ）、特殊用途向け集積回路（ＡＳＩＣ）、フィールドプログラマブルゲートアレイ（ＦＰＧＡ）もしくはその他のプログラマブル論理デバイス、ディスクリートゲートもしくはトランジスタ論理デバイス、ディスクリートハードウェアコンポーネントなどであってもよいことを理解されたい。汎用プロセッサは、マイクロプロセッサであってもよいか、またはプロセッサは、任意の標準的なプロセッサなどであってもよい。
【０１９５】
図１３は、本発明の実施形態による管理デバイスを示す概略ブロック図である。図１３に示される管理デバイスは、受信機１３０１、および送信機１３０２を含む。サービスネットワークのサービス能力リストは、管理デバイスに配備される。
【０１９６】
受信機１３０１は、サービスネットワークによって送信されたサービスネットワークのサービス能力リストを受信するように構成され、サービス能力リストは、サービスネットワークの識別子およびサービスネットワークによってサポートされる少なくとも１つのサービスを含む。送信機１３０２は、サービスネットワークのサービス能力リストをＲＡＮノードに送信するように構成される。
【０１９７】
本発明のこの実施形態における管理デバイスによれば、サービスネットワークが動的に変化する場合、サービスネットワークのステータスが、時間内にＲＡＮノードに更新されてもよく、ＲＡＮノードが、ネットワークスライスのサービス能力リストを追加、更新、または削除し得るようにして、最終的に、サービスネットワークが動的に変化する場合にサービスネットワークを選択するプロセスが簡略化されることができるように、およびシグナリングが節減されることができるようにする。
【０１９８】
任意選択で、管理デバイスは、指示メッセージを生成するように構成されたプロセッサをさらに含むことがあり、指示メッセージは、サービスネットワークのサービス能力リストを追加、変更、または削除するようＲＡＮノードに指示するために使用される。送信機１３９２は、指示メッセージをＲＡＮノードに送信するようにさらに構成される。
【０１９９】
本発明のこの実施形態において、プロセッサは、中央演算処理装置（Central Processing Unit、略称「CPU」）、またはプロセッサは、別の汎用プロセッサ、デジタル信号プロセッサ（ＤＳＰ）、特殊用途向け集積回路（ＡＳＩＣ）、フィールドプログラマブルゲートアレイ（ＦＰＧＡ）もしくはその他のプログラマブル論理デバイス、ディスクリートゲートもしくはトランジスタ論理デバイス、ディスクリートハードウェアコンポーネントなどであってもよいことを理解されたい。汎用プロセッサは、マイクロプロセッサであってもよいか、またはプロセッサは、任意の標準的なプロセッサなどであってもよい。
【０２００】
当業者であれば、この明細書において開示される実施形態において説明されている例との組み合わせで、ユニットおよびアルゴリズムステップは、電子ハードウェアまたはコンピュータソフトウェアと電子ハードウェアの組み合わせにより実施されてもよいことを理解してもよい。機能がハードウェアまたはソフトウェアのいずれによって実行されるかは、技術的解決策の特定のアプリケーションおよび設計の制約条件により異なる。当業者は、各々特定のアプリケーションについて説明されている機能を実施するために異なる方法を使用することがあるが、その実施が、本発明の範囲を逸脱するものと見なされるべきではない。
【０２０１】
簡便で簡潔な説明を目的として、前述のシステム、装置、およびユニットの詳細な動作プロセスに関しては、前述の方法の実施形態における対応するプロセスが参照されてもよく、詳細はここで再度説明されないことが、当業者には明確に理解されてもよい。
【０２０２】
本明細書において提供されるいくつかの実施形態において、開示されるシステム、装置、および方法がその他の方法で実施されてもよいことを理解されたい。たとえば、説明される装置の実施形態は、例示的なものに過ぎない。たとえば、ユニット部は、論理機能部に過ぎず、実際の実施態様においてその他の部分があってもよい。たとえば、複数のユニットまたはコンポーネントは、別のシステムに複合または統合されてもよいか、または一部の特徴が無視されるか、実行されなくてもよい。加えて、表示されるかまたは説明される相互結合もしくは直接結合または通信接続は、一部のインターフェイスを使用することにより実施されてもよい。装置またはユニット間の間接結合または通信接続は、電子的、機械的、またはその他の形態で実施されてもよい。
【０２０３】
別個の部品として説明されるユニットは、物理的に分離されていることも、分離されていないこともあり、ユニットとして表示される部品は、物理的なユニットであることも、物理的なユニットではないこともあり、１つの位置に配置されてもよいか、または複数のネットワークユニット上に分散されてもよい。ユニットの一部または全部は、実施形態の解決策の目的を達成するための実際の要件に応じて選択されてもよい。
【０２０４】
機能がソフトウェア機能ユニットの形態で実施され、独立した製品として販売または使用される場合、機能は、コンピュータ可読ストレージ媒体に格納されてもよい。そのような理解に基づいて、基本的に本発明の技術的解決策、または従来技術に寄与する部分、または技術的解決策の一部は、ソフトウェア製品の形態で実施されてもよい。ソフトウェア製品は、ストレージ媒体に格納され、コンピュータデバイス（パーソナルコンピュータ、サーバ、ネットワークデバイスなどであってもよい）に本発明の実施形態において説明される方法のステップの全部または一部を実行するよう指示するための複数の命令を含む。前述のストレージ媒体は、ＵＳＢフラッシュドライブ、取り外し可能ハードディスク、読み取り専用メモリ（Read-Only Memory、ROM）、ランダムアクセスメモリ（Random Access Memory、RAM）、磁気ディスク、または光ディスクのような、プログラムコードを格納することができる任意の媒体を含む。
【０２０５】
前述の説明は、本発明の特定の実施態様に過ぎず、本発明の保護適用範囲を限定することを意図されていない。本発明において開示される技術的範囲内の当業者により容易に考案される任意の変形または置換は、本発明の保護適用範囲に含まれるものとする。したがって、本発明の保護適用範囲は、特許請求の保護適用範囲に従うものとする。
【図１】
2020127237.tif 000007
【図２】
2020127237.tif 000008
【図３】
2020127237.tif 000009
【図４】
2020127237.tif 000010
【図５】
2020127237.tif 000011
【図６】
2020127237.tif 000012
【図７】
2020127237.tif 000013
【図８】
2020127237.tif 000014
【図９】
2020127237.tif 000015
【図１０】
2020127237.tif 000016
【図１１】
2020127237.tif 000017
【図１２】
2020127237.tif 000018
【図１３】
2020127237.tif 000019
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
ネットワークスライスを選択するための方法であって、
少なくとも１つのネットワークスライスを管理するための、ネットワークにおける管理デバイスによって、ユーザ機器ＵＥのサービス要件リストを決定するステップであって、前記サービス要件リストは、前記ＵＥに対する少なくとも１つのサービスを含む、ステップと、
前記管理デバイスによって、前記少なくとも１つのネットワークスライスのサービス能力リストを含むサービス能力リストセットを決定するステップであって、前記サービス能力リストは、前記サービス能力リストに対応するネットワークスライスの識別子を含み、かつ前記ネットワークスライスによってサポートされる少なくとも１つのサービスを含む、ステップと、
前記管理デバイスによって、前記サービス要件リスト及び前記サービス能力リストセットに従って、前記ＵＥに対するサービスを提供する第１のネットワークスライスの第１の識別子を決定するステップであって、前記第１のネットワークスライスに対応するサービス能力リストは、前記サービス要件リスト内の前記サービスの全部または一部を含む、ステップと
を含む、方法。
【請求項２】
前記サービス要件リストは、前記ＵＥに対する前記少なくとも１つのサービスに対応する優先度をさらに含み、前記第１の識別子を決定する前記ステップは、
前記サービス要件リスト内のサービスに従って、前記サービスに対応する優先度の降順に前記サービス能力リストセットを検索して前記第１の識別子を決定するステップを含む、
請求項１に記載の方法。
【請求項３】
ネットワークスライスによって、前記ネットワークスライスのサービス能力リストを前記管理デバイスへ送信するステップをさらに含む
請求項１又は２に記載の方法。
【請求項４】
前記サービスは、モバイルブロードバンドサービス、車車間通信サービス、マシンタイプ通信サービス、超低遅延サービス、超高信頼性サービス、又はインターネットプロトコル（ＩＰ）継続性保持サービスを含む、
請求項１〜３のいずれか１項に記載の方法。
【請求項５】
ユーザ機器の前記サービス要件リストは、加入者サーバによって設定される、
請求項１〜４のいずれか１項に記載の方法。
【請求項６】
前記第１の識別子の前記決定は、前記サービス能力リストセット内の前記少なくとも１つの能力リストのうち前記サービス要件リストにおける最大数量のサービスを含む前記第１の識別子に対応する前記サービス能力リストの効能によるものである、
請求項１〜５のいずれか１項に記載の方法。
【請求項７】
少なくとも１つのネットワークスライスを管理するための、かつ前記少なくとも１つのネットワークスライスからネットワークスライスを選択するための、ネットワークにおける管理デバイスであって、受信機、プロセッサ、及び送信機を含み、前記プロセッサは、
ユーザ機器ＵＥのサービス要件リストを決定することであって、前記サービス要件リストは、前記ＵＥに対する少なくとも１つのサービスを含む、ことと、
前記少なくとも１つのネットワークスライスのサービス能力リストを含むサービス能力リストセットを決定することであって、前記サービス能力リストは、前記サービス能力リストに対応するネットワークスライスの識別子を含み、かつ前記ネットワークスライスによってサポートされる少なくとも１つのサービスを含む、ことと、
前記サービス要件リスト及び前記サービス能力リストセットに従って、前記ＵＥに対するサービスを提供する第１のネットワークスライスの第１の識別子を決定することであって、前記第１のネットワークスライスに対応するサービス能力リストは、前記サービス要件リスト内の前記サービスの全部または一部を含む、ことと
を行うように構成されている、ネットワークデバイス。
【請求項８】
前記サービス要件リストは、前記ＵＥに対する前記少なくとも１つのサービスに対応する優先度をさらに含み、
前記プロセッサは、前記サービス要件リスト内のサービスに従って、前記サービスに対応する優先度の降順に前記サービス能力リストセットを検索して前記第１の識別子を決定するようにさらに構成されている、
請求項７に記載のネットワークデバイス。
【請求項９】
前記ネットワークデバイスは、少なくとも１つのネットワークスライスを管理するための管理デバイスである、
請求項７又は８に記載のネットワークデバイス。
【請求項１０】
前記サービスは、モバイルブロードバンドサービス、車車間通信サービス、マシンタイプ通信サービス、超低遅延サービス、超高信頼性サービス、又はインターネットプロトコル（ＩＰ）継続性保持サービスを含む、
請求項７〜９のいずれか１項に記載のネットワークデバイス。
【請求項１１】
ユーザ機器の前記サービス要件リストは、加入者サーバによって設定される、
請求項７〜１０のいずれか１項に記載のネットワークデバイス。
【請求項１２】
前記第１の識別子の前記決定は、前記サービス能力リストセット内の前記少なくとも１つの能力リストのうち前記サービス要件リストにおける最大数量のサービスを含む前記第１の識別子に対応する前記サービス能力リストの効能によるものである、
請求項７〜１１のいずれか１項に記載のネットワークデバイス。
【請求項１３】
そこに格納されるプログラムを有するコンピュータ可読記録媒体であって、前記プログラムは、請求項１〜６のいずれか１項に記載の前記方法を実行するための命令を含む、コンピュータ可読記録媒体。
【手続補正２】
【補正対象書類名】明細書
【補正対象項目名】全文
【補正方法】変更
【補正の内容】
【発明の詳細な説明】
【技術分野】
【０００１】
本発明は、移動体通信の分野に関し、より詳細には、サービスネットワークを選択するための、方法、ネットワークデバイス、無線アクセスネットワーク（Radio Access Network、RAN）ノード、およびユーザ機器、ならびに管理デバイスに関する。
【背景技術】
【０００２】
現在、進化型パケットコア（Evolved Packet Core、EPC）において、専用コア（Dedicated Core、DECOR）ネットワークが動的に変化する場合、たとえばＤＥＣＯＲがサービス休止中である場合に、ＤＥＣＯＲに対応するユーザ機器（User Equipment、UE）は、別のＤＥＣＯＲに移行される必要がある、つまり対応するＤＥＣＯＲはＵＥに対して再選択される。
【０００３】
既存のＤＥＣＯＲネットワーク選択技術において、対応するＤＥＣＯＲは主として、再配置の概念に基づいてＵＥに対して選択される。ネットワーク選択技術の具体的なステップは以下のとおりである。
【０００４】
（１）  ＤＥＣＯＲが動的に変化する場合、たとえばネットワークが新しいＤＥＣＯＲを生成するか、またはＤＥＣＯＲがサービス休止中である場合に、ホーム加入者サーバ（Home Subscriber Server、HSS）は、サブスクリプションデータ手順を開始して、モビリティ管理エンティティ（Mobility Management Entity、MME）に格納されているＵＥサブスクリプションデータを更新し、ＭＭＥは肯定応答メッセージをＨＳＳに送信する。
【０００５】
（２）  ＵＥがアイドル状態である場合、ＭＭＥは、ページング手順を開始して、ＭＭＥとＵＥの間のチャネルを復元する必要がある。
【０００６】
（３）  ＵＥが接続状態にある場合、ＭＭＥは、グローバル一意一時ＵＥ識別（Globally Unique Temporary UE Identity、GUTI）再配置手順を開始して、無線リソースを解放し、ＵＥがトラッキングエリア更新（Tracking Area Update、TAU）要求手順を開始するようにする。
【０００７】
（４）  ＵＥが、元のＤＥＣＯＲにアクセスするためにＴＡＵ要求手順を開始する場合、ＵＥサブスクリプションデータが更新されているので、元のＤＥＣＯＲがＵＥへのサービス提供を続行するのに不適切であることが決定され、元のＤＥＣＯＲは、更新されたサブスクリプションデータに従って、ＵＥに適切な新しいＤＥＣＯＲを見出し、次いで元のＤＥＣＯＲは、再ガイダンス手順を開始して、ＵＥの要求を新しいＤＥＣＯＲに再送信するようＲＡＮノードに指示する。
【０００８】
（５）  新しいＤＥＣＯＲは、ＵＥのアクセス要求を受諾し、ＵＥにサービスを提供して、ＵＥの移行プロセスが実施されるようにする。
【０００９】
サービスネットワーク選択技術は、以下のような問題を有している。移行される必要のあるＵＥが、元のＤＥＣＯＲに登録されているＵＥを新しいＤＥＣＯＲに移行するために、ＴＡＵリダイレクション手順および再ガイダンス手順を実行する場合、シグナリングストームが容易に引き起こされ、加えて、ＵＥを別のＤＥＣＯＲに移行するために、ＨＳＳは、サブスクリプションデータ更新手順を開始して、ＤＥＣＯＲに現在登録されているすべてのＵＥのサブスクリプションデータを更新する必要がある。ＨＳＳにとって、シグナリング負荷は、過剰に重いものである。
【発明の概要】
【００１０】
本発明は、サービスネットワークを選択するための方法、無線アクセスネットワークノード、およびユーザ機器を提供して、サービスネットワークが動的に変化する場合にサービスネットワークを選択するプロセスが簡略化されることができるように、およびシグナリングが節減されることができるようにする。
【００１１】
第１の態様によれば、サービスネットワークを選択するための方法が提供され、方法は、ＵＥのサービス要件リストを決定するステップであって、サービス要件リストはＵＥによって要求される少なくとも１つのサービスを含む、ステップと、少なくとも１つのサービスネットワークのサービス能力リストを含むサービス能力リストセットを決定するステップであって、各サービス能力リストは、サービス能力リストに対応するサービスネットワークの識別子を含み、サービスネットワークによってサポートされる少なくとも１つのサービスを含む、ステップと、サービス要件リストおよびサービス能力リストセットに従って、ＵＥにサービスを提供する第１のサービスネットワークの第１の識別子を決定するステップであって、第１のサービスネットワークに対応するサービス能力リストは、サービス要件リスト内のサービスの全部または一部を含む、ステップとを含む。
【００１２】
第１の態様を参照すると、第１の可能な実施態様において、サービス要件リストおよびサービス能力リストセットに従って、ＵＥにサービスを提供する第１のサービスネットワークの第１の識別子を決定するステップであって、第１のサービスネットワークに対応するサービス能力リストは、サービス要件リスト内のサービスの全部または一部を含む、ステップは、サービス要件リストおよびサービス能力リストセットに従って、サービス要件リスト内の最大量のサービスを含み、サービス能力リストセット内にあるサービス能力リストに対応する識別子を、第１の識別子として決定するステップを含む。
【００１３】
第１の態様または第１の可能な実施態様を参照して、第２の可能な実施態様において、方法は、ＵＥによって実行され、少なくとも１つのサービスネットワークのサービス能力リストを含むサービス能力リストセットを決定するステップは、ＲＡＮノードによって送信された第１のＲＲＣメッセージを、ＵＥにより、受信するステップであって、第１のＲＲＣメッセージはサービス能力リストセットを搬送する、ステップと、第１のＲＲＣメッセージに従ってサービス能力リストセットを決定するステップとを含み、方法は、第２のＲＲＣメッセージを、ＵＥにより、ＲＡＮノードに送信するステップであって、第２のＲＲＣメッセージは第１の識別子を搬送し、第２のＲＲＣメッセージは、第１のサービスネットワークがＵＥにサービスを提供することを指示するために使用される、ステップをさらに含む。
【００１４】
第２の可能な実施態様を参照して、第３の可能な実施態様において、第２のＲＲＣメッセージは、サービス要件リストをさらに搬送して、ＲＡＮノードがサービス要件リストを第１のサービスネットワークに送信するようにする。
【００１５】
第１の態様または第１の可能な実施態様を参照して、第４の可能な実施態様において、方法は、ＲＡＮノードによって実行され、ＵＥのサービス要件リストを決定するステップは、ＵＥによって送信された第３のＲＲＣメッセージを、ＲＡＮノードにより、受信するステップであって、第３のＲＲＣメッセージはサービス能力リストを搬送する、ステップと、第３のＲＲＣメッセージに従ってサービス能力リストを決定するステップとを含み、少なくとも１つのサービスネットワークのサービス能力リストを含むサービス能力リストセットを決定するステップは、管理デバイスによって送信された少なくとも１つのサービスネットワークのサービス能力リストを、ＲＡＮノードにより、受信するステップ、または少なくとも１つのサービスネットワークによって送信された少なくとも１つのサービスネットワークのサービス能力リストを受信するステップと、少なくとも１つのサービスネットワークのサービス能力リストを含むサービス能力リストセットを決定するステップとを含む。
【００１６】
第３の可能な実施態様または第４の可能な実施態様を参照して、第５の可能な実施態様において、方法は、サービス要件リストおよび第１の識別子を搬送するメッセージを、ＲＡＮノードにより、第１のサービスネットワークに送信して、第１のサービスネットワークが、サービス要件リストおよび第１のサービスネットワークのサービス能力リストに従って通知メッセージをＵＥに送信するようにするステップであって、通知メッセージは、サービス要件リスト内にあって第１のサービスネットワークのサービス能力リストに含まれているサービスについてＵＥに通知するために使用される、ステップをさらに含む。
【００１７】
第３から第５の可能な実施態様のいずれか一つを参照して、第６の可能な実施態様において、方法は、管理デバイスによって送信された指示メッセージを、ＲＡＮノードにより、受信するステップであって、指示メッセージは、少なくとも１つのサービスネットワークのサービス能力リストを追加、変更、または削除するようＲＡＮノードに指示するために使用される、ステップと、指示メッセージに従ってサービス能力セット内の少なくとも１つのサービスネットワークのサービス能力リストを、ＲＡＮノードにより、追加、変更、または削除するステップとをさらに含む。
【００１８】
第１の態様、または第１から第６の可能な実施態様のいずれか一つを参照して、第７の可能な実施態様において、サービス要件リストは、サービスに対応する優先度をさらに含み、サービス要件リストおよびサービス能力リストセットに従って、ＵＥにサービスを提供する第１のサービスネットワークの第１の識別子を決定するステップは、サービスに対応する優先度の降順にサービス要件リスト内のサービスに従ってサービス能力リストセットを検索して、ＵＥにサービスを提供する第１のサービスネットワークの第１の識別子を決定するステップを含む。
【００１９】
第２の態様によれば、サービスネットワークを選択するための方法が提供され、方法は、管理デバイスによって送信された少なくとも１つのサービスネットワークのサービス能力リストを、ＲＡＮノードにより、受信するステップ、または少なくとも１つのサービスネットワークによって送信された少なくとも１つのサービスネットワークのサービス能力リストを受信するステップであって、各サービス能力リストは、サービス能力リストに対応するサービスネットワークの識別子を含み、サービスネットワークによってサポートされる少なくとも１つのサービスを含む、ステップと、ＲＡＮノードにより、第１のＲＲＣメッセージをＵＥに送信するステップであって、第１のＲＲＣメッセージは、少なくとも１つのサービスネットワークのサービス能力リストを含むサービス能力リストセットを搬送し、第１のＲＲＣメッセージは、ＵＥのサービス要件リストおよびサービス能力リストセットに従って、ＵＥにサービスを提供する第１のサービスネットワークの第１の識別子を決定するためにＵＥによって使用され、第１のサービスネットワークのサービス能力リストは、サービス要件リスト内のサービスの全部または一部を含み、サービス要件リストは、ＵＥによって要求される少なくとも１つのサービスを含む、ステップと、ＵＥによって送信された第２のＲＲＣメッセージを、ＲＡＮノードにより、受信するステップであって、第２のＲＲＣメッセージは少なくとも１つのサービスネットワーク内の第１のサービスネットワークの第１の識別子を搬送し、第２のＲＲＣメッセージは、第１のサービスネットワークがＵＥにサービスを提供することを指示するために使用される、ステップとを含む。
【００２０】
第２の態様を参照して、第１の可能な実施態様において、第２のＲＲＣメッセージはサービス要件リストをさらに搬送し、方法は、サービス要件リストを、ＲＡＮノードにより、第１のサービスネットワークに送信して、第１のサービスネットワークが、サービス要件リストおよび第１のサービスネットワークのサービス能力リストに従って通知メッセージをＵＥに送信するようにするステップであって、通知メッセージは、サービス要件リスト内にあって第１のサービスネットワークのサービス能力リストに含まれているサービスについてＵＥに通知するために使用される、ステップをさらに含む。
【００２１】
第２の態様または第１の可能な実施態様を参照して、第２の可能な実施態様において、ＲＡＮノードは、管理デバイスによって送信された指示メッセージを受信するようにさらに構成され、指示メッセージは、少なくとも１つのサービスネットワークのサービス能力リストを追加、変更、または削除するようＲＡＮノードに指示するために使用され、ＲＡＮノードは、指示メッセージに従ってサービス能力セット内の少なくとも１つのサービスネットワークのサービス能力リストを、追加、変更、または削除するようにさらに構成される。
【００２２】
第３の態様によれば、サービスネットワークを選択するための方法が提供され、方法は、ＵＥのサービス要件リストを、ＵＥによって、決定するステップであって、サービス要件リストはＵＥによって要求される少なくとも１つのサービスを含む、ステップと、ＵＥにより、ＲＲＣメッセージをＲＡＮノードに送信するステップであって、ＲＲＣメッセージはサービス要件リストを搬送し、ＲＲＣメッセージは、サービス要件リストおよび少なくとも１つのサービスネットワークのサービス能力リストを含むサービス能力リストセットに従って、ＵＥにサービスを提供する第１のサービスネットワークの第１の識別子を決定するためにＲＡＮノードによって使用され、第１のサービスネットワークのサービス能力リストは、サービス要件リスト内のサービスの全部または一部を含み、各サービス能力リストは、サービス能力リストに対応するサービスネットワークの識別子を含み、サービスネットワークによってサポートされる少なくとも１つのサービスを含む、ステップとを含む。
【００２３】
第３の態様を参照すると、第１の可能な実施態様において、方法は、サービス要件リストおよび第１のサービスネットワークのサービス能力リストに従って第１のサービスネットワークによってＵＥに送信される通知メッセージを、ＵＥにより、受信するステップであって、通知メッセージは、サービス要件リスト内にあって第１のサービスネットワークのサービス能力リストに含まれているサービスについてＵＥに通知するために使用される、ステップをさらに含む。
【００２４】
第４の態様によれば、サービスネットワークを管理するための方法が提供され、方法は、サービスネットワークによって送信されたサービスネットワークのサービス能力リストを、管理デバイスにより、受信するステップであって、サービス能力リストは、サービスネットワークの識別子およびサービスネットワークによってサポートされる少なくとも１つのサービスを含む、ステップと、管理デバイスにより、サービス能力リストをＲＡＮノードに送信するステップとを含む。
【００２５】
第４の態様を参照して、第１の可能な実施方法において、方法は、管理デバイスにより、指示メッセージを生成するステップであって、指示メッセージは、サービスネットワークのサービス能力リストを追加、変更、または削除するようＲＡＮノードに指示するために使用される、ステップと、管理デバイスにより、指示メッセージをＲＡＮノードに送信するステップとをさらに含む。
【００２６】
第５の態様によれば、サービスネットワークを選択するためのネットワークデバイスが提供され、ネットワークデバイスは、受信機と、プロセッサと、送信機とを含み、受信機はメッセージを受信するように構成され、送信機はメッセージを送信するように構成され、プロセッサは、ユーザ機器ＵＥのサービス要件リストを決定するように構成され、サービス要件リストはＵＥによって要求される少なくとも１つのサービスを含み、プロセッサは、少なくとも１つのサービスネットワークのサービス能力リストを含むサービス能力リストセットを決定するようにさらに構成され、各サービス能力リストは、サービス能力リストに対応するサービスネットワークの識別子を含み、サービスネットワークによってサポートされる少なくとも１つのサービスを含み、プロセッサは、サービス要件リストおよびサービス能力リストセットに従って、ＵＥにサービスを提供する第１のサービスネットワークの第１の識別子を決定するようにさらに構成され、第１のサービスネットワークに対応するサービス能力リストは、サービス要件リスト内のサービスの全部または一部を含む。
【００２７】
第５の態様を参照して、第１の可能な実施態様において、プロセッサは、サービス要件リストおよびサービス能力リストセットに従って、サービス要件リスト内の最大量のサービスを含み、サービス能力リストセット内にあるサービス能力リストに対応する識別子を、第１の識別子として決定するように特に構成される。
【００２８】
第５の態様または第１の可能な実施態様を参照して、第２の可能な実施形態において、ネットワークデバイスは、ＵＥであり、受信機は、ＲＡＮノードによって送信された第１のＲＲＣメッセージを受信するように構成され、第１のＲＲＣメッセージはサービス能力リストセットを搬送し、プロセッサは、受信機によって受信された第１のＲＲＣメッセージに従ってサービス能力リストセットを決定するように特に構成され、送信機は、第２のＲＲＣメッセージをＲＡＮノードに送信するように構成され、第２のＲＲＣメッセージは第１の識別子を搬送する。
【００２９】
第２の可能な実施態様を参照して、第３の可能な実施態様において、第２のＲＲＣメッセージは、サービス要件リストをさらに搬送して、ＲＡＮノードがサービス要件リストを搬送するメッセージを第１のサービスネットワークに送信するようにする。
【００３０】
第５の態様または第１の可能な実施態様を参照して、第４の可能な実施態様において、ネットワークデバイスは、ＲＡＮノードであり、受信機は、ＵＥによって送信された第３のＲＲＣメッセージを受信するように構成され、第３のＲＲＣメッセージはサービス要件リストを搬送し、プロセッサは、受信機によって受信された第３のＲＲＣメッセージに従ってサービス要件リストを決定するように特に構成され、受信機は、管理デバイスによって送信されたサービスネットワークのサービス能力リストを受信するように、または少なくとも１つのサービスネットワークによって送信された少なくとも１つのサービスネットワークのサービス能力リストを受信するようにさらに構成され、プロセッサは、少なくとも１つのサービスネットワークのサービス能力リストを含むサービス能力リストセットを決定するようにさらに特に構成される。
【００３１】
第３の可能な実施態様または第４の可能な実施態様を参照して、第５の可能な実施態様において、送信機は、サービス要件リストを搬送するメッセージを、第１のサービスネットワークに送信するように構成されて、第１のサービスネットワークが、サービス要件リストおよび第１のサービスネットワークのサービス能力リストに従って通知メッセージをＵＥに送信するようにし、通知メッセージは、サービス要件リスト内にあって第１のサービスネットワークのサービス能力リストに含まれているサービスについてＵＥに通知するために使用される。
【００３２】
第３から第５の可能な実施態様のいずれか一つを参照して、第６の可能な実施態様において、受信機は、管理デバイスによって送信された指示メッセージを受信するようにさらに構成され、指示メッセージは、少なくとも１つのサービスネットワークのサービス能力リストを追加、変更、または削除するようＲＡＮノードに指示するために使用され、プロセッサは、指示メッセージに従ってサービス能力セット内の少なくとも１つのサービスネットワークのサービス能力リストを、追加、変更、または削除するようにさらに構成される。
【００３３】
第５の態様、または第１から第６の可能な実施態様のいずれか一つを参照して、第７の可能な実施態様において、サービス要件リストは、ＵＥによって要求される少なくとも１つのサービスの各々に対応する優先度をさらに含み、プロセッサは、サービスに対応する優先度の降順にサービス要件リスト内のサービスに従ってサービス能力リストセットを検索して、ＵＥにサービスを提供する第１のサービスネットワークの第１の識別子を決定するように特別に構成される。
【００３４】
第６の態様によれば、送信機および受信機を含む、サービスネットワークを選択するためのＲＡＮノードが提供され、受信機は、管理デバイスによって送信された少なくとも１つのサービスネットワークのサービス能力リストを受信するように、または少なくとも１つのサービスネットワークによって送信された少なくとも１つのサービスネットワークのサービス能力リストを受信するように構成され、各サービス能力リストは、サービス能力リストに対応するサービスネットワークの識別子を含み、サービスネットワークによってサポートされる少なくとも１つのサービスを含み、送信機は、第１のＲＲＣメッセージをＵＥに送信するように構成され、第１のＲＲＣメッセージは、少なくとも１つのサービスネットワークのサービス能力リストを含むサービス能力リストセットを搬送し、第１のＲＲＣメッセージは、ＵＥのサービス要件リストに従って、サービス能力リストセットからＵＥにサービスを提供する第１のサービスネットワークの第１の識別子を決定するためにＵＥによって使用され、第１のサービスネットワークのサービス能力リストは、サービス要件リスト内のサービスの全部または一部を含み、サービス要件リストは、ＵＥによって要求される少なくとも１つのサービスを含み、受信機は、ＵＥによって送信された第２のＲＲＣメッセージを受信するように構成され、第２のＲＲＣメッセージは少なくとも１つのサービスネットワーク内の第１のサービスネットワークの第１の識別子を搬送し、第２のＲＲＣメッセージは、第１のサービスネットワークがＵＥにサービスを提供することを指示するために使用される。
【００３５】
第６の態様を参照して、第１の可能な実施態様において、第２のＲＲＣメッセージはサービス要件リストをさらに搬送し、送信機は、サービス要件リストを第１のサービスネットワークに送信するようにさらに構成され、第１のサービスネットワークが、サービス要件リストおよびサービスネットワークのサービス能力リストに従って通知メッセージをＵＥに送信するようにし、通知メッセージは、サービス要件リスト内にあって第１のサービスネットワークのサービス能力リストに含まれているサービスについてＵＥに通知するために使用される。
【００３６】
第６の態様または第１の可能な実施態様を参照して、第２の可能な実施態様において、受信機は、管理デバイスによって送信された指示メッセージを受信するようにさらに構成され、指示メッセージは、少なくとも１つのサービスネットワークのサービス能力リストを追加、変更、または削除するようＲＡＮノードに指示するために使用され、ＲＡＮノードは、指示メッセージに従ってサービス能力セット内の少なくとも１つのサービスネットワークのサービス能力リストを、追加、変更、または削除するように構成されたプロセッサをさらに含む。
【００３７】
第７の態様によれば、プロセッサおよび送信機を含む、サービスネットワークを選択するためのユーザ機器ＵＥが提供され、プロセッサは、ＵＥのサービス要件リストを決定するように構成され、サービス要件リストはＵＥによって要求される少なくとも１つのサービスを含み、送信機は、ＲＲＣメッセージをＲＡＮノードに送信するように構成され、ＲＲＣメッセージはサービス要件リストを搬送し、ＲＲＣメッセージは、サービス要件リストおよび少なくとも１つのサービスネットワークのサービス能力リストを含むサービス能力リストセットに従って、ＵＥにサービスを提供する第１のサービスネットワークの第１の識別子を決定するためにＲＡＮノードによって使用され、第１のサービスネットワークのサービス能力リストは、サービス要件リスト内のサービスの全部または一部を含み、各サービス能力リストは、サービス能力リストに対応するサービスネットワークの識別子を含み、サービスネットワークによってサポートされる少なくとも１つのサービスを含む。
【００３８】
第７の態様を参照して、第１の可能な実施態様において、ＵＥは、サービス要件リストおよび第１のサービスネットワークのサービス能力リストに従って第１のサービスネットワークによってＵＥに送信される通知メッセージを受信するように構成された受信機をさらに含み、通知メッセージは、サービス要件リスト内にあって第１のサービスネットワークのサービス能力リストに含まれているサービスについてＵＥに通知するために使用される。
【００３９】
第８の態様によれば、受信機および送信機を含む管理デバイスが提供され、受信機は、サービスネットワークによって送信されたサービスネットワークのサービス能力リストを受信するように構成され、サービス能力リストは、サービスネットワークの識別子およびサービスネットワークによってサポートされる少なくとも１つのサービスを含み、送信機は、サービス能力リストをＲＡＮノードに送信するように構成される。
【００４０】
第８の態様を参照して、第１の可能な実施態様において、管理デバイスは、指示メッセージを生成するように構成されたプロセッサをさらに含み、指示メッセージは、サービスネットワークのサービス能力リストを追加、変更、または削除するようＲＡＮノードに指示するために使用され、送信機は、指示メッセージをＲＡＮノードに送信するようにさらに構成される。
【００４１】
第９の態様によれば、処理モジュールを含む、サービスネットワークを選択するためのネットワークデバイスが提供され、処理モジュールは、ユーザ機器ＵＥのサービス要件リストを決定するように構成され、サービス要件リストはＵＥによって要求される少なくとも１つのサービスを含み、処理モジュールは、少なくとも１つのサービスネットワークのサービス能力リストを含むサービス能力リストセットを決定するようにさらに構成され、各サービス能力リストは、サービス能力リストに対応するサービスネットワークの識別子を含み、サービスネットワークによってサポートされる少なくとも１つのサービスを含み、処理モジュールは、サービス要件リストおよびサービス能力リストセットに従って、ＵＥにサービスを提供する第１のサービスネットワークの第１の識別子を決定するようにさらに構成され、第１のサービスネットワークに対応するサービス能力リストは、サービス要件リスト内のサービスの全部または一部を含む。
【００４２】
第９の態様を参照して、第１の可能な実施態様において、処理モジュールは、サービス要件リストおよびサービス能力リストセットに従って、サービス要件リスト内の最大量のサービスを含み、第１の識別子としてサービス能力リストセット内にあるサービス能力リストに対応する識別子を、第１の識別子として決定するように特に構成される。
【００４３】
第９の態様または第１の可能な実施態様を参照して、第２の可能な実施態様において、ネットワークデバイスはＵＥであり、ＵＥは、受信モジュールおよび送信モジュールをさらに含み、受信モジュールは、ＲＡＮノードによって送信された第１のＲＲＣメッセージを受信するように構成され、第１のＲＲＣメッセージはサービス能力リストセットを搬送し、処理モジュールは、受信モジュールによって受信された第１のＲＲＣメッセージに従ってサービス能力リストセットを決定するように特に構成され、送信モジュールは、第２のＲＲＣメッセージをＲＡＮノードに送信するように構成され、第２のＲＲＣメッセージは第１の識別子を搬送する。
【００４４】
第２の可能な実施態様を参照して、第３の可能な実施態様において、第２のＲＲＣメッセージは、サービス要件リストをさらに搬送して、ＲＡＮノードがサービス要件リストを搬送するメッセージを第１のサービスネットワークに送信するようにする。
【００４５】
第９の態様または第１の可能な実施態様を参照して、第４の可能な実施態様において、ネットワークデバイスはＲＡＮノードであり、ＲＡＮノードは、受信モジュールをさらに含み、受信モジュールは、ＵＥによって送信された第３のＲＲＣメッセージを受信するように構成され、第３のＲＲＣメッセージはサービス要件リストを搬送し、処理モジュールは、受信モジュールによって受信された第３のＲＲＣメッセージに従ってサービス要件リストを決定するように特に構成され、受信モジュールは、管理デバイスによって送信されたサービスネットワークのサービス能力リストを受信するように、または少なくとも１つのサービスネットワークによって送信された少なくとも１つのサービスネットワークのサービス能力リストを受信するようにさらに構成され、処理モジュールは、少なくとも１つのサービスネットワークのサービス能力リストを含むサービス能力リストセットを決定するようにさらに特に構成される。
【００４６】
第３の可能な実施態様または第４の可能な実施態様を参照して、第５の可能な実施態様において、ＲＡＮノードは、サービス要件リストを搬送するメッセージを、第１のサービスネットワークに送信するように構成されて、第１のサービスネットワークが、サービス要件リストおよび第１のサービスネットワークのサービス能力リストに従って通知メッセージをＵＥに送信するようにする送信モジュールをさらに含み、通知メッセージは、サービス要件リスト内にあって第１のサービスネットワークのサービス能力リストに含まれているサービスについてＵＥに通知するために使用される。
【００４７】
第３から第５の可能な実施態様のいずれか一つを参照して、第６の可能な実施態様において、受信モジュールは、管理デバイスによって送信された指示メッセージを受信するようにさらに構成され、指示メッセージは、少なくとも１つのサービスネットワークのサービス能力リストを追加、変更、または削除するようＲＡＮノードに指示するために使用され、処理モジュールは、指示メッセージに従ってサービス能力セット内の少なくとも１つのサービスネットワークのサービス能力リストを、追加、変更、または削除するようにさらに構成される。
【００４８】
第９の態様、または第１から第６の可能な実施態様のいずれか一つを参照して、第７の可能な実施態様において、サービス要件リストは、ＵＥによって要求される少なくとも１つのサービスの各々に対応する優先度をさらに含み、プロセッサは、サービスに対応する優先度の降順にサービス要件リスト内のサービスに従ってサービス能力リストセットを検索して、ＵＥにサービスを提供する第１のサービスネットワークの第１の識別子を決定するように特に構成される。
【００４９】
第１０の態様によれば、送信モジュールおよび受信モジュールを含む、サービスネットワークを選択するためのＲＡＮノードが提供され、受信モジュールは、管理デバイスによって送信された少なくとも１つのサービスネットワークのサービス能力リストを受信するように、または少なくとも１つのサービスネットワークによって送信された少なくとも１つのサービスネットワークのサービス能力リストを受信するように構成され、各サービス能力リストは、サービス能力リストに対応するサービスネットワークの識別子を含み、サービスネットワークによってサポートされる少なくとも１つのサービスを含み、送信モジュールは、第１のＲＲＣメッセージをユーザ機器ＵＥに送信するように構成され、第１のＲＲＣメッセージは、少なくとも１つのサービスネットワークのサービス能力リストを含むサービス能力リストセットを搬送し、第１のＲＲＣメッセージは、ＵＥのサービス要件リストおよびサービス能力リストセットに従って、ＵＥにサービスを提供する第１のサービスネットワークの第１の識別子を決定するためにＵＥによって使用され、第１のサービスネットワークのサービス能力リストは、サービス要件リスト内のサービスの全部または一部を含み、サービス要件リストは、ＵＥによって要求される少なくとも１つのサービスを含み、受信モジュールは、ＵＥによって送信された第２のＲＲＣメッセージを受信するように構成され、第２のＲＲＣメッセージは少なくとも１つのサービスネットワーク内の第１のサービスネットワークの第１の識別子を搬送し、第２のＲＲＣメッセージは、第１のサービスネットワークがＵＥにサービスを提供することを指示するために使用される。
【００５０】
第１０の態様を参照して、第１の可能な実施態様において、第２のＲＲＣメッセージはサービス要件リストをさらに搬送し、送信モジュールは、サービス要件リストを第１のサービスネットワークに送信するようにさらに構成され、第１のサービスネットワークが、サービス要件リストおよびサービスネットワークのサービス能力リストに従って通知メッセージをＵＥに送信するようにし、通知メッセージは、サービス要件リスト内にあって第１のサービスネットワークのサービス能力リストに含まれているサービスについてＵＥに通知するために使用される。
【００５１】
第１０の態様または第１の可能な実施態様を参照して、第２の可能な実施態様において、受信モジュールは、管理デバイスによって送信された指示メッセージを受信するようにさらに構成され、指示メッセージは、少なくとも１つのサービスネットワークのサービス能力リストを追加、変更、または削除するようＲＡＮノードに指示するために使用され、ＲＡＮノードは、指示メッセージに従ってサービス能力セット内の少なくとも１つのサービスネットワークのサービス能力リストを、追加、変更、または削除するように構成された処理モジュールをさらに含む。
【００５２】
第１１の態様によれば、処理モジュールおよび送信モジュールを含む、サービスネットワークを選択するためのＵＥが提供され、処理モジュールは、ＵＥのサービス要件リストを決定するように構成され、サービス要件リストはＵＥによって要求される少なくとも１つのサービスを含み、送信モジュールは、ＲＲＣメッセージをＲＡＮノードに送信するように構成され、ＲＲＣメッセージはサービス要件リストを搬送し、ＲＲＣメッセージは、少なくとも１つのサービスネットワークのサービス能力リストを含むサービス能力リストセットからのサービス要件リストに従って、ＵＥにサービスを提供する第１のサービスネットワークの第１の識別子を決定するためにＲＡＮノードによって使用され、第１のサービスネットワークのサービス能力リストは、サービス要件リスト内のサービスの全部または一部を含み、各サービス能力リストは、サービス能力リストに対応するサービスネットワークの識別子を含み、サービスネットワークによってサポートされる少なくとも１つのサービスを含む。
【００５３】
第１１の態様を参照して、第１の可能な実施態様において、ＵＥは、サービス要件リストおよび第１のサービスネットワークのサービス能力リストに従って第１のサービスネットワークによってＵＥに送信される通知メッセージを受信するように構成された受信モジュールをさらに含み、通知メッセージは、サービス要件リスト内にあって第１のサービスネットワークのサービス能力リストに含まれているサービスについてＵＥに通知するために使用される。
【００５４】
第１２の態様によれば、受信モジュールおよび送信モジュールを含む管理デバイスが提供され、受信モジュールは、サービスネットワークによって送信されたサービスネットワークのサービス能力リストを受信するように構成され、サービス能力リストは、サービスネットワークの識別子およびサービスネットワークによってサポートされる少なくとも１つのサービスを含み、送信モジュールは、サービス能力リストをＲＡＮノードに送信するように構成される。
【００５５】
第１２の態様を参照して、第１の可能な実施態様において、管理デバイスは、指示メッセージを生成するように構成された処理モジュールをさらに含み、指示メッセージは、サービスネットワークのサービス能力リストを追加、変更、または削除するようＲＡＮノードに指示するために使用され、送信モジュールは、指示メッセージをＲＡＮノードに送信するようにさらに構成される。
【００５６】
本発明の技術的解決策によれば、サービスネットワークが動的に変化する場合、ＵＥのサービス要件を満たすことができるサービスネットワークが、端末デバイスのサービス要件およびサービスネットワークによってサポートされるサービスに従ってＵＥに対して選択される。本発明の技術的解決策によれば、サービスネットワークが動的に変化する場合にサービスネットワークを選択するプロセスは、簡略化されることができ、シグナリングが節減されることができる。
【図面の簡単な説明】
【００５７】
本発明の実施形態における技術的解決策をさらに明確に説明するため、後段では、本発明の実施形態を説明するために必要な添付の図面を簡単に紹介する。明らかに、以下の説明における添付の図面は、本発明の一部の実施形態のみを示すものであり、当業者であれば、創造的な取り組みを伴うことなく、これらの添付の図面からその他の図面をさらに導き出し得る。
【００５８】
【図１】本発明の実施形態によるネットワークアーキテクチャシステムを示す概略図である。
【図２】本発明の実施形態によるサービスネットワークを選択するための方法を示す概略流れ図である。
【図３】本発明の実施形態によるサービスネットワークを選択するための方法を示す概略流れ図である。
【図４】本発明の実施形態によるサービスネットワークを選択するための方法を示す概略流れ図である。
【図５】本発明の実施形態によるサービスネットワークを管理するための方法を示す概略流れ図である。
【図６】本発明の実施形態によるサービスネットワークを選択するための方法を示す概略流れ図である。
【図７】本発明の実施形態によるサービスネットワークを選択するための方法を示す概略流れ図である。
【図８】本発明の実施形態によるサービスネットワークを選択するための方法を示す概略流れ図である。
【図９】本発明の実施形態によるサービスネットワークを選択するための方法を示す概略流れ図である。
【図１０】本発明の実施形態によるサービスネットワークを選択するためのネットワークデバイスを示す概略ブロック図である。
【図１１】本発明の実施形態によるＲＡＮノードを示す概略ブロック図である。
【図１２】本発明の実施形態によるＵＥを示す概略ブロック図である。
【図１３】本発明の実施形態による管理デバイスを示す概略ブロック図である。
【発明を実施するための形態】
【００５９】
本発明の実施形態の目的、技術的解決策、および利点をさらに明確にするため、後段では、本発明の実施形態の添付の図面を参照して、本発明の実施形態における技術的解決策を明確および完全に説明する。明らかに、説明される実施形態は、本発明の実施形態の一部分であり、実施形態の全体を示すものではない。当業者により、創造的な取り組みを伴うことなく、本発明の実施形態に基づいて得られるすべてのその他の実施形態は、本発明の保護適用範囲に含まれるものとする。
【００６０】
理解を容易にするため、図１において示される本発明の実施形態のアプリケーションシナリオを参照して、簡単な説明が以下に提供される。図１に示されるアーキテクチャシステムは、具体的に５Ｇネットワークのアーキテクチャシステムであってもよいか、または具体的に４Ｇネットワークのアーキテクチャシステムのような従来のネットワークのアーキテクチャシステムであってもよい。図１に示されるネットワークアーキテクチャは、ＵＥ、ＲＡＮ、およびサービスネットワークを含む。
【００６１】
ＵＥは、従来の４Ｇ端末デバイスであってもよいか、または５Ｇネットワークをサポートする端末デバイスであってもよい。実際のアプリケーションシナリオおよび端末デバイスのタイプに従って、ＵＥは、１つまたは複数のタイプのサービスをサポートすることがある。サービス要件リストは、ＵＥで構成されてもよく、サービス要件リストは、ＵＥによってサポートされるサービスの１つまたは複数のタイプを含む。
【００６２】
ＲＡＮネットワーク内のＲＡＮノードは、ｅｖｏｌｖｅｄ  ＮｏｄｅＢ（e-UTRAN NodeB、eNodeB）のような、無線基地局であってもよい。ＵＥとＲＡＮノードの間で無線チャネルが確立された後、ＵＥは、ＲＡＮノードを使用することによりサービスネットワークにアクセスして、サービスネットワークによって提供されるサービスを取得する。
【００６３】
固有のタイプのシナリオまたは固有のユーザ要件の場合、サービスネットワークは、特定のタイプのＵＥについてカスタマイズされたサービスを提供することがある。実際のアプリケーションシナリオおよび端末デバイスのタイプに従って、サービスネットワークは、ＵＥが完全なサービスを取得することを保証するために、１つまたは複数のタイプのサービスをサポートすることがある。サービスネットワークが生成された後、サービスネットワークのサービス能力リストが定義されて、このネットワークスライスの識別子およびこのネットワークスライスによってサポートされるサービスを記録する。サービスネットワークは、ＥＰＣアーキテクチャ内の専用のコアネットワークであってもよいか、または５Ｇネットワーク内のネットワークスライスであってもよい。
【００６４】
将来の５Ｇシステムにおいて、ネットワークは、論理機能に基づいてネットワークスライスにさらに抽象化される。ネットワークスライスは、ネットワーク要素に論理的に分割されないが、「カスタマイズされた機能＋汎用ハードウェア」の方式で作成される。そのようなネットワーク構造に従って、オペレータは、サービスとしてユーザにネットワークを提供することが許容され、レート、容量、カバレッジ、遅延、信頼性、セキュリティ、および可用性のような指標に従って、さまざまなユーザの要件を満たすように、ネットワーク全体を自由に結合することができる。
【００６５】
ソフトウェア定義ネットワーキング（Software Defined Network、SDN）技術およびネットワーク機能仮想化（Network Function Virtualization、NFV）技術を使用することによって、同じインフラストラクチャ上で異なるタイプの通信ユーザにカスタマイズされたネットワークスライスが提供されてもよい。たとえば、図１のユーザ機器１は、モバイルブロードバンド（Mobile BroadBand、MBB）を使用するＵＥであってもよく、ユーザ機器２は、車車間（Vehicle To Vehicle、V2V）通信を使用するＵＥであってもよく、ユーザ機器３は、マシンタイプ通信（Machine Type Communication、MTC）を使用するＵＥであってもよく、サービスネットワーク１は、ＭＢＢネットワークスライスであってもよく、サービスネットワーク２は、Ｖ２Ｖネットワークスライスであってもよく、サービスネットワーク３は、ＭＴＣネットワークスライスであってもよい。
【００６６】
図１に示されるアーキテクチャシステムは、管理デバイスをさらに含むことがある。１つまたは複数のサービスネットワークのサービス能力リストは、管理デバイス上に配備され、管理デバイスは、１つまたは複数のサービスネットワークを管理するように構成されてもよい。管理デバイスがサービスネットワークのサービス能力リストを学習することができる場合、またはサービスネットワークが地理的な制約または別の理由により不良であり、ＵＥへのサービスを休止している場合、管理デバイスは、サービスネットワークのサービス能力リストを削除するようＲＡＮノードに指示する。
【００６７】
本発明の実施形態におけるサービスネットワークを選択するための技術的解決策は、図１に示されるネットワークアーキテクチャに限定されないことに留意されたい。本発明の実施形態は、ネットワーク機能モジュール化またはサービス化と類似する別のネットワークアーキテクチャにもまた適用されてもよい。
【００６８】
図２は、本発明の実施形態によるサービスネットワークを選択するための方法を示す概略流れ図である。図２の方法は、以下のステップを含む。
【００６９】
Ｓ２０１。ＵＥのサービス要件リストを決定し、サービス要件リストはＵＥによって要求される少なくとも１つのサービスを含む。
【００７０】
Ｓ２０２。少なくとも１つのサービスネットワークのサービス能力リストを含むサービス能力リストセットを決定し、各サービス能力リストは、サービス能力リストに対応するサービスネットワークの識別子を含み、サービスネットワークによってサポートされる少なくとも１つのサービスを含む。
【００７１】
Ｓ２０３。サービス要件リストおよびサービス能力リストセットに従って、ＵＥにサービスを提供する第１のサービスネットワークの第１の識別子を決定し、第１のサービスネットワークのサービス能力リストは、サービス要件リスト内のサービスの全部または一部を含む。
【００７２】
本発明におけるサービスネットワークを選択するための方法によれば、サービスネットワークが動的に変化する場合、サービス要件を満たすサービスネットワークが、端末デバイスのサービス要件およびサービスネットワークのサービス能力に従ってＵＥに対して選択されてもよく、サービスネットワークが動的に変化する場合にサービスネットワークを選択するプロセスが簡略化されることができるように、およびシグナリングが節減されることができるようになっている。
【００７３】
本発明のこの実施形態において、（ＨＳＳのような）ネットワークデバイスは、ＵＥの能力およびＵＥが加入するサービスに従って、ＵＥに対してサービス要件リストを構成することがある。ＵＥが加入するサービスは、コールサービス、モバイルブロードバンドサービス、マシンタイプ通信サービス、車車間通信サービス、超低遅延サービス、超高信頼性サービス、インターネットプロトコル（Internet Protocol、IP）継続性保持サービスなどであってもよい。実際のアプリケーションシナリオおよび端末タイプに従って、ＵＥは、１つまたは複数のタイプのサービスをサポートすることがある。たとえば、車両タイプのＵＥは、車車間通信サービスを使用することにより自動運転を実施してもよく、モバイルブロードバンドサービスを使用することにより高品位ビデオが見られ、したがってＵＥのサービス要件リストは、車車間通信サービスおよびモバイルブロードバンドサービスを含むことがある。すべてのこれらのサービスは、サービス要件リスト内に列挙される。
【００７４】
表１は、ＵＥのサービス要件リストの例である。ＵＥが音声サービス、モバイルブロードバンドサービス、超高信頼性サービス、および別のサービスをサポートし得ることが、表１から理解されてもよい。
【００７５】
【表１】
2020127237.tif 000020
【００７６】
ネットワークデバイスは、生成されたサービス要件リストをＵＥに送信し、ＵＥは、サービス要件リストを加入者識別モジュール（Subscriber Identity Module、SIM）カードストレージの方式で格納してもよいか、またはサービス要件リストを直接格納してもよい。
【００７７】
本発明のこの実施形態において、任意選択で、無線リンクは、ＵＥとＲＡＮノードの間に確立されてもよく、たとえば、ＲＲＣメッセージをＲＡＮノードに送信する場合、ＵＥは、ＲＲＣメッセージで、ＵＥのサービス要件リストをＲＡＮノードに転送する。ＵＥによってＲＡＮノードに送信されるＲＲＣメッセージは通常、標準で定義されている非アクセス階層（Non-Access Stratum、NAS）メッセージであるので、ＵＥのサービス要件リストは、ＮＡＳメッセージと共に送信されてもよい。
【００７８】
本発明のこの実施形態において、サービスネットワークのネットワークサービス能力リストは、サービスネットワークが生成される場合に定義されて、サービスネットワークによってサポートされるサービスを指示する。実際のアプリケーションシナリオに従って、サービスネットワークは、１つまたは複数のタイプのサービスをサポートすることがある。たとえば、工業制御のシナリオにおいて使用されるサービスネットワークは、マシンタイプ通信サービス、超低遅延サービス、超高信頼性サービスを同時にサポートすることがある。すべてのこれらのサービスは、サービス能力リスト内に列挙される。
【００７９】
表２は、サービスネットワークのサービス能力リストの例である。サービスネットワークが音声サービス、モバイルブロードバンドサービス、超高信頼性サービス、および別のサービスをサポートし得ることが、表２から理解されてもよい。
【００８０】
【表２】
2020127237.tif 000021
【００８１】
新しいサービスネットワークが生成された後、サービスネットワークのサービス能力リストは、サービスネットワークの実際の配備中にＲＡＮノードで構成されてもよい。
【００８２】
ネットワーク内のサービスネットワークのサービス能力リストが変化する場合、管理デバイスは、サービスネットワークに対応してサービス能力リストを変更するようＲＡＮノードにさらに指示することがある。
【００８３】
管理デバイスによって送信された指示メッセージに従って、ＲＡＮノードが、サービスネットワークに対応するサービス能力リストを変更し、サービス能力リストを更新した後、サービスネットワークによって本来サービス提供されているＵＥがネットワークに再度アクセスする場合、ＲＡＮノード、ＵＥ、または別のネットワーク管理デバイスは、最新のサービス能力リストセットに従って、ＵＥにサービスを提供するサービスネットワークを選択することがあり、リダイレクションプロセスが回避されてシグナリングが節減されるようになっている。
【００８４】
ネットワークに配備されたサービスネットワークは、地理的な制約により不良であることもあり、ＵＥへのサービスを休止している。サービスネットワークが不良である場合、管理デバイスは、サービスネットワークのサービス能力リストを削除するようサービスネットワークのサービス範囲内のＲＡＮノードに指示することがある。
【００８５】
ＲＡＮノードは、管理デバイスによって送信された指示メッセージに従って、サービス休止中のサービスネットワークに対応するサービス能力リストをサービス能力リストセットから削除し、サービス能力リストセットを更新する。サービスネットワークによって本来サービス提供されているＵＥがネットワークに再度アクセスする場合、ＲＡＮノード、ＵＥ、または別のネットワーク管理デバイスは、最新のサービス能力リストセットに従って、ＵＥにサービスを提供するサービスネットワークを選択することがあり、リダイレクションプロセスが回避されてシグナリングが節減されるようになっている。
【００８６】
ローカルネットワークの場合、ＵＥは、ＵＥのすべてのサービスをサポートすることができる専用サービスネットワークを通常有するが、ＵＥの一部のサービスのみをサポートすることができる一部のサービスがある。
【００８７】
任意選択で、ＲＡＮノードがサービス能力リストセットを有した後、ＲＡＮノードは、ＲＲＣメッセージを使用することによりＵＥによって送信されるＵＥのサービス要件リストを、ＲＡＮノード上のサービス能力リストセット内のサービス能力リストと比較することがある。特に、サービス要件リスト内のサービスと、サービス能力リスト内のサービスが比較されて、サービス要件リスト内のサービスの全部または一部を含むことができるサービス能力リストを見出すようにする。サービス能力リスト内の識別子に対応するサービスネットワークは、ＵＥにサービスを提供するサービスネットワークであり、ＵＥに対してＲＡＮノードによって選択されるサービスネットワークである。
【００８８】
概して、ＵＥに要求されたサービスの最大量を提供することができ、複数のサービスネットワーク内にあるサービスネットワークは、ＵＥにサービスを提供するサービスネットワークとして決定されてもよい。
【００８９】
たとえば、ＲＡＮノードで受信されたＵＥのサービス要件リストは表１に示されており、ＲＡＮノード上のサービス能力リストは表２に示されるサービス能力リストであり、つまり、サービス能力リストセットは表３に示され、次いで、表１に示されるサービス要件リストを、表３に示されるサービス能力リストと比較することにより、識別子１に対応するサービス能力リストはＵＥのサービス要件リスト内のすべてのサービスを含み、つまり識別子１に対応するサービスネットワークは、ＵＥによって要求されるサービスの最大量をサポートし得ることが理解されてもよい。したがって、ＲＡＮノードは、識別子１に対応するサービスネットワークを、ＵＥにサービスを提供するサービスネットワークとして選択してもよい。
【００９０】
【表３】
2020127237.tif 000022
【００９１】
ＲＡＮノードが、ＵＥにサービスを提供するサービスネットワークの識別子を決定した後、ＵＥと選択されたサービスネットワークの間で通常のサービス手順が実行されてもよい。
【００９２】
任意選択で、ＲＡＮノードは、ＵＥのサービス要件リストを、ＵＥにサービスを提供するサービスネットワークに送信することがある。ＵＥのサービス要件リストを受信した後、サービスネットワークは、ＵＥのサービス要件リストを、ＵＥにサービスを提供するネットワークのサービス能力リストと比較することがある。サービスネットワークがＵＥのすべてのサービスをサポートすることができない、つまりＵＥによって要求される一部のサービスしかサポートすることができない場合、サービスネットワークは、ＵＥに通知メッセージを送信して、ＵＥにサービスネットワークにより現在提供されることができるサービスについてＵＥに通知する。たとえば、ＵＥは、ＮＡＳ受諾メッセージを使用することにより通知されて、ＵＥは、ＮＡＳ受諾メッセージを参照して、後続のサービス要件において要求されることができるサービスを決定するようになっている。
【００９３】
本発明のこの実施形態において、任意選択で、無線リンクがＲＡＮノードとＵＥの間に確立されてもよい場合、ＲＡＮノードは、ＲＲＣメッセージで、複数のサービス能力リストを含み、表３に示されるサービス能力リストセットのような、複数のサービスネットワークのサービス能力リストをＵＥに転送することがある。
【００９４】
この場合、ＵＥは、（表１に示されるサービス要件リストのような）ＵＥのサービス要件リスト内のサービスを、複数のサービス能力リスト内のサービスと比較し、サービス要件リスト内のサービスの全部または一部を含む（表３の識別子１に対応するサービス能力リストのような）サービス能力リストを選択する。サービス能力リスト内の（表３の識別子１のような）識別子に対応するサービスネットワークは、ＵＥにサービスを提供するサービスネットワークであり、ＵＥに対して選択されたサービスネットワークである。その後、ＲＲＣメッセージをＲＡＮノードに送信する場合、ＵＥは、（表３の識別子１のような）識別子をＲＡＮノードに送信することがある。したがって、通常のサービス手順は、ＲＡＮノードを使用することによってＵＥと選択されたサービスネットワークの間で実行されてもよい。
【００９５】
ＵＥは、ＵＥによって要求された（表１に示されるサービス要件リストのような）サービスをＲＡＮノードにさらに送信することがある。ＲＡＮノードが、ＵＥによって送信されたＵＥのサービス要件リストを受信した後、任意選択で、ＲＡＮノードは、ＵＥのサービス要件リストを、サービスを提供し、ＵＥに対してＲＡＮノードによって選択されるサービスネットワークに送信することがある。ＵＥのサービス要件リストを受信した後、サービスネットワークは、ＵＥのサービス要件リストを、サービスネットワークのサービス能力リストと比較して、ＵＥに対してサービスネットワークによって提供されることができるサービスを決定することがある。
【００９６】
この場合、ＵＥは、ＵＥのサービス要件リストを、サービスネットワークのサービス能力リストと比較したので、ＵＥは、ＵＥのものであり、現在選択されているサービスネットワークによってサポートされることができるサービスをすでに明確に認識しており、サービスネットワークは、ＵＥに対してサービスネットワークによって提供されることができるサービスについてＵＥに通知する必要はない。
【００９７】
本発明のこの実施形態におけるサービスネットワークを選択するための方法によれば、ＵＥは、ＵＥのサービス要件リストに従って、サービス能力リストセットから現在のサービス要件と一致するサービスネットワークを能動的に選択することがあり、ネットワークが動的に変化する場合にサービスネットワークを選択するプロセスが簡略化されることができ、シグナリングが節減されることができるようになっている。
【００９８】
任意選択で、本発明の実施形態におけるサービスネットワークを選択するための方法は、将来の５Ｇネットワークアーキテクチャにおいてネットワークスライスの管理デバイスによって実行されてもよく、つまり、管理デバイスは、ＵＥのサービス要件リストおよびネットワークスライスのサービス能力リストを取得し、ＵＥのサービス要件リストに従って、複数のネットワークスライスのサービス能力リストからＵＥの現在のサービス要件と一致するサービスネットワークを選択して、ネットワークが動的に変化する場合にサービスネットワークを選択するプロセスが簡略化されることができように、およびシグナリングが節減されることができるようになっている。
【００９９】
任意選択で、この実施形態におけるＲＡＮノードは、ローミングのシナリオにおいてＵＥによってアクセスされた訪問先のＲＡＮノードであってもよい。この場合、ローミングエリアのＲＡＮノードは、ＵＥのサービス要件リストおよびローミングエリアのサービスネットワークのサービス能力リストに従ってＵＥのサービスネットワークを選択して、ＵＥのローミングアクセスを保証する。
【０１００】
本発明のこの実施形態におけるサービスネットワークを選択するための方法によれば、動的な状況において、たとえばサービスネットワークが動的に生成されるか、動的に更新されるか、または不良である場合、ＲＡＮノードは、構成されているサービスネットワークのサービス能力リストを追加または削除することがあり、サービスネットワークが動的に変化する場合にＵＥが通常のアクセスを実行することができるようにする。したがって、ＵＥがより柔軟に、およびより効果的にサービスネットワークにアクセスするだけにとどまらず、リダイレクションプロセスが回避され、大量のシグナリングが節減される。
【０１０１】
本発明のこの実施形態が適用される実際のシナリオにおいて、ＵＥの専用サービスネットワークはローカルネットワーク上に通常配備されるので、ＵＥのすべてのサービス要件を満たすサービスネットワークは、ローカルネットワークでＵＥに対して選択されてもよいが、ＵＥのすべてのサービス要件を満たすことはできないネットワークがあってもよい。もう１つの例において、ローミングのシナリオでは、ＵＥの専用ネットワークはローミングネットワークで配備されないことがあり、ローミングネットワーク内のサービスネットワークは、ＵＥによって要求される一部のサービスしか提供することができない。この場合、ＵＥによって要求されるサービスの優先度が考慮される必要がある、つまり、ＵＥのサービス要件リストが定義される場合に、ＵＥによって要求される各サービスの優先度が定義される。最も一致するサービスを提供することができるサービスネットワークが、各サービスの優先度に従ってＵＥに対して選択される。最も一致するサービスを提供することができるサービスネットワークは、一致するサービスの最大量を提供することができるサービスネットワークであってもよいか、または高優先度のサービスの最大量を提供することができるサービスネットワークであってもよい。最も一致するサービスを提供することができるサービスネットワークは、本発明において限定されることはない。
【０１０２】
ＵＥによって要求される各サービスの優先度が定義されるサービス要件リストは、表４に示される。ＵＥによって要求されるサービスにおいて、音声サービスは高い優先度を有し、モバイルブロードバンドサービスは標準の優先度を有し、超高信頼性サービスは低い優先度を有することが、表４から理解されてもよい。
【０１０３】
【表４】
2020127237.tif 000023
【０１０４】
たとえば、ＵＥのサービス要件リストを、サービスネットワークのサービス能力リストと比較する場合、ＲＡＮノードは、高優先度のサービスを提供することができるサービスネットワークを、ＵＥに対して好ましく選択する必要がある。たとえば、サービス要件リストと一致するサービス能力リストがサービス能力リストセットから選択されるべきである場合、高優先度の音声サービスを含むサービス能力リストが好ましく選択されてもよい。
【０１０５】
任意選択で、複数のサービス能力リストが、サービス要件リスト内の高優先度のサービスを同時に含む場合、サービス要件リスト内の二番目に高優先度のサービスを含むサービス能力リストが、複数のサービス能力リストで決定されてもよく、残りは最も一致するサービス能力リストが見出されるまで類推により推測されてもよい。この場合、サービス能力リストに対応するサービスネットワークは、ＵＥに対して最も一致するサービスを提供することができる。
【０１０６】
たとえば、ＵＥのサービス要件リストが表４に示されている場合、サービスネットワーク１が音声サービスおよびモバイルブロードバンドサービスを提供することができ、サービスネットワーク２が、音声サービスおよび超高信頼性サービスを提供することができ、サービスネットワーク３がモバイルブロードバンドサービスを提供することができるのであれば、ＵＥにより要求される高優先度のサービスが音声サービスであるとき、サービスネットワーク１およびサービスネットワーク２は高優先度サービスを満たすことができると決定されてもよく、ＵＥにより要求される２番目の高優先度サービスがモバイルブロードバンドサービスであり、サービスネットワーク１がモバイルブロードバンドサービスを提供することができるとき、サービスネットワーク１はＵＥに対して最も一致するサービスを提供することができるサービスネットワークであると決定されてもよい。確かに、音声サービス、モバイルブロードバンドサービス、および超高信頼性サービスを同時にサポートすることができるサービスネットワーク４がある場合、ＵＥにより要求される、音声サービスおよびモバイルブロードバンドサービス以外の高優先度サービスが、超高信頼性サービスであるとき、サービスネットワーク４がＵＥに対して最も一致するサービスを提供するサービスネットワークであると決定されてもよい。
【０１０７】
任意選択で、各サービスの優先度は、さまざまアプリケーションシナリオにおいて変化することがある。この場合、サービスネットワークは、固有のアプリケーションシナリオにおけるサービスの優先度に従って選択されてもよい。たとえば、車両タイプのＵＥの場合、現在のＵＥは、車車間通信サービスおよびモバイルブロードバンドサービスを同時にサポートするが、現在のネットワークは、車車間通信サービスのみをサポートするサービスネットワークおよびモバイルブロードバンドサービスのみをサポートするサービスネットワークしか含まない。この場合、車車間通信サービスがより高い優先度を有するので、ＵＥは、運転中に、車車間通信サービスをサポートするサービスネットワークを好ましく選択して、自動運転を確保することがあり、車両がサービスエリアで停止している場合、ＵＥは、ビデオを見るためにモバイルブロードバンドネットワークをサポートするサービスネットワークを好ましく選択することがある。
【０１０８】
従来技術において、各ＤＥＣＯＲは、特定のタイプのユーザのみにサービス提供する。ＵＥが新しいＤＥＣＯＲに移行される場合、ＵＥは、要件を満たすサービスを取得できないこともある。しかし、本発明のこの実施形態におけるサービスネットワークを選択するための方法によれば、ＵＥによって要求されるサービスの優先度が定義されて、ＵＥに対してサービスネットワークを選択する場合に、ＲＡＮノードまたはＵＥのようなネットワークデバイスが、ＵＥに対して高優先度のサービスを提供することができるサービスネットワークを選択することができるようにする。本発明のこの実施形態においてサービスネットワークを選択するための方法は、最も一致する能力を備えるサービスネットワークがローミングのシナリオにおいてＵＥに対して常に選択される場合もまたサポートすることがある。
【０１０９】
図３は、本発明の実施形態によるサービスネットワークを選択するための方法を示す概略流れ図である。図３の方法は、以下のステップを含む。
【０１１０】
Ｓ３０１。ＲＡＮノードは、第１のＲＲＣメッセージをＵＥに送信し、第１のＲＲＣメッセージは、少なくとも１つのサービスネットワークのサービス能力リストを含むサービス能力リストセットを搬送し、各サービス能力リストは、サービス能力リストに対応するサービスネットワークの識別子を含み、サービスネットワークによってサポートされる少なくとも１つのサービスを含み、第１のＲＲＣメッセージは、ＵＥのサービス要件リストおよびサービス能力リストセットに従って、ＵＥにサービスを提供する第１のサービスネットワークの第１の識別子を決定するためにＵＥによって使用され、第１の識別子に対応するサービス能力リストは、サービス要件リスト内のサービスの全部または一部を含み、サービス要件リストは、ＵＥによって要求される少なくとも１つのサービスを含む。
【０１１１】
Ｓ３０２。ＲＡＮノードは、ＵＥによって送信された第２のＲＲＣメッセージを受信し、第２のＲＲＣメッセージは第１の識別子を搬送し、第２のＲＲＣメッセージは、第１のサービスネットワークがＵＥにサービスを提供することを指示するために使用される。
【０１１２】
本発明におけるサービスネットワークを選択するための方法によれば、サービスネットワークが動的に変化する場合、サービス要件を満たすサービスネットワークが、端末デバイスのサービス要件およびサービスネットワークのサービス能力に従ってＵＥに対して選択されてもよく、サービスネットワークが動的に変化する場合にサービスネットワークを選択するプロセスが簡略化されることができるように、およびシグナリングが節減されることができるようになっている。
【０１１３】
任意選択で、ＵＥによって送信された第２のＲＲＣメッセージは、ＵＥのサービス要件リストをさらに搬送してもよい。これに対して、方法は、サービス要件リストを、ＲＡＮノードにより、第１のサービスネットワークに送信して、第１のサービスネットワークが、サービス要件リストおよびサービスネットワークのサービス能力リストに従って通知メッセージをＵＥに送信するようにするステップであって、通知メッセージは、サービス要件リスト内にあって第１のサービスネットワークのサービス能力リストに含まれているサービスについてＵＥに通知するために使用される、ステップをさらに含むことがある。
【０１１４】
図４は、本発明の実施形態によるサービスネットワークを選択するための方法を示す概略流れ図である。図４の方法は、以下のステップを含む。
【０１１５】
Ｓ４０１。ＵＥはサービス要件リストを決定し、サービス要件リストはＵＥによって要求される少なくとも１つのサービスを含む。
【０１１６】
Ｓ４０２。ＵＥは、ＲＲＣメッセージをＲＡＮノードに送信し、ＲＲＣメッセージはＵＥのサービス要件リストを搬送し、ＲＲＣメッセージは、サービス要件リストに従っておよび少なくとも１つのサービスネットワークのサービス能力リストを含むサービス能力リストセットから、ＵＥにサービスを提供する第１のサービスネットワークの第１の識別子を決定するためにＲＡＮノードによって使用され、第１の識別子に対応するサービス能力リストは、サービス要件リスト内のサービスの全部または一部を含み、各サービス能力リストは、サービス能力リストに対応するサービスネットワークの識別子を含み、サービスネットワークによってサポートされる少なくとも１つのサービスを含む。
【０１１７】
本発明におけるサービスネットワークを選択するための方法によれば、サービスネットワークが動的に変化する場合、サービス要件を満たすサービスネットワークが、端末デバイスのサービス要件およびサービスネットワークのサービス能力に従ってＵＥに対して選択されてもよく、サービスネットワークが動的に変化する場合にサービスネットワークを選択するプロセスが簡略化されることができるように、およびシグナリングが節減されることができるようになっている。
【０１１８】
任意選択で、方法は、サービス要件リストおよびサービスネットワークのサービス能力リストに従ってサービスネットワークによってＵＥに送信される通知メッセージを、ＵＥにより、受信するステップであって、通知メッセージは、サービス要件リスト内にあってサービスネットワークのサービス能力リストに含まれているサービスについてＵＥに通知するために使用される、ステップをさらに含むことがある。
【０１１９】
図５は、本発明の実施形態によるサービスネットワークを管理するための方法を示す概略流れ図である。図５の方法は、以下のステップを含む。
【０１２０】
Ｓ５０１。管理デバイスは、サービスネットワークによって送信されたサービスネットワークのサービス能力リストを受信し、サービス能力リストは、サービスネットワークの識別子およびサービスネットワークによってサポートされる少なくとも１つのサービスを含む。
【０１２１】
Ｓ５０２。管理デバイスは、サービス能力リストをＲＡＮノードに送信する。
【０１２２】
本発明のこの実施形態においてサービスネットワークを管理するための方法によれば、サービスネットワークが動的に変化する場合、サービスネットワークのステータスが、時間内にＲＡＮノードに更新されてもよく、ＲＡＮノードが、ネットワークスライスのサービス能力リストを追加、更新、または削除し得るようにして、最終的に、サービスネットワークが動的に変化する場合にサービスネットワークを選択するプロセスが簡略化されることができるように、およびシグナリングが節減されることができるようにする。
【０１２３】
任意選択で、方法は、管理デバイスにより、指示メッセージを生成するステップであって、指示メッセージは、サービスネットワークのサービス能力リストを追加、変更、または削除するようＲＡＮノードに指示するために使用される、ステップと、管理デバイスにより、指示メッセージをＲＡＮノードに送信するステップとをさらに含む。
【０１２４】
サービスネットワークを選択するための方法、およびサービスネットワークを管理するための方法によれば、本発明の実施形態においてサービスネットワークを選択する具体的な手順は、図６から図１０を参照して後段において説明される。
【０１２５】
図６に示されるように、図６は、本発明の実施形態によるサービスネットワークを選択するための方法を示す概略流れ図である。図６のネットワークスライスは、５Ｇネットワークにおける固有のサービスネットワークの具体的な例であるか、またはネットワークスライスは、ＥＰＣアーキテクチャ内の専用のコアネットワークに置き換えられてもよい。図６に示されるサービスネットワークを選択するための方法は、以下のステップを含む。
【０１２６】
Ｓ６０１。ＵＥの能力およびＵＥが加入するサービスに従って、ＵＥに割り振られるサービス要件リストを、ＵＥで構成する。サービス要件リストは、ＳＩＭカードまたはＵＥデバイスに格納されてもよい。サービス要件リストは、音声サービス、モバイルブロードバンドサービス、車車間通信サービス、および超高信頼性サービスを含むことがある。
【０１２７】
Ｓ６０２。ＲＡＮノードは、少なくとも１つのネットワークスライスに別個に対応するサービス能力リストを決定する。たとえば、ネットワーク内に２つのネットワークスライスがある場合、１つのネットワークスライスのサービス能力リストは、音声サービスおよびモバイルブロードバンドサービスを含み、もう一方のネットワークスライスのサービス能力リストは、音声サービス、車車間通信サービス、および超高信頼性サービスを含む。これらのネットワークスライスのサービス能力リストは、ＲＡＮノードでローカルに構成されてもよいか、またはネットワークスライスの配備中にＲＡＮノードに送信されてもよい。ＲＡＮノード上の複数のサービス能力リストは、サービス能力リストセットを形成する。ＲＡＮノードは、故障によりサービス休止中であるネットワークスライスのサービス能力リストを、サービス能力リストセットから、さらに削除することがある。ＲＡＮノードは、ローカルネットワーク内のＲＡＮノードであってもよいか、またはローミングのシナリオにおける訪問先のＲＡＮノードであってもよい。
【０１２８】
Ｓ６０３。ＲＲＣ接続がＵＥとＲＡＮノードの間に確立される場合、ＵＥは、ＲＲＣメッセージをＲＡＮノードに送信するときに、ＵＥのサービス要件リストをＲＡＮノードに送信する。
【０１２９】
Ｓ６０４。ＵＥによって送信されたサービス要件リストを受信した後、ＲＡＮノードは、ＵＥのサービス要件リスト内のサービスを、ＲＡＮノード上の複数のサービス能力リスト内のサービスと比較して、サービス能力リスト内のサービスの全部または一部を含むサービス要件リストを選択し、ネットワークスライスの識別子を取得し、識別子に対応するネットワークスライスは、ＵＥにサービスを提供するネットワークスライスである。
【０１３０】
たとえば、ＵＥによって要求されるサービスが音声サービス、モバイルブロードバンドサービス、および超高信頼性サービスであり、１つのネットワークスライスが音声サービスおよびブロードバンドサービスを提供することができ、その他のネットワークスライスが音声サービス、車車間通信サービス、および超高信頼性サービスを提供することができる場合、その他のネットワークスライスは上記１つのネットワークスライスよりもＵＥに多くのサービスを提供できることが理解されてもよく、したがって第２のネットワークスライスが、ＵＥにサービスを提供するネットワークスライスとして決定されてもよい。
【０１３１】
ＵＥのサービス能力リスト内のサービスの優先度が定義されている場合、選択されたネットワークスライスは、ＵＥに高優先度のサービスを提供することができるネットワークスライスである。たとえば、ＵＥのサービス能力リストにおいて、音声サービスは高優先度のサービスであり、モバイルブロードバンドサービスは中優先度のサービスであり、車車間通信サービスは低優先度のサービスであり、超高信頼性サービスは最低優先度のサービスである。第１のネットワークスライスが高優先度の音声サービスおよび中優先度のモバイルブロードバンドサービスを提供することができ、第２のネットワークスライスが高優先度の音声サービス、低優先度の車車間通信サービス、および最低優先度の超高信頼性サービスを提供することができるので、第１のネットワークスライスは、ＵＥに、第２のネットワークスライスによって提供される高優先度の音声サービスを提供することができ、さらに第１のネットワークスライスによって提供される中優先度のモバイルブロードバンドサービスの優先度は、第２のネットワークスライスによって提供されるその他のサービスの優先度よりも高いことが理解されてもよい。したがって、第１のネットワークスライスは、ＵＥに最も一致するサービスを提供するサービスネットワークとして決定されてもよい。
【０１３２】
Ｓ６０５。ＲＡＮノードは、ＵＥのサービス要件リストを、選択されたネットワークスライスに送信する。
【０１３３】
Ｓ６０６。ネットワークスライスは、ＮＡＳ受諾メッセージのような通知メッセージをＵＥに送信して、ネットワークスライスによってＵＥに提供されることができるサービスについてＵＥに通知する。ネットワークスライスによってＵＥに提供されることができるサービスは、サービス要件リスト内にあり、ネットワークスライスのサービス能力リストに含まれているサービスである。
【０１３４】
加えて、通常のサービス手順は、ＵＥと選択されたネットワークスライスの間で実行されてもよい。
【０１３５】
本発明のこの実施形態においてサービスネットワークを選択するための方法によれば、ＲＡＮノードは、ＵＥのサービスネットワークを選択し、ＨＳＳが大量のサブスクリプションデータ更新手順を開始することを防止されることができるように、ならびに大量のＴＡＵおよびリダイレクションプロセスが回避されることができるようにして、シグナリングストームの出現リスクを低減する。ＵＥのサービス要件と一致するサービスネットワークまたは最適なサービスネットワークは、ＵＥがローカルネットワーク内にあるか、ローミングのシナリオにおいて訪問先のネットワークにアクセスするかにかかわらず一致されることができることがさらに保証されることができる。
【０１３６】
図７に示されるように、図７は、本発明の実施形態によるサービスネットワークを選択するための方法を示す概略流れ図である。図７のネットワークスライスは、５Ｇネットワークにおける固有のサービスネットワークの具体的な例であるか、またはネットワークスライスは、ＥＰＣアーキテクチャ内の専用のコアネットワークに置き換えられてもよい。図７に示されるサービスネットワークを選択するための方法は、以下のステップを含む。
【０１３７】
Ｓ７０１。ＵＥの能力およびＵＥが加入するサービスに従って、ＵＥに割り振られるサービス要件リストを、ＵＥで構成する。サービス要件リストは、ＳＩＭカードまたはＵＥデバイスに格納されてもよい。サービス要件リストは、音声サービス、モバイルブロードバンドサービス、車車間通信サービス、および超高信頼性サービスを含むことがある。
【０１３８】
Ｓ７０２。ＲＡＮノードは、少なくとも１つのネットワークスライスに別個に対応するサービス能力リストを決定する。たとえば、ネットワーク内に２つのネットワークスライスがある場合、１つのネットワークスライスのサービス能力リストは、音声サービスおよびモバイルブロードバンドサービスを含み、もう一方のネットワークスライスのサービス能力リストは、音声サービス、車車間通信サービス、および超高信頼性サービスを含む。これらのネットワークスライスのサービス能力リストは、ＲＡＮノードでローカルに構成されてもよいか、またはネットワークスライスの配備中にＲＡＮノードに送信されてもよい。ＲＡＮノード上の複数のサービス能力リストは、サービス能力リストセットを形成する。ＲＡＮノードは、ローカルネットワーク内のＲＡＮノードであってもよいか、またはローミングのシナリオにおける訪問先のＲＡＮノードであってもよい。ＲＡＮノードは、故障によりサービス休止中であるネットワークスライスのサービス能力リストを、サービス能力リストセットから、さらに削除することがある。
【０１３９】
Ｓ７０３。ＲＲＣ接続がＵＥとＲＡＮノードの間に確立される場合、ＲＡＮノードは、ＲＲＣメッセージで、複数のネットワークスライスのサービス能力リストを含むサービス能力リストセットをＵＥに転送する。
【０１４０】
Ｓ７０４。ＲＡＮノードによって送信されたサービス能力リストセットを受信した後、ＵＥは、ＵＥのサービス要件リスト内のサービスを、ＲＡＮノードから取得した複数のサービス能力リスト内のサービスと比較して、サービス要件リスト内のサービスの全部または一部を含むサービス能力リストを選択し、サービス能力リスト内の、ネットワークスライスの識別子を取得し、識別子に対応するネットワークスライスは、サービスを提供し、ＵＥに対してＵＥにより選択されるネットワークスライスである。
【０１４１】
たとえば、ＵＥによって要求されるサービスが音声サービス、モバイルブロードバンドサービス、および超高信頼性サービスであり、１つのネットワークスライスが音声サービスおよびモバイルブロードバンドサービスを提供することができ、その他のネットワークスライスが音声サービス、車車間通信サービス、および超高信頼性サービスを提供することができる場合、第２のネットワークスライスは第１のネットワークスライスよりもＵＥに多くのサービスを提供できることが理解されてもよく、したがって第２のネットワークスライスが、ＵＥにサービスを提供するネットワークスライスとして決定されてもよい。
【０１４２】
ＵＥのサービス能力リスト内のサービスの優先度が定義されている場合、選択されたネットワークスライスは、ＵＥに高優先度のサービスを提供することができるネットワークスライスである。たとえば、ＵＥのサービス能力リストにおいて、音声サービスは高優先度のサービスであり、モバイルブロードバンドサービスは中優先度のサービスであり、車車間通信サービスは低優先度のサービスであり、超高信頼性サービスは最低優先度のサービスである。第１のネットワークスライスが高優先度の音声サービスおよび中優先度のモバイルブロードバンドサービスを提供することができ、第２のネットワークスライスが高優先度の音声サービス、低優先度の車車間通信サービス、および最低優先度の超高信頼性サービスを提供することができるので、第１のネットワークスライスは、ＵＥに、第２のネットワークスライスによって提供される高優先度の音声サービスを提供することができ、さらに第１のネットワークスライスによって提供される中優先度のモバイルブロードバンドサービスの優先度は、第２のネットワークスライスによって提供されるその他のサービスの優先度よりも高いことが理解されてもよい。したがって、第１のネットワークスライスは、ＵＥに最も一致するサービスを提供するサービスネットワークとして決定されてもよい。
【０１４３】
Ｓ７０５。ＵＥは、ＲＡＮノードへの接続メッセージまたはＴＡＵ要求メッセージのようなＲＲＣメッセージを開始する。ＵＥによってＲＡＮノードに送信されたＲＲＣメッセージは、標準において定義されているＮＡＳメッセージを搬送し、ＵＥによって選択されたネットワークスライスの識別子およびサービス要件リストをさらに含む。このようにして、通常のサービス手順は、ＵＥと選択されたネットワークスライスの間で実行されてもよい。
【０１４４】
Ｓ７０６。ＲＡＮノードは、ＵＥのサービス要件リストを選択されたネットワークスライスに送信して、ネットワークスライスが、ＵＥによって要求されるサービスを理解し、次いでリソースを適切に割り振って、ＵＥにサービスを提供するようにする。
【０１４５】
この場合、ＵＥは、ＵＥのサービス要件リストを、選択されたネットワークスライスのサービス能力リストと比較したので、ＵＥは、ＵＥのものであり、現在選択されているサービスネットワークによってサポートされることができるサービスをすでに明確に認識しており、ネットワークスライスは、ネットワークスライスによってＵＥに提供されることができるサービスについてＵＥに通知する必要はない。
【０１４６】
本発明のこの実施形態においてサービスネットワークを選択するための方法によれば、ＵＥは、ＵＥのサービスネットワークを選択し、ＨＳＳが大量のサブスクリプションデータ更新手順を開始することを防止されることができるように、ならびに大量のＴＡＵおよびリダイレクションプロセスが回避されることができるようにして、シグナリングストームの出現リスクを低減する。ＵＥのサービス要件と一致するサービスネットワークまたは最適なサービスネットワークは、ＵＥがローカルネットワーク内にあるか、ローミングのシナリオにおいて訪問先のネットワークにアクセスするかにかかわらず一致されることができることがさらに保証されることができる。
【０１４７】
図８に示されるように、図８は、本発明の実施形態によるサービスネットワークを選択するための方法を示す概略流れ図である。図８のネットワークスライスは、５Ｇネットワークにおける固有のサービスネットワークの具体的な例であるか、またはネットワークスライスは、ＥＰＣアーキテクチャ内の専用のコアネットワークに置き換えられてもよい。図８に示されるサービスネットワークを選択するための方法は、以下のステップを含む。
【０１４８】
Ｓ８０１。ＵＥの能力およびＵＥが加入するサービスに従って、ＵＥに割り振られるサービス要件リストを、ＵＥで構成する。サービス要件リストは、ＳＩＭカードまたはＵＥデバイスに格納されてもよい。サービス要件リストは、音声サービス、モバイルブロードバンドサービス、車車間通信サービス、および超高信頼性サービスを含むことがある。
【０１４９】
Ｓ８０２。管理デバイスは、新しく追加されたネットワークスライスのサービス能力リスト、または既存のサービススライスの更新されたサービス能力リストを決定する。たとえば、管理デバイスは、音声サービスおよびモバイルブロードバンドサービスを含むネットワークスライスのサービス能力リスト、ならびに音声サービス、車車間通信サービス、および超高信頼性サービスを含むネットワークスライスのサービス能力リストを取得することがある。
【０１５０】
Ｓ８０３。管理デバイスは、ネットワークスライスのサービス要件リストを、ＲＡＮノードに送信する。ＲＡＮノードは、管理デバイスによって送信されたネットワークスライスのサービス要件リストを受信して、サービス能力リストセットを更新する。サービス能力リストは、ＲＡＮノード上でサービス能力リストセットを形成する。ＲＡＮノードは、ローカルネットワーク内のＲＡＮノードであってもよいか、またはローミングのシナリオにおける訪問先のＲＡＮノードであってもよい。
【０１５１】
Ｓ８０４。ＲＲＣ接続がＵＥとＲＡＮノードの間に確立される場合、ＵＥは、ＲＲＣメッセージをＲＡＮノードに送信するときに、ＵＥのサービス要件リストをＲＡＮノードに送信する。
【０１５２】
Ｓ８０５。ＵＥによって送信されたサービス要件リストを受信した後、ＲＡＮノードは、ＵＥのサービス要件リスト内のサービスを、ＲＡＮノード上の更新されたサービス能力リスト内のサービスと比較して、サービス能力リスト内のサービスの全部または一部を含むサービス能力リストを選択し、ネットワークスライスの識別子を取得し、識別子に対応するネットワークスライスは、ＵＥにサービスを提供するネットワークスライスである。
【０１５３】
たとえば、ＵＥによって要求されるサービスが音声サービス、モバイルブロードバンドサービス、および超高信頼性サービスであり、１つのネットワークスライスが音声サービスおよびブロードバンドサービスを提供することができ、その他のネットワークスライスが音声サービス、車車間通信サービス、および超高信頼性サービスを提供することができる場合、第２のネットワークスライスは第１のネットワークスライスよりもＵＥに多くのサービスを提供できることが理解されてもよく、したがって第２のネットワークスライスが、ＵＥにサービスを提供するネットワークスライスとして決定されてもよい。
【０１５４】
ＵＥのサービス能力リスト内のサービスの優先度が定義されている場合、選択されたネットワークスライスは、ＵＥに高優先度のサービスを提供することができるネットワークスライスである。たとえば、ＵＥのサービス能力リストにおいて、音声サービスは高優先度のサービスであり、モバイルブロードバンドサービスは中優先度のサービスであり、車車間通信サービスは低優先度のサービスであり、超高信頼性サービスは最低優先度のサービスである。第１のネットワークスライスが高優先度の音声サービスおよび中優先度のモバイルブロードバンドサービスを提供することができ、第２のネットワークスライスが高優先度の音声サービス、低優先度の車車間通信サービス、および最低優先度の超高信頼性サービスを提供することができるので、第１のネットワークスライスは、ＵＥに、第２のネットワークスライスによって提供される高優先度の音声サービスを提供することができ、さらに第１のネットワークスライスによって提供される中優先度のモバイルブロードバンドサービスの優先度は、第２のネットワークスライスによって提供されるその他のサービスの優先度よりも高いことが理解されてもよい。したがって、第１のネットワークスライスは、ＵＥに最も一致するサービスを提供するサービスネットワークとして決定されてもよい。
【０１５５】
Ｓ８０６。ＲＡＮノードは、ＵＥのサービス要件リストを、ネットワークスライスに送信する。
【０１５６】
Ｓ８０７。ネットワークスライスは、ＮＡＳ受諾メッセージのような通知メッセージをＵＥに送信して、ネットワークスライスによってＵＥに提供されることができるサービスについてＵＥに通知する。ネットワークスライスによってＵＥに提供されることができるサービスは、サービス要件リスト内にあり、ネットワークスライスのサービス能力リストに含まれているサービスである。
【０１５７】
加えて、通常のサービス手順は、ＵＥと選択されたネットワークスライスの間で実行されてもよい。
【０１５８】
任意選択で、Ｓ８０２において、管理デバイスは、サービス休止中のネットワークスライスを決定することがある。これに対して、Ｓ８０３において、管理デバイスは、指示メッセージをＲＡＮノードに送信して、サービス休止中のネットワークスライスのサービス能力リストを削除するようＲＡＮノードに指示する。ＲＡＮノードは、管理デバイスによって送信された指示メッセージを受信し、指示メッセージに従って、サービス休止中のネットワークスライスのサービス能力リストを削除し、サービス能力リストセットを更新する。ＲＡＮノードは、ローカルネットワーク内のＲＡＮノードであってもよいか、またはローミングのシナリオにおける訪問先のＲＡＮノードであってもよい。この場合、Ｓ８０５において、ＵＥによって送信されたサービス要件リストを受信した後、ＲＡＮノードは、ＵＥのサービス要件リスト内のサービスを、ＲＡＮノード上にありサービス休止中のネットワークスライスのサービス能力リストが削除されているサービス能力リストセット内のサービス能力リスト内のサービスと比較する。
【０１５９】
図９に示されるように、図９は、本発明の実施形態によるサービスネットワークを選択するための方法を示す概略流れ図である。図９のネットワークスライスは、５Ｇネットワークにおける固有のサービスネットワークの具体的な例であるか、またはネットワークスライスは、ＥＰＣアーキテクチャ内の専用のコアネットワークに置き換えられてもよい。図９に示されるサービスネットワークを選択するための方法は、以下のステップを含む。
【０１６０】
Ｓ９０１。ＵＥの能力およびＵＥが加入するサービスに従って、ＵＥに割り振られるサービス要件リストを、ＵＥで構成する。サービス要件リストは、ＳＩＭカードまたはＵＥデバイスに格納されてもよい。サービス要件リストは、音声サービス、モバイルブロードバンドサービス、車車間通信サービス、および超高信頼性サービスを含むことがある。
【０１６１】
Ｓ９０２。管理デバイスは、新しく追加されたネットワークスライスのサービス能力リスト、または既存のサービススライスの更新されたサービス能力リストを決定する。たとえば、管理デバイスは、音声サービスおよびモバイルブロードバンドサービスを含むネットワークスライスのサービス能力リスト、ならびに音声サービス、車車間通信サービス、および超高信頼性サービスを含むネットワークスライスのサービス能力リストを取得することがある。
【０１６２】
Ｓ９０３。管理デバイスは、ネットワークスライスのサービス要件リストを、ＲＡＮノードに送信する。ＲＡＮノードは、管理デバイスによって送信されたネットワークスライスのサービス要件リストを受信して、サービス能力リストセットを更新する。表３に示されているように、サービス能力リストは、ＲＡＮノード上でサービス能力リストセットを形成する。ＲＡＮノードは、ローカルネットワーク内のＲＡＮノードであってもよいか、またはローミングのシナリオにおける訪問先のＲＡＮノードであってもよい。
【０１６３】
Ｓ９０４。ＲＲＣ接続がＵＥとＲＡＮノードの間に確立される場合、ＲＡＮノードは、ＲＲＣメッセージで、複数のネットワークスライスのサービス能力リストを含む更新されたサービス能力リストセットをＵＥに転送する。
【０１６４】
Ｓ９０５。ＲＡＮノードによって送信されたサービス能力リストセットを受信した後、ＵＥは、ＵＥのサービス要件リスト内のサービスを、ＲＡＮノードから取得した複数のサービス能力リスト内のサービスと比較して、サービス要件リスト内のサービスの全部または一部を含むサービス能力リストを選択し、サービス能力リスト内の、ネットワークスライスの識別子を取得し、識別子に対応するネットワークスライスは、サービスを提供し、ＵＥに対してＵＥにより選択されるネットワークスライスである。
【０１６５】
たとえば、ＵＥによって要求されるサービスが音声サービス、モバイルブロードバンドサービス、および超高信頼性サービスであり、１つのネットワークスライスが音声サービスおよびブロードバンドサービスを提供することができ、その他のネットワークスライスが音声サービス、車車間通信サービス、および超高信頼性サービスを提供することができる場合、第２のネットワークスライスは第１のネットワークスライスよりもＵＥに多くのサービスを提供できることが理解されてもよく、したがって第２のネットワークスライスが、ＵＥにサービスを提供するネットワークスライスとして決定されてもよい。
【０１６６】
ＵＥのサービス能力リスト内のサービスの優先度が定義されている場合、選択されたネットワークスライスは、ＵＥに高優先度のサービスを提供することができるネットワークスライスである。たとえば、ＵＥのサービス能力リストにおいて、音声サービスは高優先度のサービスであり、モバイルブロードバンドサービスは中優先度のサービスであり、車車間通信サービスは低優先度のサービスであり、超高信頼性サービスは最低優先度のサービスである。第１のネットワークスライスが高優先度の音声サービスおよび中優先度のモバイルブロードバンドサービスを提供することができ、第２のネットワークスライスが高優先度の音声サービス、低優先度の車車間通信サービス、および最低優先度の超高信頼性サービスを提供することができるので、第１のネットワークスライスは、ＵＥに、第２のネットワークスライスによって提供される高優先度の音声サービスを提供することができ、さらに第１のネットワークスライスによって提供される中優先度のモバイルブロードバンドサービスの優先度は、第２のネットワークスライスによって提供されるその他のサービスの優先度よりも高いことが理解されてもよい。したがって、第１のネットワークスライスは、ＵＥに最も一致するサービスを提供するサービスネットワークとして決定されてもよい。
【０１６７】
Ｓ９０６。ＵＥは、ＲＡＮノードへの接続メッセージまたはＴＡＵ要求メッセージのようなＲＲＣメッセージを開始する。ＵＥによってＲＡＮノードに送信されたＲＲＣメッセージは、標準において定義されているＮＡＳメッセージを搬送し、ＵＥによって選択されたネットワークスライスの識別子およびサービス要件リストをさらに含む。この場合、通常のサービス手順は、ＵＥと選択されたネットワークスライスの間で実行されてもよい。
【０１６８】
Ｓ９０７。ＲＡＮノードは、ＵＥのサービス要件リストをネットワークスライスに送信して、ネットワークスライスが、ＵＥによって要求されるサービスを理解し、次いでリソースを適切に割り振って、ＵＥにサービスを提供するようにする。
【０１６９】
この場合、ＵＥは、ＵＥのサービス要件リストを、選択されたネットワークスライスのサービス能力リストと比較したので、ＵＥは、ＵＥのものであり、現在選択されているサービスネットワークによってサポートされることができるサービスをすでに明確に認識しており、ネットワークスライスは、ネットワークスライスによってＵＥに提供されることができるサービスについてＵＥに通知する必要はない。
【０１７０】
任意選択で、Ｓ９０２において、管理デバイスは、サービス休止中のネットワークスライスを決定することがある。これに対して、Ｓ９０３において、管理デバイスは、指示メッセージをＲＡＮノードに送信して、サービス休止中のネットワークスライスのサービス能力リストを削除するようＲＡＮノードに指示する。ＲＡＮノードは、管理デバイスによって送信された指示メッセージを受信し、指示メッセージに従って、サービス休止中のネットワークスライスのサービス能力リストを削除し、サービス能力リストセットを更新する。ＲＡＮノードは、ローカルネットワーク内のＲＡＮノードであってもよいか、またはローミングのシナリオにおける訪問先のＲＡＮノードであってもよい。この場合、Ｓ９０５において、ＵＥによって送信されたサービス要件リストを受信した後、ＲＡＮノードは、ＵＥのサービス要件リスト内のサービスを、ＲＡＮノード上にあり、サービス休止中のネットワークスライスのサービス能力リストが削除されているサービス能力リストセット内のサービス能力リスト内のサービスと比較する。
【０１７１】
サービスネットワークを選択するための方法およびプロセスは、図２から図９により上記で詳細に説明されている。サービスネットワークの選択に関与するＲＡＮノード、ＵＥ、および管理デバイスは、図１０から図１３を参照して以下に詳細に説明される。
【０１７２】
図１０は、本発明の実施形態によるサービスネットワークを選択するためのネットワークデバイスを示す概略ブロック図である。図１０に示されるサービスネットワークノードを選択するためのネットワークデバイスは、プロセッサ１００１、受信機１００２、および送信機１００３を含む。
【０１７３】
受信機１００２は、メッセージを受信するように構成され、送信機１００３は、メッセージを送信するように構成される。プロセッサ１００１は、ユーザ機器ＵＥのサービス要件リストを決定するように構成され、サービス要件リストはＵＥによって要求される少なくとも１つのサービスを含む。プロセッサ１００１は、少なくとも１つのサービスネットワークのサービス能力リストを含むサービス能力リストセットを決定するようにさらに構成され、各サービス能力リストは、サービス能力リストに対応するサービスネットワークの識別子を含み、サービスネットワークによってサポートされる少なくとも１つのサービスを含む。プロセッサ１００１は、サービス要件リストおよびサービス能力リストセットに従って、ＵＥにサービスを提供する第１のサービスネットワークの第１の識別子を決定するようにさらに構成され、第１のサービスネットワークに対応するサービス能力リストは、サービス要件リスト内のサービスの全部または一部を含む。
【０１７４】
本発明のこの実施形態におけるネットワークデバイスによれば、サービスネットワークが動的に変化する場合、サービス要件を満たすサービスネットワークが、端末デバイスのサービス要件およびサービスネットワークのサービス能力に従ってＵＥに対して選択されてもよく、ネットワークが動的に変化する場合にサービスネットワークを選択するプロセスが簡略化されることができるように、およびシグナリングが節減されることができるようになっている。
【０１７５】
本発明のこの実施形態において、任意選択で、プロセッサ１００１は、特に、サービス要件リストおよびサービス能力リストセットに従って、サービス要件リスト内の最大量のサービスを含み、サービス能力リストセット内にあるサービス能力リストに対応する識別子を、ＵＥにサービスを提供する第１のサービスネットワークの第１の識別子として決定するように特に構成される。
【０１７６】
本発明の実施形態において、図１０に示されるネットワークデバイスは、ＵＥまたはＲＡＮノードであってもよい。ネットワークデバイスがＵＥである場合、受信機１００２は、ＲＡＮノードによって送信されたＲＲＣメッセージを受信するように特に構成され、ＲＲＣメッセージはサービス能力リストセットを搬送する。プロセッサ１００１は、受信機１００２によって受信されたＲＲＣメッセージに従ってサービス能力リストセットを決定するように特に構成される。送信機１００３は、別のＲＲＣメッセージをＲＡＮノードに送信するようにさらに特に構成され、ＲＲＣメッセージはＵＥにサービスを提供するサービスネットワークの識別子を搬送する。
【０１７７】
任意選択で、ＵＥによってＲＡＮノードに送信されたＲＲＣメッセージは、ＵＥのサービス要件リストをさらに搬送して、ＲＡＮノードが、サービス要件リストを搬送するメッセージを、ＵＥにサービスを提供する第１のサービスネットワークに送信するようにする。
【０１７８】
図１０に示されるネットワークデバイスがＲＡＮノードである場合、受信機１００２は、ＵＥによって送信されたＲＲＣメッセージを受信するように構成され、ＲＲＣメッセージは、ＵＥのサービス要件リストを搬送する。プロセッサ１００１は、受信機１００２によって受信されたＲＲＣメッセージに従ってサービス要件リストを決定するように特に構成される。受信機１００２は、管理デバイスによって送信されたサービスネットワークのサービス能力リストを受信するように、または少なくとも１つのサービスネットワークによって送信された少なくとも１つのサービスネットワークのサービス能力リストを受信するようにさらに構成される。プロセッサ１００１は、少なくとも１つのサービスネットワークのサービス能力リストを含むサービス能力リストセットを決定するようにさらに特に構成される。
【０１７９】
任意選択で、送信機１００３は、サービス要件リストを搬送するメッセージを、第１のサービスネットワークに送信するように特に構成されて、第１のサービスネットワークが、サービス要件リストおよび第１のサービスネットワークのサービス能力リストに従って通知メッセージをＵＥに送信するようにする。通知メッセージは、サービス要件リスト内にあって第１のサービスネットワークのサービス能力リストに含まれているサービスについてＵＥに通知するために使用される。
【０１８０】
任意選択で、受信機１００２は、管理デバイスによって送信された指示メッセージを受信するようにさらに構成され、指示メッセージは、少なくとも１つのサービスネットワークのサービス能力リストを追加、変更、または削除するようＲＡＮノードに指示するために使用される。プロセッサ１００１は、指示メッセージに従ってサービス能力セット内の少なくとも１つのサービスネットワークのサービス能力リストを、追加、変更、または削除するようにさらに構成される。
【０１８１】
任意選択で、ＵＥのサービス要件リストは、ＵＥによって要求される少なくとも１つのサービスの各々の優先度をさらに含むことがある。この場合、プロセッサ１００１は、サービスに対応する優先度の降順にサービス要件リスト内のサービスに従ってサービス能力リストセットを検索して、ＵＥにサービスを提供する第１のサービスネットワークの第１の識別子を決定するように特に構成される。
【０１８２】
本発明のこの実施形態において、プロセッサ１００１は、中央演算処理装置（Central Processing Unit、略称「CPU」）、またはプロセッサ１００１は、別の汎用プロセッサ、デジタル信号プロセッサ（ＤＳＰ）、特殊用途向け集積回路（ＡＳＩＣ）、フィールドプログラマブルゲートアレイ（ＦＰＧＡ）もしくはその他のプログラマブル論理デバイス、ディスクリートゲートもしくはトランジスタ論理デバイス、ディスクリートハードウェアコンポーネントなどであってもよいことを理解されたい。汎用プロセッサは、マイクロプロセッサであってもよいか、またはプロセッサは、任意の標準的なプロセッサなどであってもよい。
【０１８３】
図１１は、本発明の実施形態によるＲＡＮノードを示す概略ブロック図である。図１１に示されるＲＡＮノードは、送信機１１０１および受信機１１０２を含む。
【０１８４】
受信機１１０２は、管理デバイスによって送信された少なくとも１つのサービスネットワークのサービス能力リストを受信するか、または少なくとも１つのサービスネットワークによって送信された少なくとも１つのサービスネットワークのサービス能力リストを受信するように構成される。各サービス能力リストは、サービス能力リストに対応するサービスネットワークの識別子を含み、サービスネットワークによってサポートされる少なくとも１つのサービスを含む。送信機１１０１は、第１のＲＲＣメッセージをＵＥに送信するように構成される。第１のＲＲＣメッセージは、少なくとも１つのサービスネットワークのサービス能力リストを含むサービス能力リストセットを搬送し、各サービス能力リストは、サービス能力リストに対応するサービスネットワークの識別子を含み、サービスネットワークによってサポートされる少なくとも１つのサービスを含み、第１のＲＲＣメッセージは、ＵＥのサービス要件リストに従ってサービス能力リストセットから第１の識別子を決定するためにＵＥによって使用され、第１の識別子に対応するサービス能力リストは、サービス要件リスト内のサービスの全部または一部を含み、第１の識別子に対応する第１のサービスネットワークがＵＥにサービスを提供するようにし、サービス要件リストは、ＵＥによって要求される少なくとも１つのサービスを含む。受信機１１０２は、ＵＥによって送信された第２のＲＲＣメッセージを受信するように構成される。第２のＲＲＣメッセージは第１の識別子を搬送し、第２のＲＲＣメッセージは、第１のサービスネットワークがＵＥにサービスを提供することを指示するために使用される。
【０１８５】
本発明のこの実施形態におけるＲＡＮノードによれば、サービスネットワークが動的に変化する場合、サービス要件を満たすサービスネットワークが、端末デバイスのサービス要件およびサービスネットワークのサービス能力に従ってＵＥに対して選択されてもよく、ネットワークが動的に変化する場合にサービスネットワークを選択するプロセスが簡略化されることができるように、およびシグナリングが節減されることができるようになっている。
【０１８６】
任意選択で、ＵＥによって送信された第２のＲＲＣメッセージは、ＵＥのサービス要件リストをさらに搬送してもよい。送信機１１０１は、サービス要件リストを第１のサービスネットワークに送信するようにさらに構成され、第１のサービスネットワークが、サービス要件リストおよびサービスネットワークのサービス能力リストに従って通知メッセージをＵＥに送信するようにする。通知メッセージは、サービス要件リスト内にあって第１のサービスネットワークのサービス能力リストに含まれているサービスについてＵＥに通知するために使用される。
【０１８７】
任意選択で、受信機１１０２は、管理デバイスによって送信されたサービスネットワークのサービス能力リストを受信するようにさらに構成される。
【０１８８】
任意選択で、受信機１１０２は、管理デバイスによって送信された指示メッセージを受信するようにさらに構成され、指示メッセージは、少なくとも１つのサービスネットワークのサービス能力リストを追加、変更、または削除するようＲＡＮノードに指示するために使用される。これに対して、ＲＡＮノードは、指示メッセージに従ってサービス能力セット内の少なくとも１つのサービスネットワークのサービス能力リストを、追加、変更、または削除するように構成されたプロセッサをさらに含むことがある。
【０１８９】
図１２は、本発明の実施形態によるＵＥを示す概略ブロック図である。図１２に示されるＵＥは、プロセッサ１２０１、および送信機１２０２を含む。
【０１９０】
プロセッサ１２０１は、ＵＥのサービス要件リストを決定するように構成され、サービス要件リストはＵＥによって要求される少なくとも１つのサービスを含む。送信機１２０２は、ＲＲＣメッセージをＲＡＮノードに送信するように構成される。ＲＲＣメッセージはサービス要件リストを搬送し、ＲＲＣメッセージは、サービス要件リストに従って、少なくとも１つのサービスネットワークのサービス能力リストを含むサービス能力リストセットから第１の識別子を決定するためにＲＡＮノードによって使用され、第１の識別子に対応するサービス能力リストは、サービス要件リスト内のサービスの全部または一部を含み、第１の識別子に対応する第１のサービスネットワークがＵＥにサービスを提供するようにし、各サービス能力リストは、サービス能力リストに対応するサービスネットワークの識別子を含み、サービスネットワークによってサポートされる少なくとも１つのサービスを含む。
【０１９１】
本発明のこの実施形態におけるＵＥによれば、サービスネットワークが動的に変化する場合、サービス要件を満たすサービスネットワークが、端末デバイスのサービス要件およびサービスネットワークのサービス能力に従ってＵＥに対して選択されてもよく、ネットワークが動的に変化する場合にサービスネットワークを選択するプロセスが簡略化されることができるように、およびシグナリングが節減されることができるようになっている。
【０１９２】
任意選択で、ＵＥは、サービス要件リストおよび第１のサービスネットワークのサービス能力リストに従って第１のサービスネットワークによってＵＥに送信された通知メッセージを受信するように構成された受信機をさらに含むことがある。通知メッセージは、サービス要件リスト内にあって第１のサービスネットワークのサービス能力リストに含まれているサービスについてＵＥに通知するために使用される。
【０１９３】
任意選択で、ＵＥのサービス要件リストは、ＵＥによって要求される少なくとも１つのサービスの各々の優先度をさらに含むことがある。プロセッサ１２０１は、サービスに対応する優先度の降順にサービス要件リスト内のサービスに従ってサービス能力リストセットを検索して、ＵＥにサービスを提供する第１のサービスネットワークの第１の識別子を決定するように特に構成される。
【０１９４】
本発明のこの実施形態において、プロセッサ１２０１は、中央演算処理装置（Central Processing Unit、略称「CPU」）、またはプロセッサ１２０１は、別の汎用プロセッサ、デジタル信号プロセッサ（ＤＳＰ）、特殊用途向け集積回路（ＡＳＩＣ）、フィールドプログラマブルゲートアレイ（ＦＰＧＡ）もしくはその他のプログラマブル論理デバイス、ディスクリートゲートもしくはトランジスタ論理デバイス、ディスクリートハードウェアコンポーネントなどであってもよいことを理解されたい。汎用プロセッサは、マイクロプロセッサであってもよいか、またはプロセッサは、任意の標準的なプロセッサなどであってもよい。
【０１９５】
図１３は、本発明の実施形態による管理デバイスを示す概略ブロック図である。図１３に示される管理デバイスは、受信機１３０１、および送信機１３０２を含む。サービスネットワークのサービス能力リストは、管理デバイスに配備される。
【０１９６】
受信機１３０１は、サービスネットワークによって送信されたサービスネットワークのサービス能力リストを受信するように構成され、サービス能力リストは、サービスネットワークの識別子およびサービスネットワークによってサポートされる少なくとも１つのサービスを含む。送信機１３０２は、サービスネットワークのサービス能力リストをＲＡＮノードに送信するように構成される。
【０１９７】
本発明のこの実施形態における管理デバイスによれば、サービスネットワークが動的に変化する場合、サービスネットワークのステータスが、時間内にＲＡＮノードに更新されてもよく、ＲＡＮノードが、ネットワークスライスのサービス能力リストを追加、更新、または削除し得るようにして、最終的に、サービスネットワークが動的に変化する場合にサービスネットワークを選択するプロセスが簡略化されることができるように、およびシグナリングが節減されることができるようにする。
【０１９８】
任意選択で、管理デバイスは、指示メッセージを生成するように構成されたプロセッサをさらに含むことがあり、指示メッセージは、サービスネットワークのサービス能力リストを追加、変更、または削除するようＲＡＮノードに指示するために使用される。送信機１３９２は、指示メッセージをＲＡＮノードに送信するようにさらに構成される。
【０１９９】
本発明のこの実施形態において、プロセッサは、中央演算処理装置（Central Processing Unit、略称「CPU」）、またはプロセッサは、別の汎用プロセッサ、デジタル信号プロセッサ（ＤＳＰ）、特殊用途向け集積回路（ＡＳＩＣ）、フィールドプログラマブルゲートアレイ（ＦＰＧＡ）もしくはその他のプログラマブル論理デバイス、ディスクリートゲートもしくはトランジスタ論理デバイス、ディスクリートハードウェアコンポーネントなどであってもよいことを理解されたい。汎用プロセッサは、マイクロプロセッサであってもよいか、またはプロセッサは、任意の標準的なプロセッサなどであってもよい。
【０２００】
当業者であれば、この明細書において開示される実施形態において説明されている例との組み合わせで、ユニットおよびアルゴリズムステップは、電子ハードウェアまたはコンピュータソフトウェアと電子ハードウェアの組み合わせにより実施されてもよいことを理解してもよい。機能がハードウェアまたはソフトウェアのいずれによって実行されるかは、技術的解決策の特定のアプリケーションおよび設計の制約条件により異なる。当業者は、各々特定のアプリケーションについて説明されている機能を実施するために異なる方法を使用することがあるが、その実施が、本発明の範囲を逸脱するものと見なされるべきではない。
【０２０１】
簡便で簡潔な説明を目的として、前述のシステム、装置、およびユニットの詳細な動作プロセスに関しては、前述の方法の実施形態における対応するプロセスが参照されてもよく、詳細はここで再度説明されないことが、当業者には明確に理解されてもよい。
【０２０２】
本明細書において提供されるいくつかの実施形態において、開示されるシステム、装置、および方法がその他の方法で実施されてもよいことを理解されたい。たとえば、説明される装置の実施形態は、例示的なものに過ぎない。たとえば、ユニット部は、論理機能部に過ぎず、実際の実施態様においてその他の部分があってもよい。たとえば、複数のユニットまたはコンポーネントは、別のシステムに複合または統合されてもよいか、または一部の特徴が無視されるか、実行されなくてもよい。加えて、表示されるかまたは説明される相互結合もしくは直接結合または通信接続は、一部のインターフェイスを使用することにより実施されてもよい。装置またはユニット間の間接結合または通信接続は、電子的、機械的、またはその他の形態で実施されてもよい。
【０２０３】
別個の部品として説明されるユニットは、物理的に分離されていることも、分離されていないこともあり、ユニットとして表示される部品は、物理的なユニットであることも、物理的なユニットではないこともあり、１つの位置に配置されてもよいか、または複数のネットワークユニット上に分散されてもよい。ユニットの一部または全部は、実施形態の解決策の目的を達成するための実際の要件に応じて選択されてもよい。
【０２０４】
機能がソフトウェア機能ユニットの形態で実施され、独立した製品として販売または使用される場合、機能は、コンピュータ可読ストレージ媒体に格納されてもよい。そのような理解に基づいて、基本的に本発明の技術的解決策、または従来技術に寄与する部分、または技術的解決策の一部は、ソフトウェア製品の形態で実施されてもよい。ソフトウェア製品は、ストレージ媒体に格納され、コンピュータデバイス（パーソナルコンピュータ、サーバ、ネットワークデバイスなどであってもよい）に本発明の実施形態において説明される方法のステップの全部または一部を実行するよう指示するための複数の命令を含む。前述のストレージ媒体は、ＵＳＢフラッシュドライブ、取り外し可能ハードディスク、読み取り専用メモリ（Read-Only Memory、ROM）、ランダムアクセスメモリ（Random Access Memory、RAM）、磁気ディスク、または光ディスクのような、プログラムコードを格納することができる任意の媒体を含む。
【０２０５】
前述の説明は、本発明の特定の実施態様に過ぎず、本発明の保護適用範囲を限定することを意図されていない。本発明において開示される技術的範囲内の当業者により容易に考案される任意の変形または置換は、本発明の保護適用範囲に含まれるものとする。したがって、本発明の保護適用範囲は、特許請求の保護適用範囲に従うものとする。
【外国語明細書】
2020127237000001.pdf